【事件の表示】
　特許第６２４１５３４号発明「フッ素化炭化水素の混合物を含有する組成物及びその応用」の特許異議申立事件について、次のとおり決定する。
【結　論】
　特許第６２４１５３４号の明細書及び特許請求の範囲を、訂正請求書に添付された訂正明細書及び訂正特許請求の範囲のとおり、訂正後の請求項〔１−１９〕について訂正することを認める。 
　特許第６２４１５３４号の請求項３、４、１０−１９に係る特許を維持する。 
　特許第６２４１５３４号の請求項１、２、５−９に係る特許についての特許異議の申立てを却下する。
【理　由】
第１　手続の経緯　
　
　特許第６２４１５３４号の請求項１〜１９に係る特許（以下、各請求項に係る特許を項番号に合わせて「本件特許１」などといい、まとめて「本件特許」という。）についての出願は、平成２８年１１月１５日（優先権主張　平成２７年１１月２０日）に出願されたものであって、平成２９年１１月１７日にその特許権の設定登録がされ、同年１２月６日に特許掲載公報が発行されたものである。
　その後、本件特許１〜１９に対して、平成３０年５月２８日に特許異議申立人であるザ　ケマーズ　カンパニー　エフシー　リミテッド　ライアビリティ　カンパニーにより特許異議の申立てがなされた。
　本件特許異議申立事件における、その後の手続の経緯は、以下のとおりである。 
　平成３０年　９月　７日付け：（当審）取消理由通知
　　　　同年１１月１２日　　：（特許権者）意見書及び訂正請求書の提出
　平成３１年　１月２３日　　：（特許異議申立人）意見書の提出
　　　　同年　２月２７日付け：（当審）訂正拒絶理由通知及び審尋
　　　　同年　３月２９日　　：（特許権者）意見書及び手続補正書の提出
　　　　同年　４月２４日　　：（特許権者）回答書の提出
　　令和元年　６月２０日付け：（当審）取消理由通知（決定の予告）
　　　　同年　８月２６日　　：（特許権者）意見書及び訂正請求書の提出
　　　　同年１０月１１日　　：（特許異議申立人）意見書の提出
　なお、平成３０年１１月１２日になされた訂正の請求は、特許法第１２０条の５第７項の規定により、取り下げられたものとみなす。
　
第２　本件訂正の適否についての判断 
　１　本件訂正の内容（訂正事項）
　令和元年８月２６日になされた訂正（以下、「本件訂正」という。）は、特許法第１２０条の５第４項及び同条第９項において準用する同法第１２６条第４項の規定に従い、一群の請求項を構成する請求項１〜１９を訂正単位として訂正することを求めるものであり、その内容（訂正事項）は、次のとおりである。
　(1) 訂正事項１
　特許請求の範囲の請求項１を削除する。
　(2) 訂正事項２
　特許請求の範囲の請求項２を削除する。
　(3) 訂正事項３
　特許請求の範囲の請求項３に
「フッ素化炭化水素の混合物を含有する組成物であって、
　前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1　14.1重量%＞x≧10.8重量%であり、
（2）-1　R125、1234yf及び134aの濃度（R125の濃度（重量%）／1234yfの濃度（重量%）／134aの濃度（重量%））が、
点B(-2.6665x+62.786/0.7204x+31.027/100-R32-R125-1234yf)、
点C(0.0914x2-4.2444x+69.184/0.1181x2-6.3648x+93.765/100-R32-R125-1234yf)、
点F(0.0323x2-2.5621x+50.802/0.0346x2-3.9904x+67.56/100-R32-R125-1234yf)、及び
点E(0.0501x2-3.9756x+61.989/-0.0296x2+1.5133x+30.248/100-R32-R125-1234yf)
を頂点とする四角形の範囲に含まれる組成比を有する混合物１、
（1）-2　16.1重量%＞x≧14.1重量%であり、
（2）-2　R125、1234yf及び134aの濃度（R125の濃度（重量%）／1234yfの濃度（重量%）／134aの濃度（重量%））が、
点B(-2.6456x+62.484/0.7929x+29.984/100-R32-R125-1234yf)、
点C(0.0495x2-3.1434x+61.991/0.1723x2-8.1236x+107.78/100-R32-R125-1234yf)、
点F(-1.5049x+42.339/-2.6349x+55.315/100-R32-R125-1234yf)、 
点E(0.2747x2-9.7967x+99.415/0.6366x2-25.375x+276.93/100-R32-R125-1234yf)、及び
点H’は、
14.8重量%＞x≧14.1重量%のときは、
点H’(100-R32-1234yf-R134a/-0.9770x+59.575/-x+38.4)、
16.1重量%＞x≧14.8重量%のときは
点H’(100-R32-1234yf-R134a/-0.9083x+58.536/-0.9723x+38.014)
を頂点とする五角形の範囲に含まれる組成比を有する混合物２、
（1）-3　16.8重量%＞x≧16.1重量%であり、
（2）-3　R125、1234yf及び134aの濃度（R125の濃度（重量%）／1234yfの濃度（重量%）／134aの濃度（重量%））が、
点B(-2.2857x+56.7/0.7747x+30.285/100-R32-R125-1234yf)、
点C(-1.5714x+49.5/-2.8043x+66.812/100-R32-R125-1234yf)、
点F(-1.2857x+38.8/-2.4954x+53.076/100-R32-R125-1234yf)、
点E(-1.1429x+31.3/-5.3142x+118.96/100-R32-R125-1234yf)、及び 
点H’(100-R32-1234yf-R134a/-0.9083x+58.536/-0.9723x+38.014)
を頂点とする五角形の範囲に含まれる組成比を有する混合物３、
（1）-4　18.1重量%＞x≧16.8重量%であり、
（2）-4　R125、1234yf及び134aの濃度（R125の濃度（重量%）／1234yfの濃度（重量%）／134aの濃度（重量%））が、
点B(-1.4615x+42.854/-5.931x+142.94/100-R32-1234yf-R134a)、
点C(-1.3846x+46.362/-2.5156x+61.961/100-R32-R125-1234yf)、
点F(-1.3846x+40.462/-2.5401x+53.827/100-R32-R125-1234yf)、及び
点E(-1.0769x+30.192/-4.9692x+113.16/100-R32-R125-1234yf)
を頂点とする四角形の範囲に含まれる組成比を有する混合物４、
（1）-5　20.0重量%＞x≧18.1重量%であり、
（2）-5　R125、1234yf及び134aの濃度（R125の濃度（重量%）／1234yfの濃度（重量%）／134aの濃度（重量%））が、
点B(-1.0442x+35.27/0.2703x2-15.221x+222.52/100-R32-1234yf-R134a)、
点C(-1.3145x+45.088/-2.4404x+60.615/100-R32-1234yf-R134a)、
点F(-1.2138x+37.381/-0.1576x2+3.716x-7.7649/100-R32-1234yf-R134a)、及び
点E(-0.8869x+26.726/-4.3267x+101.52/100-R32-1234yf-R134a)
を頂点とする四角形の範囲に含まれる組成比を有する混合物５、
（1）-6　21.6重量%＞x≧20.0重量%であり、
（2）-6　R125、1234yf及び134aの濃度（R125の濃度（重量%）／1234yfの濃度（重量%）／134aの濃度（重量%））が、
点B(-0.875x+31.9/-4.3372x+112.98/100-R32-1234yf-R134a)、
点C(-1.25x+43.8/-2.375x+59.3/100-R32-1234yf-R134a)、
点F(-1.125x+35.6/-2.1875x+47.25/100-R32-1234yf-R134a)、及び
点E(-0.75x+24/-3.8831x+92.657/100-R32-1234yf-R134a)
を頂点とする四角形の範囲に含まれる組成比を有する混合物６、並びに
（1）-7　24.2重量%＞x≧21.6重量%であり、
（2）-7　R125、1234yf及び134aの濃度（R125の濃度（重量%）／1234yfの濃度（重量%）／134aの濃度（重量%））が、
点B(-0.7267x+28.67/0.1603x2-10.987x+181.821/00-R32-1234yf-R134a)、
点C(0.0529x2-3.5375x+68.536/0.0431x2-4.1038x+76.546/100-R32-1234yf-R134a)、
点F(-1.9651x+53.771/0/100-R32-1234yf-R134a)、及び
点E(-0.6163x+21.118/0.0663x2-6.4133x+116.38/100-R32-1234yf-R134a)
を頂点とする四角形の範囲に含まれる組成比を有する混合物７、
からなる群から選択される少なくとも一種を含有する組成物。」
とあるのを、
「フッ素化炭化水素の混合物を含有する組成物であって、
　前記混合物は、R32、R125、1234yf及びR134aのみからなる基本4成分に加えて前記基本4成分とは異なる他の成分を含んでいてもよく、前記混合物中の前記他の成分の含有量は0.5重量%以下であり、
　前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-4　18.1重量%＞x≧16.1重量%であり、
（2）-4　R125、1234yf及び134aの濃度（R125の濃度（重量%）／1234yfの濃度（重量%）／134aの濃度（重量%））が、
点B’(-2.6456x+62.484/0.7929x+29.984/100-R32-R125-1234yf)、
点C’(-1.4515x+46.075/-2.5842x+62.058/100-R32-R125-1234yf)、
点F’(-1.3447x+41.226/0.0959x2-5.7176x+82.165/100-R32-R125-1234yf)、及び
点E’(-0.1044x2-4.7203x+63.337/0.3836x2-18.386x+233.37/100-R32-R125-1234yf)
を頂点とする四角形の範囲に含まれる組成比を有する混合物４、
（1）-5　20.0重量%＞x≧18.1重量%であり、
（2）-5　R125、1234yf及び134aの濃度（R125の濃度（重量%）／1234yfの濃度（重量%）／134aの濃度（重量%））が、
点B’(-1.0442x+33.87/0.2539x2-14.531x+212.38/100-R32-R125-1234yf)、
点C’(-1.3145x+45.588/-2.4717x+59.031/100-R32-R125-1234yf)、
点F’(-1.258x+39.651/0.0607x2-4.7348x+75.905/100-R32-R125-1234yf)、及び
点E’(-0.8869x+26.126/0.1994x2-11.991x+177.97/100-R32-R125-1234yf)
を頂点とする四角形の範囲に含まれる組成比を有する混合物５、
（1）-6　22.6重量%＞x≧20.0重量%であり、
（2）-6　R125、1234yf及び134aの濃度（R125の濃度（重量%）／1234yfの濃度（重量%）／134aの濃度（重量%））が、
点B’(-0.7733x+28.448/0.0598x2-6.503x+129.46/100-R32-R125-1234yf)、
点C’(-1.157x+40.426/-2.1919x+53.439/100-R32-R125-1234yf)、
点F’(-1.1163x+26.822/0.0721x2-5.1875x+80.404/100-R32-R125-1234yf)、及び
点E’(-0.7733x+25.848/0.1578x2-10.613x+167.02/100-R32-R125-1234yf)
を頂点とする四角形の範囲に含まれる組成比を有する混合物６、
からなる群から選択される一種を含有する組成物。」
に訂正する（請求項３の記載を直接又は間接的に引用する請求項１０〜１９の記載についても同様に訂正する。）。
　(4) 訂正事項４
　特許請求の範囲の請求項４に
「フッ素化炭化水素の混合物を含有する組成物であって、
　前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1　14.2重量%＞x≧11.6重量%であり、
（2）-1　R125、1234yf及び134aの濃度（R125の濃度（重量%）／1234yfの濃度（重量%）／134aの濃度（重量%））が、
点G’(100-R32-1234yf-R134a/-0.5757x+45.025/-0.4243x+20.975)、
点J(-3.5769x+75.492/1.2204x+24.143/100-R32-R125-1234yf)、及び
点K(-2.3846x+61.662/-4.0172x+84.9/100-R32-R125-1234yf)
を頂点とする三角形の範囲に含まれる組成比を有する混合物１、
（1）-2　15.3重量%＞x≧14.2重量%であり、
（2）-2　R125、1234yf及び134aの濃度（R125の濃度（重量%）／1234yfの濃度（重量%）／134aの濃度（重量%））が、
点G’は、
14.8重量%＞x≧14.2重量%のときは、
点G’(100-R32-1234yf-R134a/-0.5757x+45.025/-0.4243x+20.975)、
15.3重量%＞x≧14.8重量%のときは、
点G’(100-R32-1234yf-R134a/-0.5458x+44.582/-0.4264x+21.031)、
及び
点J(-3.4381x+73.493/1.1236x+25.522/100-R32-R125-1234yf)、及び
点K(0.9091x2-29.091x+257.58/0.8579x2-29.085x+267.88/100-R32-R125-1234yf)
を頂点とする三角形の範囲に含まれる組成比を有する混合物２、
（1）-3　16.2重量%＞x≧15.3重量%であり、
（2）-3　R125、1234yf及び134aの濃度（R125の濃度（重量%）／1234yfの濃度（重量%）／134aの濃度（重量%））が、
点G’(100-R32-1234yf-R134a/-0.5458x+44.582/-0.4264x+21.031)、
点J(-3.5556x+75.3/1.2095x+24.209/100-R32-R125-1234yf)、及び
点K(-2x+55.9/-3.4439x+76.392/100-R32-R125-1234yf)
を頂点とする三角形の範囲に含まれる組成比を有する混合物３、
（1）-4　17.5重量%＞x≧16.2重量%であり、
（2）-4　R125、1234yf及び134aの濃度（R125の濃度（重量%）／1234yfの濃度（重量%）／134aの濃度（重量%））が、
点G’(100-R32-1234yf-R134a/-0.5458x+44.582/-0.4264x+21.031)、
点H’(100-R32-1234yf-R134a/-0.9083x+58.536/-0.9723x+38.014)、
点J(-1.6163x+43.882/-6.3674x+146.95/100-R32-R125-1234yf)、及び
点K(-1.8488x+53.445/-3.1206x+71.153/100-R32-R125-1234yf)
を頂点とする四角形の範囲に含まれる組成比を有する混合物４、
（1）-5　19.0重量%＞x≧17.5重量%であり、
（2）-5　R125、1234yf及び134aの濃度（R125の濃度（重量%）／1234yfの濃度（重量%）／134aの濃度（重量%））が、
点G’、点H’は、
18.1重量%＞x≧17.5重量%のときは、
点G’(100-R32-1234yf-R134a/-0.5458x+44.582/-0.4264x+21.031)、
点H’(100-R32-1234yf-R134a/-0.9083x+58.536/-0.9723x+38.014)、
19.0重量%＞x≧18.1重量%のときは
点G’(100-R32-1234yf-R134a/-0.5277x+44.277/-0.4207x+20.907)、
点H’(100-R32-1234yf-R134a/-0.8948x+58.298/-1.0517x+39.417)、
及び、
点J(0.1273x2-6.1109x+83.553/0.1532x2-11.484x+189.57/100-R32-R125-1234yf)、
点X(-0.1696x2+1.0575x+54.537/-0.2271x2+15.05x-177.28/100-R32-R125-1234yf)、及び
点R(-0.0401x2+3.0217x-19.198/-0.0297x2+2.7774x-22.544/100-R32-R125-1234yf)
を頂点とする五角形の範囲に含まれる組成比を有する混合物５、
（1）-6　20.8重量%＞x≧19.0重量%であり、
（2）-6　R125、1234yf及び134aの濃度（R125の濃度（重量%）／1234yfの濃度（重量%）／134aの濃度（重量%））が、
点G’、点H’は、
20.0重量%＞x≧19.0重量%のときは、
点G’(100-R32-1234yf-R134a/-0.5277x+44.277/-0.4207x+20.907)、
点H’(100-R32-1234yf-R134a/-0.8948x+58.298/-1.0517x+39.417)、
20.8重量%＞x≧20.0重量%のときは、
点G’(100-R32-1234yf-R134a/-0.5349x+44.413/-0.4651x+21.787)、
点H’(100-R32-1234yf-R134a/-0.9244x+58.883/-0.8837x+36.078)、
及び、
点Q(-0.0198x2+27.157x-31.225/-0.0377x2+3.0486x-17.594/100-R32-R125-1234yf)、及び
点R(-0.0401x2+3.0217x-19.198/-0.0297x2+2.7774x-22.544/100-R32-R125-1234yf)、
を頂点とする四角形の範囲に含まれる組成比を有する混合物６、
（1）-7　23.2重量%＞x≧20.8重量%であり、
（2）-7　R125、1234yf及び134aの濃度（R125の濃度（重量%）／1234yfの濃度（重量%）／134aの濃度（重量%））が、
点G’、点H’は、
22.6重量%＞x≧20.8重量%のときは、
点G’(100-R32-1234yf-R134a/-0.5349x+44.413/-0.4651x+21.787)、
点H’(100-R32-1234yf-R134a/-0.9244x+58.883/-0.8837x+36.078)、
23.2重量%＞x≧22.6重量%のときは
点G’(100-R32-1234yf-R134a/-0.5848x+45.537/-0.4717x+21.954)、
点H’(100-R32-1234yf-R134a/-0.9435x+59.308/-0.8428x+35.149)、
及び、
点Q(-0.0984x2+6.1633x-68.728/-0.0617x2+3.9141x-25.243/100-R32-R125-1234yf)、及び
点R(-0.0031x2+1.5234x-4.0783/-0.0503x2+3.6856x-32.627/100-R32-R125-1234yf)
を頂点とする四角形の範囲に含まれる組成比を有する混合物７、
（1）-8　25.6重量%＞x≧23.2重量%であり、
（2）-8　R125、1234yf及び134aの濃度（R125の濃度（重量%）／1234yfの濃度（重量%）／134aの濃度（重量%））が、
点G’、点H’は、
24.5重量%＞x≧23.2重量%のときは、
点G’(100-R32-1234yf-R134a/-0.5848x+45.537/-0.4717x+21.954)、
点H’(100-R32-1234yf-R134a/-0.9435x+59.308/-0.8428x+35.149)、
25.6重量%＞x≧24.5重量%のときは、
点G’(100-R32-1234yf-R134a/-0.5242x+44.035/-0.4290x+20.902)、
点H’(100-R32-1234yf-R134a/-x+60.7/-0.7145x+32.001)、
及び、
点Q(-0.0115x2+2.3422x-26.868/-0.1077x2+6.4104x-58.357/100-R32-R125-1234yf)、及び
点R(-0.1398x2+8.0281x-81.391/-0.0932x2+5.7935x-58.514/100-R32-R125-1234yf)
を頂点とする四角形の範囲に含まれる組成比を有する混合物８、並びに
（1）-9　26.6重量%≧x≧25.6重量%であり、
（2）-9　R125、1234yf及び134aの濃度（R125の濃度（重量%）／1234yfの濃度（重量%）／134aの濃度（重量%））が、
点G’(100-R32-1234yf-R134a/-0.5242x+44.035/-0.4290x+20.902)、
点Q(8.2x-184.32/-5x+163.1/100-R32-R125-1234yf)、及び
点R(1.2x+1.88/1.246x-3.0431/100-R32-R125-1234yf)
を頂点とする三角形の範囲に含まれる組成比を有する混合物９、
からなる群から選択される少なくとも一種を含有する組成物。」
とあるのを、
「フッ素化炭化水素の混合物を含有する組成物であって、
　前記混合物は、R32、R125、1234yf及びR134aのみからなる基本4成分に加えて前記基本4成分とは異なる他の成分を含んでいてもよく、前記混合物中の前記他の成分の含有量は0.5重量%以下であり、
　前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1　20.0重量%＞x＞17.5重量%であり、
（2）-1　R125、1234yf及び134aの濃度（R125の濃度（重量%）／1234yfの濃度（重量%）／134aの濃度（重量%））が、
点G’は、
18.1重量%＞x≧17.5重量%のときは、
点G’(100-R32-1234yf-R134a/-0.5458x+44.582/-0.4264x+21.031)、
20.0重量%＞x≧18.1重量%のときは、
点G’(100-R32-1234yf-R134a/-0.5277x+44.277/-0.4207x+20.907)、
及び、
点O(-3.1554x+89.013/1.1108x+15.673/100-R32-R125-1234yf)、及び
点P(0.0698x2-4.6141x+93.254/0.1361x2-8.5106x+142.27/100-R32-R125-1234yf)
を頂点とする三角形の範囲に含まれる組成比を有する混合物１、
（1）-2　20.8重量%＞x≧20.0重量%であり、
（2）-2　R125、1234yf及び134aの濃度（R125の濃度（重量%）／1234yfの濃度（重量%）／134aの濃度（重量%））が、
点G’(100-R32-1234yf-R134a/-0.5349x+44.413/-0.4651x+21.787)、
点O(-3.5x+95.9/1.5661x+6.5807/100-R32-R125-1234yf)、及び
点P(-1.75x+63.9/-2.9691x+85.881/100-R32-R125-1234yf)、
を頂点とする三角形の範囲に含まれる組成比を有する混合物２、
（1）-3　x=20.8重量%であり、
（2）-3　R125、1234yf及び134aの濃度（R125の濃度（重量%）／1234yfの濃度（重量%）／134aの濃度（重量%））が、
点G’(100-R32-1234yf-R134a/-0.5349x+44.413/-0.4651x+21.787)、
点O(-2.25x+69.9/0.3629x+31.605/100-R32-R125-1234yf)、及び
点P(-1.75x+63.9/-3.0619x+87.812/100-R32-R125-1234yf)、
を頂点とする三角形の範囲に含まれる組成比を有する混合物３、
からなる群から選択される一種を含有する組成物。」
に訂正する（請求項４の記載を直接又は間接的に引用する請求項１０〜１９の記載についても同様に訂正する。）。
　(5) 訂正事項５
　特許請求の範囲の請求項５を削除する。
　(6) 訂正事項６
　特許請求の範囲の請求項６を削除する。
　(7) 訂正事項７
　特許請求の範囲の請求項７を削除する。
　(8) 訂正事項８
　特許請求の範囲の請求項８を削除する。
　(9) 訂正事項９
　特許請求の範囲の請求項９を削除する。
　(10) 訂正事項１０
　特許請求の範囲の請求項１０に
「冷凍機油を含有する、請求項１〜９のいずれかに記載の組成物。」
とあるのを、
「冷凍機油を含有する、請求項３又は４のいずれかに記載の組成物。」
に訂正する（請求項１０の記載を直接又は間接的に引用する請求項１１〜１〜１９の記載についても同様に訂正する。）。
　(11) 訂正事項１１
　特許請求の範囲の請求項１２に
「混合冷媒であるR404A（R125/R134a/R143a=44/4/52重量%）の代替冷媒である、請求項１、２及び４〜１１のいずれかに記載の組成物。」
とあるのを、
「混合冷媒であるR404A（R125/R134a/R143a=44/4/52重量%）の代替冷媒である、請求項４、１０及び１１のいずれかに記載の組成物。」
に訂正する（請求項１２の記載を直接又は間接的に引用する請求項１４〜１９の記載についても同様に訂正する。）。
　(12) 訂正事項１２
　特許請求の範囲の請求項１３に
「HCFC冷媒であるR22の代替冷媒である、請求項１〜３及び６〜１１のいずれかに記載の組成物。」
とあるのを、
「HCFC冷媒であるR22の代替冷媒である、請求項３、１０及び１１のいずれかに記載の組成物。」
に訂正する（請求項１３の記載を直接又は間接的に引用する請求項１４〜１９についても同様に訂正する。）。
　(13) 訂正事項１３
　特許請求の範囲の請求項１４に
「トレーサー、相溶化剤、紫外線蛍光染料、安定剤及び重合禁止剤からなる群より選択される少なくとも1種の物質を含む、請求項１〜１３のいずれかに記載の組成物。」
とあるのを、
「トレーサー、相溶化剤、紫外線蛍光染料、安定剤及び重合禁止剤からなる群より選択される少なくとも1種の物質を含む、請求項３、４及び１０〜１３のいずれかに記載の組成物。」
に訂正する（請求項１４の記載を引用する請求項１６〜１９の記載についても同様に訂正する。）。
　(14) 訂正事項１４
　特許請求の範囲の請求項１５に
「前記組成物が、前記フッ素化炭化水素の混合物のみからなる、請求項１〜１４のいずれかに記載の組成物。」
とあるのを、
「前記組成物が、前記フッ素化炭化水素の混合物のみからなる、請求項３、４、１２及び１３のいずれかに記載の組成物。」
に訂正する（請求項１５の記載を引用する請求項１６〜１９の記載についても同様に訂正する。）。
　(15) 訂正事項１５
　特許請求の範囲の請求項１６に
「請求項１〜１５のいずれかに記載の組成物を用いて冷凍サイクルを運転する工程を含む、冷凍方法。」
とあるのを、
「請求項３、４及び１０〜１５のいずれかに記載の組成物を用いて冷凍サイクルを運転する工程を含む、冷凍方法。」
に訂正する。
　(16) 訂正事項１６
　特許請求の範囲の請求項１７に
「請求項１〜１５のいずれかに記載の組成物を用いて冷凍サイクルを運転する、冷凍機の運転方法。」
とあるのを、
「請求項３、４及び１０〜１５のいずれかに記載の組成物を用いて冷凍サイクルを運転する、冷凍機の運転方法。」
に訂正する。
　(17) 訂正事項１７
　特許請求の範囲の請求項１８に
「請求項１〜１５のいずれかに記載の組成物を含む冷凍機。」
とあるのを、
「請求項３、４及び１０〜１５のいずれかに記載の組成物を含む冷凍機。」
に訂正する。
　(18) 訂正事項１８
　特許請求の範囲の請求項１９に
「冷蔵庫、冷凍庫、冷水機、製氷機、冷蔵ショーケース、冷凍ショーケース、冷凍冷蔵ユニット、冷凍冷蔵倉庫用冷凍機、チラー（チリングユニット）、ターボ冷凍機及びスクリュー冷凍機からなる群から選択される少なくとも1種に使用する、請求項１〜１５のいずれかに記載の組成物。」
とあるのを、
「冷蔵庫、冷凍庫、冷水機、製氷機、冷蔵ショーケース、冷凍ショーケース、冷凍冷蔵ユニット、冷凍冷蔵倉庫用冷凍機、チラー（チリングユニット）、ターボ冷凍機及びスクリュー冷凍機からなる群から選択される少なくとも1種に使用する、請求項３、４及び１０〜１５のいずれかに記載の組成物。」
に訂正する。
　(19) 訂正事項１９〜２６
　願書に添付した明細書の【表３−９】（【０１０２】）〜【表３−１６】（【０１１６】）の各表において、「Ｒ１３４ａ近似式」という項目に、
「１００−Ｒ３２−１２３４ｙｆ−Ｒ１３４ａ」
とあるのを、
「１００−Ｒ３２−Ｒ１２５−１２３４ｙｆ」
に訂正する。
　(20) 訂正事項２７
　願書に添付した明細書の【００３２】に記載された形態１−３−Ａの混合物５〜７における点Ｂ’、Ｃ’、Ｆ’及びＥ’の「Ｒ１３４ａ近似式」に、
「１００−Ｒ３２−１２３４ｙｆ−Ｒ１３４ａ」
とあるのを、
「１００−Ｒ３２−Ｒ１２５−１２３４ｙｆ」
に訂正する。
　２　訂正の目的の適否、新規事項の有無及び特許請求の範囲の拡張・変更の存否
　(1) 訂正事項１、２、５〜９について
　訂正事項１、２、５〜９は、訂正前の請求項１、２、５〜９を削除するものであるから、これらの訂正事項は、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する第１２６条第５項及び第６項の規定に適合するものと認められる。
　(2) 訂正事項３について
　ア　訂正事項３は、大別すると、次の３つの訂正事項（訂正事項３−１〜３−３）からなるものということができる。
（ｉ）訂正事項３−１
　本件訂正前（設定登録時）の請求項３には、フッ素化炭化水素の混合物は、Ｒ３２、Ｒ１２５、１２３４ｙｆ及びＲ１３４ａ（以下、これら４成分をまとめて「基本４成分」という。）を特定組成で含有することが記載され、当該基本４成分とは異なる他の成分についての明示的な記載はなく、また、当該他の成分の含有量については何ら記載されていなかったところ、当該混合物は、「Ｒ３２、Ｒ１２５、１２３４ｙｆ及びＲ１３４ａのみからなる基本４成分に加えて前記基本４成分とは異なる他の成分を含んでいてもよく、前記混合物中の前記他の成分の含有量は０．５重量％以下」であることを規定する。
（ｉｉ）訂正事項３−２
　本件訂正前の請求項３に記載されていた混合物１〜７を、新たな混合物４〜６とする。
（ｉｉｉ）訂正事項３−３
　本件訂正前の請求項３には、混合物１〜７からなる群から選択される「少なくとも一種を含有する」組成物と記載されていたところ、これを「一種を含有する」とする。
　イ　訂正事項３−１は、明細書の【０１５１】〜【０１５７】の記載に基づいて、組成物が上記基本４成分とは異なる他の成分を含有し得ることを明示した上で、その含有量の上限を規定することによって、組成物を限定するものである。
　したがって、当該訂正事項３−１は、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する第１２６条第５項及び第６項の規定に適合するものと認められる。
　ウ　訂正事項３−２は、フッ素化炭化水素の混合物の選択肢として記載されていた混合物の一部を削除するとともに、明細書の【００３０】に記載された「形態１−３」、すなわち、本件訂正前の請求項３に記載されていた形態を、当該「形態１−３」の下位概念として明細書の【００３２】に記載された「形態１−３−Ａ」とするものであり、併せて、当該「形態１−３−Ａ」に記載された混合物５及び６の点Ｂ’、Ｃ’、Ｆ’及びＥ’におけるＲ１３４ａの濃度の誤記「１００−Ｒ３２−１２３４ｙｆ−Ｒ１３４ａ」を、明細書の【０１０２】【表３−９】の記載などに基づいて、「１００−Ｒ３２−Ｒ１２５−１２３４ｙｆ」とするものである。
　したがって、当該訂正事項３−２は、特許法第１２０条の５第２項ただし書第１号に掲げる特許請求の範囲の減縮及び同ただし書第２号に掲げる誤記又は誤訳の訂正を目的とするものであるといえるとともに、願書に添付した明細書、特許請求の範囲又は図面に記載した事項（ただし、誤記の訂正については、願書に最初に添付した明細書、特許請求の範囲又は図面に記載した事項）の範囲内の訂正であり、かつ実質上特許請求の範囲を拡張し又は変更するものではないから、同法同条第９項で準用する第１２６条第５項及び第６項の規定に適合するものと認められる。
　エ　訂正事項３−３は、本件訂正前の請求項３に記載されていた、混合物１〜７からなる群から選択される「少なくとも一種」（二種以上の混合物が選択されることは技術的にあり得ない。）という明瞭でない記載を、選択肢を限定することにより技術的に正して明確化するものである。
　したがって、当該訂正事項３−３は、特許法第１２０条の５第２項ただし書第１号に掲げる特許請求の範囲の減縮及び同ただし書第３号に掲げる明瞭でない記載の釈明を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する第１２６条第５項及び第６項の規定に適合するものと認められる。
　(3) 訂正事項４について
　ア　訂正事項４は、大別すると、次の３つの訂正事項（訂正事項４−１〜４−３）からなるものということができる。
（ｉ）訂正事項４−１
　本件訂正前（設定登録時）の請求項４には、フッ素化炭化水素の混合物は、上記基本４成分を特定組成で含有することが記載され、当該基本４成分とは異なる他の成分についての明示的な記載はなく、また、当該他の成分の含有量については何ら記載されていなかったところ、当該混合物は、「Ｒ３２、Ｒ１２５、１２３４ｙｆ及びＲ１３４ａのみからなる基本４成分に加えて前記基本４成分とは異なる他の成分を含んでいてもよく、前記混合物中の前記他の成分の含有量は０．５重量％以下」であることを規定する。
（ｉｉ）訂正事項４−２
　本件訂正前の請求項４に記載されていた混合物１〜９を、新たな混合物１〜３とする。
（ｉｉｉ）訂正事項４−３
　本件訂正前の請求項４には、混合物１〜９からなる群から選択される「少なくとも一種を含有する」組成物と記載されていたところ、これを「一種を含有する」とする。
　イ　訂正事項４−１は、明細書の【０１５１】〜【０１５７】の記載に基づいて、組成物が上記基本４成分とは異なる他の成分を含有し得ることを明示した上で、その含有量の上限を規定することによって、組成物を限定するものである。
　したがって、当該訂正事項４−１は、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する第１２６条第５項及び第６項の規定に適合するものと認められる。
　ウ　訂正事項４−２は、フッ素化炭化水素の混合物の選択肢として記載されていた混合物の一部を削除するとともに、明細書の【００３４】に記載された「形態１−４」、すなわち、本件訂正前の請求項４に記載されていた形態を、当該「形態１−４」の下位概念として明細書の【００３８】に記載された「形態１−４−Ｂ」とするものであり、併せて、当該「形態１−４−Ｂ」の混合物１における１８．１重量％＞ｘ≧１７．５重量％のときの点Ｇ’に関する誤記「点G’(100-R32-1234yf-R134a-/0.5458x+44.582/-0.4264x+21.031)」を、明細書の【００９６】【表３−６】の記載などに基づいて、「点G’(100-R32-1234yf-R134a/-0.5458x+44.582/-0.4264x+21.031)」とするものである。
　したがって、当該訂正事項４−２は、特許法第１２０条の５第２項ただし書第１号に掲げる特許請求の範囲の減縮及び同ただし書第２号に掲げる誤記又は誤訳の訂正を目的とするものであるといえるとともに、願書に添付した明細書、特許請求の範囲又は図面に記載した事項（ただし、誤記の訂正については、願書に最初に添付した明細書、特許請求の範囲又は図面に記載した事項）の範囲内の訂正であり、かつ実質上特許請求の範囲を拡張し又は変更するものではないから、同法同条第９項で準用する第１２６条第５項及び第６項の規定に適合するものと認められる。
　エ　訂正事項４−３は、本件訂正前の請求項４に記載されていた、混合物１〜９からなる群から選択される「少なくとも一種」（二種以上の混合物が選択されることは技術的にあり得ない。）という明瞭でない記載を、選択肢を限定することにより技術的に正して明確化するものである。
　したがって、当該訂正事項４−３は、特許法第１２０条の５第２項ただし書第１号に掲げる特許請求の範囲の減縮及び同ただし書第３号に掲げる明瞭でない記載の釈明を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する第１２６条第５項及び第６項の規定に適合するものと認められる。
　(4) 訂正事項１０〜１８について
　訂正事項１０〜１８は、訂正事項１、２、５〜９に係る請求項１、２、５〜９の削除に伴い、請求項１０、１２〜１９における引用請求項の明瞭化を図るもの、あるいは、当該引用請求項の一部を削除するものと捉えることができるから、これらの訂正事項は、特許法第１２０条の５第２項ただし書第１号に掲げる特許請求の範囲の減縮又は同第３号に掲げる明瞭でない記載の釈明を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する第１２６条第５項及び第６項の規定に適合するものと認められる。
　(5) 訂正事項１９〜２７について
　訂正事項１９〜２７は、明細書の【表３−９】（【０１０２】）〜【表３−１６】（【０１１６】）に記載された「Ｒ１３４ａ近似式」及び【００３２】に記載された形態１−３−Ａの混合物５〜７における点Ｂ’、Ｃ’、Ｆ’及びＥ’に記載された「Ｒ１３４ａの濃度」に関する明らかな誤記を訂正するものであるから、当該訂正事項は、特許法第１２０条の５第２項ただし書第２号に掲げる誤記又は誤訳の訂正を目的とするものであるといえるとともに、願書に最初に添付した明細書、特許請求の範囲又は図面に記載した事項の範囲内の訂正であり、かつ実質上特許請求の範囲を拡張し又は変更するものではないから、同法同条第９項で準用する第１２６条第５項及び第６項の規定に適合するものと認められる。
　３　小括
　上記前記１、２のとおり、本件訂正は、特許法第１２０条の５第４項及び同条第９項において準用する同法第１２６条第４項の規定に従い、一群の請求項を構成する請求項１〜１９を訂正単位として訂正することを求めるものであり、その訂正事項はいずれも、特許法第１２０条の５第２項ただし書第１号、第２号又は第３号に掲げる事項を目的とするものに該当し、かつ、同条第９項において準用する同法第１２６条第５項及び第６項の規定に適合するので、訂正後の請求項〔１〜１９〕について訂正することを認める。
第３　本件特許請求の範囲の記載 
　
　上記第２のとおり、本件訂正は認容し得るものであるから、本件特許の特許請求の範囲の記載は、本件訂正後の、次のとおりのものである（以下、請求項３、４、１０〜１９に係る発明を、請求項の項番号に合わせて「本件特許発明３」などといい、まとめて「本件特許発明」という。）。 
「【請求項１】
（削除）
【請求項２】
（削除）
【請求項３】
　フッ素化炭化水素の混合物を含有する組成物であって、
　前記混合物は、R32、R125、1234yf及びR134aのみからなる基本4成分に加えて前記基本4成分とは異なる他の成分を含んでいてもよく、前記混合物中の前記他の成分の含有量は0.5重量%以下であり、
　前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-4　18.1重量%＞x≧16.1重量%であり、
（2）-4　R125、1234yf及び134aの濃度（R125の濃度（重量%）／1234yfの濃度（重量%）／134aの濃度（重量%））が、
点B’(-2.6456x+62.484/0.7929x+29.984/100-R32-R125-1234yf)、
点C’(-1.4515x+46.075/-2.5842x+62.058/100-R32-R125-1234yf)、
点F’(-1.3447x+41.226/0.0959x2-5.7176x+82.165/100-R32-R125-1234yf)、及び
点E’(-0.1044x2-4.7203x+63.337/0.3836x2-18.386x+233.37/100-R32-R125-1234yf)
を頂点とする四角形の範囲に含まれる組成比を有する混合物４、
（1）-5　20.0重量%＞x≧18.1重量%であり、
（2）-5　R125、1234yf及び134aの濃度（R125の濃度（重量%）／1234yfの濃度（重量%）／134aの濃度（重量%））が、
点B’(-1.0442x+33.87/0.2539x2-14.531x+212.38/100-R32-R125-1234yf)、
点C’(-1.3145x+45.588/-2.4717x+59.031/100-R32-R125-1234yf)、
点F’(-1.258x+39.651/0.0607x2-4.7348x+75.905/100-R32-R125-1234yf)、及び
点E’(-0.8869x+26.126/0.1994x2-11.991x+177.97/100-R32-R125-1234yf)
を頂点とする四角形の範囲に含まれる組成比を有する混合物５、
（1）-6　22.6重量%＞x≧20.0重量%であり、
（2）-6　R125、1234yf及び134aの濃度（R125の濃度（重量%）／1234yfの濃度（重量%）／134aの濃度（重量%））が、
点B’(-0.7733x+28.448/0.0598x2-6.503x+129.46/100-R32-R125-1234yf)、
点C’(-1.157x+40.426/-2.1919x+53.439/100-R32-R125-1234yf)、
点F’(-1.1163x+26.822/0.0721x2-5.1875x+80.404/100-R32-R125-1234yf)、及び
点E’(-0.7733x+25.848/0.1578x2-10.613x+167.02/100-R32-R125-1234yf)
を頂点とする四角形の範囲に含まれる組成比を有する混合物６、
からなる群から選択される一種を含有する組成物。
【請求項４】
フッ素化炭化水素の混合物を含有する組成物であって、
　前記混合物は、R32、R125、1234yf及びR134aのみからなる基本4成分に加えて前記基本4成分とは異なる他の成分を含んでいてもよく、前記混合物中の前記他の成分の含有量は0.5重量%以下であり、
　前記混合物に含まれるフッ素化炭化水素の組成比が、R32、R125、1234yf及びR134aの濃度の総和を100重量%、R32の濃度をx重量%とするとき、R125、1234yf及びR134aの濃度の総和が（100-x）重量%で示される3成分組成図において、
（1）-1　20.0重量%＞x＞17.5重量%であり、
（2）-1　R125、1234yf及び134aの濃度（R125の濃度（重量%）／1234yfの濃度（重量%）／134aの濃度（重量%））が、
点G’は、
18.1重量%＞x≧17.5重量%のときは、
点G’(100-R32-1234yf-R134a/-0.5458x+44.582/-0.4264x+21.031)、
20.0重量%＞x≧18.1重量%のときは、
点G’(100-R32-1234yf-R134a/-0.5277x+44.277/-0.4207x+20.907)、
及び、
点O(-3.1554x+89.013/1.1108x+15.673/100-R32-R125-1234yf)、及び
点P(0.0698x2-4.6141x+93.254/0.1361x2-8.5106x+142.27/100-R32-R125-1234yf)
を頂点とする三角形の範囲に含まれる組成比を有する混合物１、
（1）-2　20.8重量%＞x≧20.0重量%であり、
（2）-2　R125、1234yf及び134aの濃度（R125の濃度（重量%）／1234yfの濃度（重量%）／134aの濃度（重量%））が、
点G’(100-R32-1234yf-R134a/-0.5349x+44.413/-0.4651x+21.787)、
点O(-3.5x+95.9/1.5661x+6.5807/100-R32-R125-1234yf)、及び
点P(-1.75x+63.9/-2.9691x+85.881/100-R32-R125-1234yf)、
を頂点とする三角形の範囲に含まれる組成比を有する混合物２、
（1）-3　x=20.8重量%であり、
（2）-3　R125、1234yf及び134aの濃度（R125の濃度（重量%）／1234yfの濃度（重量%）／134aの濃度（重量%））が、
点G’(100-R32-1234yf-R134a/-0.5349x+44.413/-0.4651x+21.787)、
点O(-2.25x+69.9/0.3629x+31.605/100-R32-R125-1234yf)、及び
点P(-1.75x+63.9/-3.0619x+87.812/100-R32-R125-1234yf)、
を頂点とする三角形の範囲に含まれる組成比を有する混合物３、
からなる群から選択される一種を含有する組成物。
【請求項５】
（削除）
【請求項６】
（削除）
【請求項７】
（削除）
【請求項８】
（削除）
【請求項９】
（削除）
【請求項１０】
　冷凍機油を含有する、請求項３又は４に記載の組成物。
【請求項１１】
　前記冷凍機油が、ポリアルキレングリコール（PAG）、ポリオールエステル（POE）及びポリビニルエーテル（PVE）からなる群より選択される少なくとも1種のポリマーを含有する、請求項１０に記載の組成物。
【請求項１２】
　混合冷媒であるR404A（R125/R134a/R143a=44/4/52重量%）の代替冷媒である、請求項４、１０及び１１に記載の組成物。
【請求項１３】
　HCFC冷媒であるR22の代替冷媒である、請求項３、１０及び１１のいずれかに記載の組成物。
【請求項１４】
　トレーサー、相溶化剤、紫外線蛍光染料、安定剤及び重合禁止剤からなる群より選択される少なくとも1種の物質を含む、請求項３、４及び１０〜１３のいずれかに記載の組成物。
【請求項１５】
　前記組成物が、前記フッ素化炭化水素の混合物のみからなる、請求項３、４、１２及び１３のいずれかに記載の組成物。
【請求項１６】
　請求項３、４及び１０〜１５のいずれかに記載の組成物を用いて冷凍サイクルを運転する工程を含む、冷凍方法。
【請求項１７】
　請求項３、４及び１０〜１５のいずれかに記載の組成物を用いて冷凍サイクルを運転する、冷凍機の運転方法。
【請求項１８】
　請求項３、４及び１０〜１５のいずれかに記載の組成物を含む冷凍機。
【請求項１９】
　冷蔵庫、冷凍庫、冷水機、製氷機、冷蔵ショーケース、冷凍ショーケース、冷凍冷蔵ユニット、冷凍冷蔵倉庫用冷凍機、チラー（チリングユニット）、ターボ冷凍機及びスクリュー冷凍機からなる群から選択される少なくとも1種に使用する、請求項３、４及び１０〜１５のいずれかに記載の組成物。」
第４　取消理由（決定の予告）の概要 
　
　令和元年６月２０日付けの取消理由（決定の予告）において、当審が指摘した取消理由は、下記のとおりである。
　なお、下記取消理由１〜５における本件特許発明及び本件特許の番号は、本件訂正前になされた平成３０年１１月１２日付けの訂正（みなし取下げ）後の請求項の項番号に対応するものである。
　　　　　　　　　　　　　　　　　　
　１　サポート要件：特許法第３６条第６項第１号（同法第１１３条第４号） 
　本件特許発明３〜５、１０〜１４、１６〜１９は、発明の詳細な説明に記載されたものとはいえないから、本件出願は、特許請求の範囲の記載が、特許法第３６条第６項第１号に規定する要件を満たしていない。 
　したがって、本件特許３〜５、１０〜１４、１６〜１９は、同法第１１３条第４号に該当するため、取り消すべきものである。 
　２　実施可能要件：特許法第３６条第４項第１号（同法第１１３条第４号）
　発明の詳細な説明の記載は、当業者が、本件特許発明１２〜１９を実施することができる程度に明確かつ十分に記載されているとはいえないから、本件出願は、発明の詳細な説明の説明が、特許法第３６条第４項第１号に規定する要件を満たしていない。
　したがって、本件特許１２〜１９は、同法第１１３条第４号に該当するため、取り消すべきものである。
　
　３　明確性要件：特許法第３６条第６項第２号（同法第１１３条第４号）
　本件特許発明３、５、１０〜１９は明確ではないから、本件出願は、特許請求の範囲の記載が、特許法第３６条第６項第２号に規定する要件を満たしていない。 
　したがって、本件特許３、５、１０〜１９は、同法第１１３条第４号に該当するため、取り消すべきものである。
 
　４　新規性：特許法第２９条第１項第３号（同法第１１３条第２号）  
　本件特許発明３〜５、１０〜１９は、下記甲１〜５に記載された発明であるから、特許法第２９条第１項第３号に該当し特許を受けることができない。
　したがって、本件特許３〜５、１０〜１９は、同法第１１３条第２号に該当するため、取り消すべきものである。 
  
　５　進歩性：特許法第２９条第２項（同法第１１３条第２号）  
　本件特許発明３〜５、１０〜１９は、下記甲１〜５に記載された発明及び甲１〜９に記載された事項に基づいて当業者が容易に発明をすることができたものであるから、特許法第２９条第２項の規定により特許を受けることができない。  
　したがって、本件特許３〜５、１０〜１９は、同法第１１３条第２号に該当するため、取り消すべきものである。
＜証拠一覧＞ 
　以下では、特許異議申立人が提出した甲第１〜９号証を「甲１」などとした。
（主引例） 
　甲１：特表２０１３−５２９７０３号公報 
　甲２：特表２０１５−５１１２６２号公報 
　甲３：特表２０１２−５０９３９０号公報 
　甲４：特表２０１２−５２６１８２号公報 
　甲５：特表２０１４−５１４４２３号公報
（周知文献） 
　甲６：国際公開第２０１５／１４１６７６号公報 
　甲７：特表２００８−５３１８３６号公報 
　甲８：特表２００７−５３５６１１号公報 
　甲９：特表２０１３−５３０２６５号公報 
　
第５　各取消理由について
　上記の取消理由が、本件訂正後の本件特許発明及び本件特許に対しても当てはまるものであるか否かについて検討したところ、当審は、いずれの取消理由も本件訂正後のものに対しては妥当しないと判断する。
　以下、その理由について詳述する。
　１　取消理由１（サポート要件）について 
　(1) 前提 
　特許請求の範囲の記載が、いわゆるサポート要件に適合するか否かは、特許請求の範囲の記載と発明の詳細な説明の記載とを対比し、特許請求の範囲に記載された発明が、発明の詳細な説明に記載された発明で、発明の詳細な説明の記載及び本件出願時の技術常識により当業者が当該発明の課題を解決できると認識できる範囲のものであるか否かを検討して判断すべきものと解される。 
　そこで、以下、本件特許発明が、「発明の詳細な説明の記載及び技術常識により当業者が当該発明の課題を解決できると認識できる範囲」のものであるか否かについて検討する。 
　(2) 本件特許発明の課題 
　本件特許明細書の発明の詳細な説明の【０００９】によれば、本件特許発明は、少なくとも、「ＧＷＰが小さく、かつＡＳＨＲＡＥ不燃の性能を兼ね備える冷媒組成物を提供すること」を課題とするものと認められる。
　また、同【００１２】には、本件特許発明の効果として、「フッ素化炭化水素の混合物を含有する組成物であって、前記混合物が、ジフルオロメタン（Ｒ３２）、ペンタフルオロエタン（Ｒ１２５）、２，３，３，３テトラフルオロプロペン（１２３４ｙｆ）及び１，１，１，２−テトラフルオロエタン（Ｒ１３４ａ）を特定濃度で含むことにより、１５００以下のＧＷＰ及びＡＳＨＲＡＥ不燃の性能を兼ね備える」ことが記載され、同【００１７】、【００１８】には、「本発明の組成物は、GWPが1500以下であり、かつASHRAE不燃の性能を兼ね備える。GWPは1500以下とすることによって、地球温暖化の観点から他の汎用冷媒と比べて顕著に環境負荷を抑えることができる。また、ASHRAE不燃であることにより、可燃性冷媒に比して安全性が高く使用可能範囲が広い」ことが記載されており、さらに、図面には、ＧＷＰが１５００以下である領域が図示されていることが分かる（【００１３】）。
　そうすると、これらの記載に接した当業者は、上記課題の「ＧＷＰが小さく」とは、ＧＷＰが１５００以下であることを意味すると考えるのが合理的である。
　(3) 発明の詳細な説明の記載と「発明の詳細な説明の記載及び技術常識により当業者が当該発明の課題を解決できると認識できる範囲」について 
　本件特許明細書の発明の詳細な説明には、上記課題に係る１５００以下のＧＷＰの領域及びＡＳＨＲＡＥ不燃となる領域を、実験や「ＲＥＦＰＲＯＰ９．０」（【００６８】参照）なる計算ソフトを用いるなどして画定し、図面を作成した旨記載されているところ、当該画定に供されたフッ素化炭化水素の混合物の成分系は、Ｒ３２、Ｒ１２５、１２３４ｙｆ及びＲ１３４ａの４成分系（以下、「基本４成分」という。）のみである。
　そうすると、当該混合物が、当該基本４成分とは異なる他の成分を含有する場合、例えば当該基本４成分とは異なる他の成分が、混合物の大半を占めるような場合については何ら検証されていないといわざるを得ず、このような場合についてまで、上記課題に係る１５００以下のＧＷＰの領域及びＡＳＨＲＡＥ不燃となる領域に属するか否か、すなわち、当該課題を解決することができるか否かは、当業者といえども、発明の詳細な説明の記載から理解することはできないというべきである。むしろ、当該基本４成分とは異なる他の成分の中には、ＧＷＰが極めて高い化合物や、可燃性の高い化合物が存在することから、これらの化合物が組成物の大半を占める場合に、上記課題が解決できるとは到底いえない。また、当該基本４成分とは異なる他の成分を多分に含有する場合においても上記課題を解決することができることを、ただちに認識するに足りる技術常識は見当たらない。
　したがって、フッ素化炭化水素の混合物に関する「発明の詳細な説明の記載及び技術常識により当業者が当該発明の課題を解決できると認識できる範囲」は、実質的に上記基本４成分である場合に限られると解するのが相当である。
　(4) サポート要件についての当審の判断 
　本件特許発明３、４及びこれらを引用する本件特許発明１０〜１９は、上記第３のとおり、その混合物中の、上記基本４成分とは異なる他の成分の含有量を、０．５重量％以下と規定していることから、当該混合物は、実質的に上記基本４成分から構成されるものということができる。
　したがって、当該発明に係る混合物は、上記(3)において検討した「発明の詳細な説明の記載及び技術常識により当業者が当該発明の課題を解決できると認識できる範囲」内のものと認められるから、これらの発明について特定した請求項３、４、１０〜１９の記載は、サポート要件に適合するものである。
　よって、本件特許請求の範囲の記載に特許法第３６条第６項第１号所定のサポート要件違反は認められないから、同法第１１３条第４号に該当することを理由に、本件特許３、４、１０〜１９を取り消すことはできない。
　２　取消理由２（実施可能要件）について 
　本件特許発明１２、１３は、本件特許発明３、４（さらには冷凍機油を含有する本件特許発明１０、１１）に係る特定の混合物を含有する組成物が、Ｒ４０４ＡないしＲ２２の代替冷媒であることを特定するものである。
　そして、そのような代替冷媒となるには、ＧＷＰ１５００以下やＡＳＨＲＡＥ不燃といった要件のほかに、ＣＡＰ、ＣＯＰ、吐出温度などの諸特性が既存冷媒と同等又はそれ以上であるという要件を満足する必要があるところ、当該混合物が、上記基本４成分のみからなる場合については、本件特許明細書の【表５−５】〜【表５−１１】、【表６−７】〜【表６−１３】の実験データなどからみて、それらの要件を満足するものと解することができる。
　例えば、本件特許発明３の混合物４についていうと、本件特許明細書【０２０５】の【表５−５】には、当該混合物４に属する、ｘ＝１６．１の場合の四角形Ｂ’Ｃ’Ｆ’Ｅ’に関する実験データが記載されているところ、同表の実施例２−３６、２−４１〜２−４３に記載された各頂点の性能（成績係数（対Ｒ２２％）、冷凍能力（対Ｒ２２％）、吐出温度（℃）、吐出圧力（対Ｒ２２％））の数値から、当該四角形Ｂ’Ｃ’Ｆ’Ｅ’の各頂点の組成比を有する混合物は、上記の要件を満足していることが見て取れる。また、基本４成分の組成比と当該性能の数値との関係（基本４成分の組成比が変化した場合の、当該性能の数値の増減傾向）もおおよそ看取できるから（上記表中の各点の性能の数値に加え、特許権者が令和元年８月２６日に提出した意見書の第１１頁に記載された図も参酌した。）、当該四角形Ｂ’Ｃ’Ｆ’Ｅ’の範囲に含まれる組成比を有するものであれば、上記の要件を満足していることが理解できる。
　さらに、本件訂正により、本件特許発明３、４の混合物は、上記基本４成分とは異なる他の成分の含有量が０．５重量％以下と規定され、実質的に基本４成分から構成されるものに限定されることとなったため、当該混合物についても、その効用が検証された基本４成分のみからなる混合物と同様の効用を示すものと解するのが合理的である。
　そうすると、当業者であれば、本件特許明細書の発明の詳細な説明の記載及び本件出願時の技術常識に基づいて、本件特許発明３、４（さらには本件特許発明１０、１１）に係る特定の混合物を含有する組成物を、Ｒ４０４ＡないしＲ２２の代替冷媒として使用することができるものと認められ、当該発明の詳細な説明の記載は、本件特許発明１２及び１３、並びにこれらを引用する本件特許発明１４〜１９を実施することができる程度に明確かつ十分に記載したものであるということができるから、実施可能要件に適合するものである。
　したがって、本件特許明細書の発明の詳細な説明の記載に特許法第３６条第４項第１号所定の実施可能要件違反は認められないから、同法第１１３条第４号に該当することを理由に、本件特許３、４、１０〜１９を取り消すことはできない。
　３　取消理由３（明確性要件）について
　(1) 先の取消理由通知において明確性要件違反を指摘した事項は以下のとおりである。
『請求項４には、混合物１に関する、「点・・・を頂点とする点又は三角形」との記載があるが、当該「点・・・を頂点とする点」の内容が明確でない（３点のうちの、どの点を指すのかが明確でない。）。
　同様に、請求項５には、混合物６に関する、「点・・・を頂点とする五角形又は三角形」との記載があるが、「点・・・を頂点とする三角形」の内容が明確でない（５点のうちの、どの３点を選択した三角形であるのかが明確でない。）。
　これらの請求項を引用する請求項１０〜１９の記載についても同様である。
　したがって、本件特許発明３、５、１０〜１９は明確とはいえず、請求項３、５、１０〜１９の記載は、特許法第３６条第６項第２号の明確性要件に適合するものではない。』
　(2) 上記の指摘事項は、本件訂正において、請求項４における「点・・・を頂点とする点又は三角形」は「点・・・を頂点とする三角形」とされ、また、請求項５は削除されたことにより、解消したものと認められる。
　(3) したがって、本件特許請求の範囲の記載に特許法第３６条第６項第２号所定の明確性要件違反は認められないから、同法第１１３条第４号に該当することを理由に、本件特許３、４、１０〜１９を取り消すことはできない。
　４　取消理由４及び５（新規性・進歩性）について 
　(1) 主引例である甲１〜５の記載事項
　ア　甲１の記載事項
　・「【請求項１】
　ジフルオロメタンと、ペンタフルオロエタンと、１，１，１，２−テトラフルオロエタンと、２，３，３，３−テトラフルオロプロペンとを含む、熱伝達組成物。
【請求項２】
　重量ベースで１％〜９７％のジフルオロメタンと、１％〜９７％のペンタフルオロエタンと、１％〜９７％の１，１，１，２−テトラフルオロエタンと、１％〜９７％の２，３，３，３−テトラフルオロプロペンとを含む、請求項１に記載の熱伝達組成物。
【請求項３】
　重量ベースで約１０％〜３５％のジフルオロメタンと、約１０％〜３５％のペンタフルオロエタンと、約１０％〜６０％の１，１，１，２−テトラフルオロエタンと、約１０％〜６０％の２，３，３，３−テトラフルオロプロペンとを含む、請求項１に記載の熱伝達組成物。
【請求項４】
　重量ベースで約１５％〜３０％のジフルオロメタンと、約１５％〜３０％のペンタフルオロエタンと、約１５％〜４０％の１，１，１，２−テトラフルオロエタンと、約１５％〜４０％の２，３，３，３−テトラフルオロプロペンとを含む、請求項１に記載の熱伝達組成物。」
　・「【請求項２３】
　潤滑剤をさらに含む、請求項１に記載の熱伝達組成物。
【請求項２４】
　前記潤滑剤がポリオールエステル油、ポリグリコール、ポリアルキレングリコール、ポリビニルエーテル、鉱油、アルキルベンゼン油、ポリアルファオレフィン及びその混合物から選択される、請求項２３に記載の熱伝達組成物。」
　・「【背景技術】
【０００２】
　規制上の継続的な圧力に伴って、オゾン層破壊ポテンシャル及び地球温暖化ポテンシャルがより低い冷媒、熱伝達流体、発泡剤、溶媒及びエアロゾルのための環境的により持続可能な代替品を特定する必要性が高まってきている。これらの利用分野のために広く使用されているクロロフルオロカーボン（ＣＦＣ）とヒドロクロロフルオロカーボン（ＨＣＦＣ）は、オゾン層破壊性物質であり、モントリオール議定書のガイドラインにしたがって廃止されつつある。ヒドロフルオロカーボン（ＨＦＣ）は、多くの利用分野におけるＣＦＣ及びＨＣＦＣの主要な代替品である。これはオゾン層に「優しい」ものとみなされているが、それでも一般に高い地球温暖化ポテンシャルを有する。
【０００３】
　例えば、オゾン層破壊ポテンシャル（ＯＤＰ）を有するＨＣＦＣ冷媒であるＲ−２２を代替するためにいくつかのＨＦＣ系冷媒が開発されてきた。これらには、Ｒ−４０４Ａ、Ｒ−４０７Ｃ、Ｒ−４０７Ａ、Ｒ−４１７Ａ、Ｒ−４２２Ｄ、Ｒ−４２７Ａ、Ｒ−４３８Ａ他が含まれる。しかしながら、ＨＦＣ系のＲ−２２代替品の大部分は、Ｒ−２２よりも高い地球温暖化ポテンシャルを有し、しかも同時に性能特性も低下させる。例えばＲ−４０４Ａ及びＲ−４０７Ａは、一部の条件下でＲ−２２よりわずかに高い冷凍能力（ＣＡＰ）を有するものの、性能（ＣＯＰ）はより低いものである可能性がある；Ｒ−４０７Ｃは、わずかに低いＧＷＰを有するが、同様に冷凍の利用分野におけるＣＡＰ及びＣＯＰも低い；他の多くのＲ−２２代替品は、ＧＷＰがより高いものであるばかりでなく、ＣＡＰ及びＣＯＰも低い。図３はＲ２２及びいくつかのＲ−２２代替品のＧＷＰの比較を示している。
【０００４】
　別の制約条件は、大部分のＨＦＣに適切な性能を提供するのに必要な鉱油などの従来の潤滑剤との混和性が欠如しているという点にある。その結果、鉱油の代りにポリオールエステル（ＰＯＥ）油、ポリアルキレングリコール（ＰＡＧ）油、及びポリビニルエーテル（ＰＶＥ）油などの酸素処理された潤滑剤が導入されることになった。これらの新しい潤滑剤は、従来の鉱油潤滑剤に比べてはるかに高価であり得る上に、吸湿性が極めて高い可能性がある。
【０００５】
　鉱油との混和性を改善し、かくして油の戻りを改善する目的で、ブタン、プロパン又はペンタンなどの低沸点炭化水素を少量取込んだＲ−４２２Ｄ及びＲ−４３８Ａなどの複数の冷媒組成物が開発されてきた。しかしながら、米国特許第６，６５５，１６０号明細書及び米国特許第５，６８８，４３２号明細書に教示されているように、安全上の理由から冷媒組成物の可燃性を低下させるために、冷媒組成物中の炭化水素の量を最小限に抑えるべきであるということが認識されてきた。
【０００６】
　Ｒ−２２の代替品として用いるように設計されたＨＦＣ製品の中でも、Ｒ−４０７Ｃは特に、空調の利用分野においてＲ−２２に代替するために開発されてきた。この製品は、Ｒ３２、Ｒ−１２５及びＲ−１３４ａを２３／２５／５２重量％の割合で組合せた混合物である。Ｒ−３２は、ジフルオロメタンを表わし、Ｒ−１２５はペンタフルオロエタンを表わし、Ｒ−１３４ａは１，１，１，２−テトラフルオロエタンを表わす。Ｒ−４０７Ｃは、Ｒ−２２の熱力学特性と非常に類似した熱力学特性を有する。この理由から、Ｒ−４０７Ｃは、Ｒ−２２を用いて作動するように設計された旧システムにおいて使用可能であり、したがって、これらの旧システムを転換させるための手順の中で成層圏オゾン層に関してより安全であるＨＦＣ流体をＨＣＦＣに代って使用することが可能になる。関係する熱力学特性は、当業者にとって周知であり、詳細には、冷凍能力、性能係数（つまりＣＯＰ）及び凝縮圧力である。
【０００７】
　冷凍能力は、所与の圧縮機に対して冷媒が提供する冷凍力を表わす。Ｒ−２２の代替品となるためには、Ｒ−２２のものに近い高い冷凍能力を有する流体を入手することが不可欠である。
【０００８】
　ＣＯＰは、蒸気状態の冷媒を圧縮するために圧縮機に適用されるエネルギーに対する送出された冷凍エネルギーの比を表わしている。Ｒ−２２の代替品に関しては、プラントの電力消費量の増加が許容される場合、Ｒ−２２のものより低い冷媒ＣＯＰ値が好適である。
【０００９】
　最後に、凝縮圧力は、冷凍回路の対応する機械的部分に対して冷媒が及ぼす応力を表わす。Ｒ−２２用に設計された冷凍システム内でＲ−２２の代替品となり得る冷媒は、Ｒ−２２のものよりも有意に大きい凝縮圧力を示してはならない。
【発明の概要】
【課題を解決するための手段】
【００１０】
　本発明においては、低いＧＷＰのみならず能力と性能の間の予想外に優れた平衡を有する熱伝達組成物が発見された。好ましくは、本発明の熱伝達組成物は低い可燃性を有し、より好ましくは本発明の熱伝達組成物は不燃性であり、さらに一層好ましくは、本発明の熱伝達組成物は不燃性でかつさまざまな漏洩シナリオの後でも不燃性であり続け、さらに一層好ましくは、ＡＳＨＲＡＥ　ＳＳＰＣ３４にしたがった不燃性を有する。本発明の別の実施形態は、Ｒ−４２２Ｄなどの少量の炭化水素を取込んだものを含め、熱伝達装置内においてＨＦＣ冷媒に比べ改善された油の戻り特性を有する冷媒組成物である。いかなる形であれ本発明の範囲を限定することは意図されていないものの、本発明の熱伝達組成物は、新規の冷凍、空調、ヒートポンプ又は他の熱伝達装置において有用である。別の実施形態において、本発明の熱伝達組成物は、Ｒ−２２、Ｒ−４０７Ｃ、Ｒ−４２７Ａ、Ｒ−４０４Ａ、Ｒ−４０７Ａ、Ｒ−４１７Ａ、Ｒ−４２２Ｄ他を含む（ただしこれらに限定されない）既存の装置内の冷媒のためのレトロフィットとして有用である。」
　・「【００１９】
　本発明の熱伝達組成物は、既存の冷媒、特により高いオゾン層破壊ポテンシャル（ＯＤＰ）又はより高い地球温暖化ポテンシャル（ＧＷＰ）を有する冷媒の代替品として使用することができる。・・・一実施形態において、本発明の熱伝達組成物はＲ−２２又はＲ−４０４Ａの代替品として使用でき、好ましくはここで本発明の熱伝達組成物は、約１０ｗｔ％〜５０ｗｔ％のＲ−３２、より好ましくは約１０ｗｔ％〜３０ｗｔ％のＲ−３２を含む。
【００２０】
　本発明の一実施形態において、本発明の熱伝達組成物は、５ｗｔ％〜４０ｗｔ％のＲ−３２、５ｗｔ％〜４０ｗｔ％のＲ−１２５、５ｗｔ％〜６０ｗｔ％のＲ−１３４ａ、及び５ｗｔ％〜７５ｗｔ％のＲ−１２３４ｙｆを含み、好ましくはここでＲ１２３４ｙｆとＲ−１３４ａの組合せ合計は３０ｗｔ％〜８０ｗｔ％である。本発明の別の実施形態において、これらの熱伝達組成物は、Ｒ−２２の代替品として特に有用である。」
　・「【００２６】
　本発明の範囲を何らかの形で限定することが意図されているわけではないが、Ｒ−２２及びＲ−４０４Ａの代替品として使用するための本発明の熱伝達組成物の実施例が表１に示されている。
【００２７】
【表１】
【００２８】
　本発明の範囲を何らかの形で限定することが意図されているわけではないが、Ｒ−２２の代替品として使用するための本発明の熱伝達組成物の実施例が表２に示されている。
【００２９】
【表２ー１】
【００３０】
【表２ー２】
【００３１】
【表２ー３】
」
　・「【００４１】
　本発明の一実施形態は、低いＧＷＰ値を伴う熱伝達組成物であり、好ましくはここで、ＧＷＰは２０００未満、より好ましくは１５００未満、より好ましくは１４００未満そしてさらに一層好ましくは１０００未満である。」
　・「【００４３】
　本発明の熱伝達組成物は、潤滑油と組合せて使用されてよい。例示的潤滑油には、ポリオールエステル、ポリアルキレングリコール、ポリグリコール、ポリビニルエーテル、鉱油、アルキルベンゼン油、ポリアルファオレフィン及びその混合物が含まれる。本発明の潤滑油は、極低粘度のものから高粘度のものまであり、好ましくは１００°Ｆで１５〜８００ｃＳｔ、そしてより好ましくは２０〜１００ｃＳｔの粘度を有する。本発明において使用される典型的な冷凍用潤滑油は、１００°Ｆで１５、３２、６８及び１００ｃＳｔの粘度を有していた。」
　・「【００６４】
　本発明の熱伝達組成物は、染料、安定剤、酸スカベンジャー、酸化防止剤、粘度調整剤、流動点降下剤、腐食防止剤、ナノ粒子、界面活性剤、相溶化剤、可溶化剤、分散剤、難燃剤、火炎抑制剤、製剤、滅菌剤、ポリオール、ポリオールプレミックス構成成分、化粧品、洗浄剤、フラッシング剤、消泡剤、油、着臭剤、トレーサー化合物及びその混合物と組合せた形で使用されてよい。」
　・「【００６７】
　本発明の範囲を何らかの形で限定することが意図されているわけではないが、本発明の熱伝達組成物は、新規の冷凍、空調、ヒートポンプ又は他の熱伝達装置において有用である。別の実施形態において、本発明の熱伝達組成物は、Ｒ−２２、Ｒ−４０７Ｃ、Ｒ−４２７Ａ、Ｒ−４０４Ａ、Ｒ−４０７Ａ、Ｒ−４１７Ａ、Ｒ−４２２Ｄ他を含めた（ただしこれらに限定されない）既存の装置内の冷媒に対するレトロフィットとして有用である。本発明の熱伝達組成物を既存の装置内の他の冷媒に対するレトロフィットとして使用する場合、圧力、吐出温度、質量流量などの作動特性が、代替される冷媒の作動特性と類似したものであることが好ましい。さらに一層好ましい実施形態において、本発明の熱伝達組成物は、熱膨張弁（ＴＸＶ）の交換など、装置に追加の変更を加える必要性を回避するため代替される冷媒に充分近い作動特性を有している。」
　・「【００７２】
　本発明の熱伝達組成物は、可動又は固定システム内で有用である。固定型空調及びヒートポンプとしては、冷却装置、高温ヒートポンプ、住宅用及び軽商業及び商業用空調システムが含まれるが、これらに限定されない。固定型冷凍利用分野としては、家庭用冷蔵庫、製氷機、ウォークイン及びリーチインクーラー及び冷凍庫等の設備及びスーパーマーケットシステムが含まれるが、これらに限定されない。本明細書中で使用される可動冷凍システム又は可動空調システムは、道路、鉄道、海上又は航空用輸送ユニット内に内蔵されるあらゆる冷凍又は空調器具を意味する。本発明は、自動車の空調器具又は冷凍式道路輸送設備などの、道路輸送用冷凍又は空調器具のために特に有用である。」
　・「【実施例】
【００９６】
実施例１
　高圧シリンダに、２１ｗｔ％のＲ−３２（ジフルオロメタン）、２５ｗｔ％のＲ−１２５（ペンタフルオロエタン）、２２ｗｔ％のＲ−１２３４ｙｆ（２，３，３，３−テトラフルオロプロペン）及び３２ｗｔ％のＲ−１３４ａ（１，１，１，２−テトラフルオロエタン）を含む組成物を添加した。その後、シリンダの内容物の液体及び蒸気画分をガスクロマトグラフィによって分析して、組成を決定した。組成物は表６に示され、組成物の各々は、不燃性であるか又は非常に低い可燃性特性を有する。
【００９７】
【表６】
【００９８】
実施例：冷凍装置の試験
　空調及び冷凍装置の試験向けに設計された並列断熱チャンバで構成される環境的に制御された施設内で、装置の試験を実施した。各チャンバは、広範囲の環境条件下でフルスケールＨＶＡＣＲシステムの性能を特徴づけする目的で、温度、湿度及び空気流を調節するために独立した制御システムを使用している。中乃至低温のウォークインクーラータイプＲ−２２冷凍システムに制御システムを設置した。このシステムは、整合したＢｏｈｎ蒸発器とＳｐｏｒｌａｎ恒温膨張弁を伴う１−１／２ＨＰの半密封Ｃｏｐｅｌａｎｄ圧縮機で駆動される。システム内の主要箇所における冷媒状態を判定するため全体にわたって圧力トランスジューサ及び抵抗温度検出器を設置する。冷媒流量を測定するためにはＣｏｒｉｏｌｉｓ計を使用し、一方システム及びその構成要素の電力消費量を測定するためには、電力計を使用する。最後に、圧縮機点検窓内のオイルのレベルを遠隔監視するためには、ビデオカメラを使用する。
【００９９】
　システム性能を、さまざまなシステム条件において評価することができた。冷媒の熱力学特性とシステム条件の測定値を用いて、運転の後に、能力（ＣＡＰ）と性能（ＣＯＰ）の値を計算した。圧縮機点検窓内の液面を監視することによって、油の戻りを評価し、ＯＥＭのガイドライン内にとどまる安定した運転時液面を生じさせた冷媒／油の組合せを合格とみなした。
【０１００】
　非混和性又は部分混和性の潤滑剤を用いるシステム内の油ロギング（ｏｉｌ　ｌｏｇｇｉｎｇ）も同様に、非混和性又は部分混和性の潤滑剤を使用した場合の冷媒の性能及び作動条件（例えば温度、圧力、流速）と、混和性潤滑剤を使用した場合の性能及び作動条件とを比較することによって、推測することができた。
・・・
【０１０６】
実施例７
　冷媒が約２１重量％のＲ−３２、２５重量％のＲ−１２５、２２重量％のＲ−１２３４ｙｆ及び３２重量％のＲ−１３４ａの配合物（実施例７）であったという点を除いて、比較例３の場合と同様に冷凍システムを作動させた。全ての条件において、充分な油の戻りがあった。各々のボックス温度について、Ｒ−２２に比べた能力及びＣＯＰが表７に示されている。
【０１０７】
　図１は、Ｒ−４０７ＣのＣＡＰとの関係におけるＲ−４２２Ｄ、Ｒ−４２７Ａ、Ｒ−４３８Ａ及び、実施例７のＣＡＰの比較を示す。実施例７の能力は、試験対象の全ての条件において、特により低いボックス温度において、他のＲ−２２代替品の能力よりも大きかった。
【０１０８】
　図２は、Ｒ−４０７ＣのＣＯＰとの関係におけるＲ−４２２Ｄ、Ｒ−４２７Ａ、Ｒ−４３８Ａ及び実施例７のＣＯＰの比較を示す。実施例７のＣＯＰは、２５°Ｆ及び５０°Ｆのボックス温度でＲ−４２２Ｄのものよりも有意に高く、Ｒ−４０７Ｃ、Ｒ−４３８Ａ及びＲ−４２７ＡのＣＯＰに近いものであった。０°Ｆのボックス温度で、実施例７はＲ−４０７Ｃ、Ｒ−４２７Ａ、Ｒ−４３８Ａ又はＲ−４２２Ｄよりも大きいＣＯＰを有していた。
【０１０９】
　図３は、Ｒ−２２、実施例７及び、比較例３、４、５及び６のものを含めた数多くのＲ−２２レトロフィットについての計算上のＧＷＰを示す。実施例７のＧＷＰは、Ｒ−４０７Ｃ又はＲ−２２のものよりも１７％〜１８％低く、Ｒ−４２２Ｄのものよりも約４５％低いものである。
【０１１０】
【表７】
」
　・「【０１１４】
実施例１０：性能データ
　冷凍及び空調条件下での本発明の熱伝達組成物の性能データは、表８、９及び１０に示されている。表８中、結果は、Ｒ−２２、Ｒ−４０４Ａ及びＲ−４０７Ｃに比較したものである。表９では、結果はＲ−１３４ａに比較されている。表１０は、結果はＲ−４１０Ａに比較されている。各組成物についての構成成分（Ｒ−１２３４ｙｆ、Ｒ−３２、Ｒ−１３４ａ、Ｒ−１２５）の値は、重量百分率として示されている。
【０１１５】
　結果は以下の条件に基づくものである。
【０１１６】
【表８】
【０１１７】
　圧縮機等エントロピー効率は、作動条件における圧縮比の計算された関数であり、Ｓ．Ｋ．Ｗａｎｇ、「Ｈａｎｄｂｏｏｋ　ｏｆ　ａｉｒ　ｃｏｎｄｉｔｉｏｎｉｎｇ　ａｎｄ　ｒｅｆｒｉｇｅｒａｔｉｏｎ」、２nd　ｅｄ．ＭｃＧｒａｗ　Ｈｉｌｌ（２０００）；及び２００４　ＡＳＨＲＡＥ　Ｈａｎｄｂｏｏｋ：ＨＶＡＣ　Ｓｙｓｔｅｍｓ　ａｎｄ　Ｅｑｕｉｐｍｅｎｔ中のデータにしたがって決定された。システムは内部熱交換器を有し、蒸発器及び凝縮器は、逆流モードにある。
【０１１８】
　Ｔｅｖａｐ−ｏｕｔは、蒸発器の出口温度である。Ｔｃｏｍｐ−ｏｕｔは、圧縮器の出口温度である。Ｐｅｖａｐは、蒸発器圧力である。Ｐｃｏｎｄは、凝縮器圧力である。ＣＡＰは能力であり、表８ではＲ−２２、表９ではＲ−１３４ａそして表１０ではＲ−４１０Ａの能力との関係において表わされている。％−ＣＯＰ／ＣＯＰ−Ｌは、ローレンツ成績係数との関係における成績係数である。
【０１１９】
【表９ー１】
 【０１２０】
【表９ー２】
【０１２１】
【表９ー３】
 」
　イ　甲２の記載事項 
　・「【請求項１】
　ａ．２０質量パーセント〜２５．５質量パーセントのＨＦＯ−１２３４ｙｆと、
　ｂ．２０質量パーセント〜２４．５質量パーセントのＨＦＣ−３２と、
　ｃ．２４．５質量パーセント〜３０質量パーセントのＨＦＣ−１２５と、
　ｄ．２５．５質量パーセント〜３０質量パーセントのＨＦＣ−１３４ａと、
　ｅ．約０．０００１質量パーセント〜約１０質量パーセントのトランス−ＨＦＯ−１２３４ｚｅと
から本質的になる非引火性冷媒混合物。
・・・
【請求項４】
　（ｉ）非引火性冷媒成分と、任意選択で
　（ｉｉ）非冷媒成分と
からなる組成物であって、前記冷媒成分が請求項１に記載の非引火性冷媒混合物である組成物。
【請求項５】
　前記冷媒成分が、
　ａ．２３質量パーセント〜２５．５質量パーセントのＨＦＯ−１２３４ｙｆと、
　ｂ．２２質量パーセント〜２４．５質量パーセントのＨＦＣ−３２と、
　ｃ．２４．５質量パーセント〜２７質量パーセントのＨＦＣ−１２５と、
　ｄ．２５．５質量パーセント〜２８質量パーセントのＨＦＣ−１３４ａと、
　ｅ．約０．０００１質量パーセント〜約５質量パーセントのトランス−ＨＦＯ−１２３４ｚｅと
から本質的になる、請求項４に記載の組成物。
【請求項６】
　前記非冷媒成分が存在し、潤滑剤、色素（ＵＶ色素を含む）、可溶化剤、相溶化剤、安定剤、トレーサー、ペルフルオロポリエーテル、摩耗防止剤、極圧添加剤、腐食および酸化防止剤、金属表面エネルギー低下剤、金属表面不活性化剤、フリーラジカル捕捉剤、発泡調節剤、粘度指数改善剤、流動点降下剤、洗剤、粘度調整剤、ならびにこれらの混合物からなる群から選択される、請求項４に記載の組成物。
【請求項７】
　前記非冷媒成分が、鉱油、アルキル置換芳香族化合物、アルキルベンゼン、合成パラフィンおよびナフテン、ポリ（アルファオレフィン）、ポリグリコール、ポリアルキレングリコール、二塩基酸エステル、ポリエステル、ポリオールエステル、ネオペンチルエステル、ポリビニルエーテル、ペルフルオロポリエーテル、シリコーン、ケイ酸エステル、フッ素化化合物、リン酸エステル、ポリカーボネートおよびこれらの混合物からなる群から選択される潤滑剤である、請求項６に記載の組成物。
・・・
【請求項１８】
　Ｒ−４０４ＡおよびＲ−５０７からなる群から選択される冷媒を置換するための方法であって、請求項１に記載の冷媒混合物または請求項４に記載の組成物を冷凍装置に充填することを含む方法。」
　・「【背景技術】
【０００２】
　冷凍産業では、過去数十年の間、モントリオール議定書（Ｍｏｎｔｒｅａｌ　Ｐｒｏｔｏｃｏｌ）の結果として段階的に廃止されつつある、オゾン層を破壊するクロロフルオロカーボン（ＣＦＣ）およびハイドロクロロフルオロカーボン（ＨＣＦＣ）の代替冷媒を見出す努力がなされてきた。ほとんどの冷媒製造業者にとっての解決法は、ハイドロフルオロカーボン（ＨＦＣ）冷媒の商業化であった。現時点で最も広く使用されている新しいＨＦＣ冷媒のＨＦＣ−１３４ａはオゾン層破壊係数がゼロであり、従って、モントリオール議定書の結果としての現規制の段階的廃止による影響を受けない。
【０００３】
　さらなる環境規制により、最終的には、特定のＨＦＣ冷媒の世界的な段階的廃止へと至り得る。現在、産業界は、移動空調で使用される冷媒についての地球温暖化係数（ＧＷＰ）に関する規制に直面している。将来的に規制がより広く適用されれば、例えば固定空調および冷凍システムでは、冷凍および空調産業の全ての分野で使用することができる冷媒に対してさらにより大きい必要性が感じられるであろう。ＧＷＰに関連する最終的な規制要件についての不確実性によって、産業界は、複数の候補化合物および混合物を考慮することを強いられている。
【０００４】
　これまで提案されたＨＦＣ冷媒および冷媒ブレンドの代替冷媒としては、ＨＦＣ−１５２ａ、純粋な炭化水素（例えば、ブタンまたはプロパンなど）、または「天然」冷媒（例えば、ＣＯ２など）が挙げられる。これらの提案された代替品のそれぞれは毒性、引火性、低エネルギー効率を含む問題を有するか、あるいは大きな装置設計の変更を必要とする。また、とりわけＨＣＦＣ−２２、Ｒ−１３４ａ、Ｒ−４０４Ａ、Ｒ−５０７、Ｒ−４０７ＣおよびＲ−４１０Ａに対して、新しい代替品も提案されている。ＧＷＰに関連して最終的にどんな規制要件が採用されるかについての不確実性によって、産業界は、低ＧＷＰ、非引火性に対する必要性と現存のシステム性能パラメータとのバランスをとる複数の候補化合物および混合物を考慮することを強いられている。
【０００５】
　テトラフルオロプロペン、ジフルオロメタン、ペンタフルオロエタンおよびテトラフルオロエタンを含む特定の組成物は、現在使用されているＧＷＰのより高い冷媒、特にＲ−４０４ＡおよびＲ５０７の代替品としてのその使用を可能にする適切な特性を有することが見出された。」
　・「【００５３】
　いくつかの実施形態では、本明細書に開示される組成物中の任意選択の非冷媒成分（本明細書では添加剤とも呼ばれる）は、潤滑剤、色素（ＵＶ色素を含む）、可溶化剤、相溶化剤、安定剤、トレーサー、ペルフルオロポリエーテル、摩耗防止剤、極圧添加剤、腐食および酸化防止剤、金属表面エネルギー低下剤、金属表面不活性化剤、フリーラジカル捕捉剤、発泡調節剤、粘度指数改善剤、流動点降下剤、洗剤、粘度調整剤、ならびにこれらの混合物からなる群から選択される１つまたは複数の成分を含むことができる。実際には、これらの任意選択の非冷媒成分の多くはこれらのカテゴリーの１つまたは複数に当てはまり、１つまたは複数の性能特性を達成するために役立つ性質を有し得る。
・・・
【００５６】
　いくつかの実施形態は、１つまたは複数の合成潤滑剤を含有することができる。いくつかの実施形態では、合成潤滑剤は、アルキル置換芳香族化合物（線状アルキル基、分枝状アルキル基、または線状および分枝状アルキル基の混合物によって置換されたベンゼンまたはナフタレンなどであり、一般的にアルキルベンゼンと称されることが多い）、合成パラフィンおよびナフテン、ポリ（αオレフィン）、ポリグリコール（ポリアルキレングリコールを含む）、二塩基酸エステル、ポリエステル、ポリオールエステル、ネオペンチルエステル、ポリビニルエーテル（ＰＶＥ）、ペルフルオロポリエーテル（ＰＦＰＥ）シリコーン、ケイ酸エステル、フッ素化化合物、リン酸エステル、ポリカーボネートならびにこれらの混合物（この段落で開示される潤滑剤のいずれかの混合物を意味する）からなる群から選択される。」
　・「【００９５】
　いくつかの実施形態では、本明細書に開示される冷媒混合物は、特に、中温または低温の冷凍を含む冷凍用途において有用であり得る。中温冷凍システムは、飲料、乳製品、生鮮食品輸送および冷凍を必要とする他の品目のためのスーパーマーケットおよびコンビニエンスストアの冷凍ケースを含む。低温冷凍システムは、スーパーマーケットおよびコンビニエンスストアの冷凍キャビネットおよびディスプレイ、製氷機、ならびに冷凍食品輸送を含む。他の特定の使用は、商業用、工業用または住宅用の冷蔵庫および冷凍庫、製氷機、内蔵型クーラーおよび冷凍庫、スーパーマーケットのラックおよび分配システム、ウォークインおよびリーチインクーラーおよび冷凍庫、ならびに組み合わせシステムにおけるものであり得る。特に注目すべきは、本発明の組成物を含有する低温冷凍システムである。」
　・「【００９７】
　本明細書に開示される組成物は、Ｒ４０４Ａ（４４質量パーセントのＲ１２５、５２質量パーセントのＲ１４３ａ（１，１，１−トリフルオロエタン）、および４．０質量パーセントのＲ１３４ａのブレンドに対するＡＳＨＲＡＥ名称）およびＲ５０７（５０質量パーセントのＲ１２５および５０質量パーセントのＲ１４３ａのブレンドに対するＡＳＨＲＡＥ名称）を含む現在使用されている冷媒に対する低ＧＷＰ（地球温暖化係数）代替品として有用であり得る。
【００９８】
　多くの場合、代替冷媒は、異なる冷媒のために設計された元の冷凍装置において使用可能であれば最も有用である。さらに、本明細書に開示される組成物は、Ｒ４０４ＡまたはＲ５０７のために設計されたいくらかのシステム修正を有する装置において、Ｒ４０４ＡまたはＲ５０７に対する代替品として有用であり得る。さらに、ＨＦＯ−１２３４ｙｆ、ＨＦＣ−３２、ＨＦＣ−１２５、ＨＦＣ−１３４ａ、および任意選択でＨＦＯ−１２３４ｚｅを含む本明細書に開示される組成物は、ＨＦＯ−１２３４ｙｆ、ＨＦＣ−３２、ＨＦＣ−１２５、ＨＦＣ−１３４ａ、および任意選択でＨＦＯ−１２３４ｚｅを含むこれらの新しい組成物のために特別に修正されるか、あるいは完全にこれらの新しい組成物のために製造された装置において、Ｒ４０４ＡまたはＲ５０７を置換するために有用であり得る。」
　・「【０１２０】
実施例１
蒸気漏出の影響
　表示された温度で初期組成物を容器の９０％まで充填し、組成物の初期蒸気圧を測定する。初期組成物の５０質量パーセントが除去されるまで、温度を一定に保持しながら組成物を容器から漏出させ、その時点で、容器内に残存する組成物の蒸気圧を測定する。蒸気圧の変化は表１に記載される。
【０１２１】
【表１】
【０１２２】
　本発明によって定義される組成物は、組成物の５０％が漏出した後に蒸気圧の変化が１０％未満であるため、共沸混合物様であることが分かる。
【０１２３】
実施例２
引火性
　引火性混合物は、ＡＳＴＭ（米国材料試験協会）Ｅ６８１−０４に基づき、電子点火源を用いて試験することによって同定され得る。このような引火性試験を冷媒混合物において５０パーセント相対湿度で行った。
【０１２４】
　引火限界（ｆｌａｍｍａｂｉｌｉｔｙ　ｂｏｕｎｄａｒｙ）を決定するために、９０％の液体が充填された容器について、−３６℃（ＡＳＨＲＡＥ　Ｓｔａｎｄａｒｄ　３４において指定されるように泡立ち点よりも１０度高い）において液相および蒸気相の両方で、２つの冷媒混合物の引火性を決定した。組成物は、ＨＦＯ−１２３４ｙｆ／ＨＦＣ−３２／ＨＦＣ−１２５／ＨＦＣ−１３４ａを表２に示される濃度で含有した。
【０１２５】
【表２】
【０１２６】
　明らかに、約２４．５質量パーセントよりも多いＨＦＣ−３２および約２４．５質量パーセントよりも少ないＨＦＣ−１２５を有する組成物は、引火性冷媒に分類されるであろう。
【０１２７】
実施例３
冷凍性能
　表３は、Ｒ−４０４Ａと比較して、いくつかの例示的な組成物の性能を示す。表３において、Ｅｖａｐ　Ｔｅｍｐは蒸発器温度であり、Ｅｖａｐ　Ｐｒｅｓは蒸発器圧力であり、Ｃｏｎｄ　Ｐｒｅｓは凝縮器圧力であり、Ｃｏｍｐｒ　Ｅｘｉｔ　Ｔｅｍｐは圧縮器出口温度（圧縮器排出温度と呼ばれることもある）であり、ＣＯＰは性能係数（エネルギー効率と類似）であり、ＣＡＰは冷却容積である。データは以下の条件に基づく。
　凝縮器温度　　４０℃
　過冷却量　　　１０Ｋ
　圧縮器効率は７５％である。
【０１２８】
【表３】
【０１２９】
　結果は、本発明の組成物がＲ−４０４Ａに匹敵する冷却容量を提示することを示し、このことは、これらの組成物が現存のＲ−４０４Ａシステムを改造するのに適切であり得るか、あるいは新しい冷凍システムにおいて有用であり得ることも実証する。組成物は、Ｒ−４０４Ａよりも高いエネルギー効率も示す。
【０１３０】
実施例４
冷凍性能
　表４は、Ｒ４０４Ａおよび比較例（Ａ）および（Ｂ）と比較して、いくつかの例示的な組成物の性能を示す。表４において、Ｅｖａｐ　Ｐｒｅｓは蒸発器圧力であり、Ｃｏｎｄ　Ｐｒｅｓは凝縮器圧力であり、Ｃｏｍｐｒ　Ｅｘｉｔ　Ｔｅｍｐは圧縮器出口温度（圧縮器排出温度と呼ばれることもある）であり、ＣＯＰは性能係数（エネルギー効率と類似）であり、ＣＡＰは冷却容積である。データは以下の条件に基づく。
　蒸発器温度　　　　−１０℃
　戻りガス温度　　　１０℃
　凝縮器温度　　　　４０℃
　過冷却量　　　　　１０Ｋ
　圧縮器効率は７５％である。
【０１３１】
【表４】
【０１３２】
　結果は、本発明の組成物が、Ｒ−４０４Ａに対して改善されたエネルギー効率を提供することを示す。さらに、本発明の組成物は、Ｒ−４０４Ａのわずか数パーセント以内の冷却容量を提供する。比較例（Ｂ）は他の組成物の冷却容量には程遠いことに注目されたい。また、比較例（Ａ）は同様の冷却性能を提供するが、より高い圧縮器出口温度を示すことにも注目されたい。圧縮器温度がより高いと、圧縮器寿命の低減が予想され、従って、システムの運転コストが増大する。」
　ウ　甲３の記載事項（下線は当審が付したもの）
・「【請求項１】
　ＨＦＯ−１２３４ｙｆ、ＨＦＣ−１５２ａ、およびＨＦＣ−１３４ａ；
　ＨＦＯ−１２３４ｙｆ、ＨＦＣ−１２５、およびＨＦＣ−１５２ａ；
　ＨＦＯ−１２３４ｙｆ、ＨＦＣ−１２５、およびＨＦＣ−１３４ａ；
　ＨＦＯ−１２３４ｙｆ、ＨＦＣ−３２、およびＨＦＣ−１３４ａ；
　
ＨＦＯ−１２３４ｙｆ、ＨＦＣ−３２、ＨＦＣ−１２５、およびＨＦＣ−１３４ａ；
　ＨＦＯ−１２３４ｚｅおよびＨＦＣ−３２；
　ＨＦＯ−１２３４ｚｅおよびＨＦＣ−１２５；
　ＨＦＯ−１２３４ｚｅ、ＨＦＣ−１２５、およびＨＦＣ−１５２ａ；
　ＨＦＯ−１２３４ｚｅ、ＨＦＣ−１２５、およびＨＦＣ−１３４ａ；
　ＨＦＯ−１２３４ｚｅ、ＨＦＣ−３２、およびＨＦＣ−１３４ａ；ならびに
　ＨＦＯ−１２３４ｚｅ、ＨＦＣ−３２、ＨＦＣ−１２５、およびＨＦＣ−１３４ａ；
を含む組成物からなる群から選択される組成物。
・・・
【請求項３】
　約１質量パーセント〜約９８質量パーセントのＨＦＯ−１２３４ｙｆ、約１質量パーセント〜約９８質量パーセントのＨＦＣ−１５２ａ、および約１質量パーセント〜約９８質量パーセントのＨＦＣ−１３４ａ；
　約１質量パーセント〜約９８質量パーセントのＨＦＯ−１２３４ｙｆ、約１質量パーセント〜約９８質量パーセントのＨＦＣ−１５２ａ、および約１質量パーセント〜約９８質量パーセントのＨＦＣ−１２５；
　約１質量パーセント〜約９８質量パーセントのＨＦＯ−１２３４ｙｆ、約１質量パーセント〜約９８質量パーセントのＨＦＣ−１２５、および約１質量パーセント〜約９８質量パーセントのＨＦＣ−１３４ａ；
　約１質量パーセント〜約９８質量パーセントのＨＦＯ−１２３４ｙｆ、約１質量パーセント〜約４質量パーセントのＨＦＣ−３２、および約１質量パーセント〜約９８質量パーセントのＨＦＣ−１３４ａ；
　約１質量パーセント〜約５５重量パーセントのＨＦＯ−１２３４ｙｆ、約４５質量パーセント〜約９８質量パーセントのＨＦＣ−３２、および約１質量パーセント〜約５５質量パーセントのＨＦＣ−１３４ａ；
　約１質量パーセント〜約９７質量パーセントのＨＦＯ−１２３４ｙｆ、約１質量パーセント〜約９７質量パーセントのＨＦＣ−１３４ａ、約１質量パーセント〜約９７質量パーセントのＨＦＣ−１２５、および約１質量パーセント〜約５質量パーセントのＨＦＣ−３２；
　
約１質量パーセント〜約３５質量パーセントのＨＦＯ−１２３４ｙｆ、約１質量パーセント〜約４０質量パーセントのＨＦＣ−１３４ａ、約３０〜７８質量パーセント〜約９７質量パーセントのＨＦＣ−１２５、および約６質量パーセント〜約３９質量パーセントのＨＦＣ−３２；
　約１質量パーセント〜約５０質量パーセントのＨＦＯ−１２３４ｙｆ、約１質量パーセント〜約４０質量パーセントのＨＦＣ−１３４ａ、約１質量パーセント〜約５０質量パーセントのＨＦＣ−１２５、および約４０質量パーセント〜約９７質量パーセントのＨＦＣ−３２；
を含む近共沸組成物を含む、請求項１に記載の組成物。
・・・
【請求項８】
　鉱油、アルキルベンゼン、合成パラフィン、合成ナフテン、ポリαオレフィン、ポリアルキレングリコール、二塩基酸エステル、ポリエステル、ネオペンチルエステル、ポリビニルエーテル、シリコーン、ケイ酸エステル、フッ素化化合物、リン酸エステルおよびこれらの混合物からなる群から選択される少なくとも１つの滑剤をさらに含む、請求項１に記載の組成物。
・・・
【請求項１１】
　Ｒ１２、Ｒ１３４ａ、Ｒ２２、Ｒ４０４Ａ、Ｒ４０７Ａ、Ｒ４０７Ｃ、Ｒ４０８Ａ、Ｒ４１０Ａ、Ｒ４１３Ａ、Ｒ４１７Ａ、Ｒ４１９Ａ、Ｒ４２２Ａ、Ｒ４２２Ｂ、Ｒ４２２Ｃ、Ｒ４２２Ｄ、Ｒ４２３Ａ、Ｒ４２４Ａ、Ｒ４２６Ａ、Ｒ４２８Ａ、Ｒ４３０Ａ、Ｒ４３４Ａ、Ｒ４３７Ａ、Ｒ４３８Ａ、Ｒ５０２、Ｒ５０７Ａ、Ｒ５０７Ｂ、およびＲ５０８を使用するシステム、これらを使用したシステム、またはこれらを使用するように設計されたシステムにおいて、Ｒ１２、Ｒ１３４ａ、Ｒ２２、Ｒ４０４Ａ、Ｒ４０７Ａ、Ｒ４０７Ｃ、Ｒ４０８Ａ、Ｒ４１０Ａ、Ｒ４１３Ａ、Ｒ４１７Ａ、Ｒ４１９Ａ、Ｒ４２２Ａ、Ｒ４２２Ｂ、Ｒ４２２Ｃ、Ｒ４２２Ｄ、Ｒ４２３Ａ、Ｒ４２４Ａ、Ｒ４２６Ａ、Ｒ４２８Ａ、Ｒ４３０Ａ、Ｒ４３４Ａ、Ｒ４３７Ａ、Ｒ４３８Ａ、Ｒ５０２、Ｒ５０７Ａ、Ｒ５０７Ｂ、およびＲ５０８を置換するための方法であって、請求項１に記載の組成物を該システムに提供することを含む、上記方法。」
　・「【００４９】
【表１】
」
　・「【００５７】
　いくつかの実施形態では、本明細書に開示される組成物中の任意的な他の成分（本明細書では、添加剤とも呼ばれる）は、潤滑剤、色素、可溶化剤、相溶化剤、安定剤、トレーサー、ペルフルオロポリエーテル、摩耗防止剤、極圧添加剤、腐食および酸化防止剤、金属表面エネルギー低下剤、金属表面不活性化剤、フリーラジカル捕捉剤、発泡調節剤、粘度指数改善剤、流動点降下剤、洗剤、粘度調整剤、およびこれらの混合物からなる群から選択される１つまたは複数の成分を含むことができる。実際には、これらの任意的な他の成分の多くはこれらのカテゴリーの１つまたは複数に当てはまり、１つまたは複数の性能特性を達成するために役立つ性質を有し得る。」
　・「【００５９】
　いくつかの実施形態では、開示される組成物は、鉱油（鉱物起源の油）、合成潤滑剤、およびこれらの混合物からなる群から選択される少なくとも１つの潤滑剤を含む。
【００６０】
　いくつかの実施形態では、開示される組成物は、さらに、鉱油、アルキルベンゼン、合成パラフィン、合成ナフテン、ポリαオレフィン、ポリアルキレングリコール、二塩基酸エステル、ポリエステル、ネオペンチルエステル、ポリビニルエーテル、シリコーン、ケイ酸エステル、フッ素化化合物、リン酸エステルおよびこれらの混合物からなる群から選択される少なくとも１つの潤滑剤を含む。」
　・「【０１１４】
　本明細書に開示される組成物は、Ｒ１３４ａ（またはＨＦＣ−１３４ａ、１，１，１，２−テトラフルオロエタン）、Ｒ２２（またはＨＣＦＣ−２２、クロロジフルオロメタン）、Ｒ４０４Ａ（４４重量パーセントのＲ１２５、５２重量パーセントのＲ１４３ａ（１，１，１−トリフルオロエタン）、および４．０重量パーセントのＲ１３４ａのブレンドに対するＡＳＨＲＡＥ名称）、・・・を含むがこれらに限定されない、現在使用されている冷媒に対する低ＧＷＰ（地球温暖化係数）代替品として有用であり得る。」
　エ　甲４の記載事項 
　・「【請求項１】
　（ａ）約１０重量％〜約３５重量％のＨＦＣ−３２；（ｂ）約１０重量％〜約３５重量％のＨＦＣ−１２５；（ｃ）約２０重量％〜約５０重量％のＨＦＯ−１２３４ｚｅ、ＨＦＯ−１２３４ｙｆ、およびこれらの組み合わせ物；ならびに（ｄ）約１５重量％〜約３５重量％のＨＦＣ−１３４ａ；を含み、ここで該重量％が組成物中の成分（ａ）〜（ｃ）の総重量を基準としている、熱伝達組成物。」
　・「【００２０】
　上記のとおり、本発明の組成物は、達成困難な特性の組み合わせ（特に低ＧＷＰを含む）を達成することができる、ということを出願者らは見出した。非限定的な例として、下記の表Ａは、ＨＦＣ−４０４ＡのＧＷＰ（３９２２というＧＷＰを有する）と比べて、本発明の特定の組成物によって示されるＧＷＰが実質的に改善されたことを示す。
【００２１】
【表１】
」
　・「【００２２】
　本発明の組成物は、組成物の特定の機能を高めるために、あるいは組成物に特定の機能を付与するために、あるいは場合によっては、組成物のコストを低減させるために、他の成分を含んでよい。例えば、本発明による冷媒組成物（特に、蒸気圧縮システムにおいて使用される冷媒組成物）は、潤滑剤（ｌｕｂｒｉｃａｎｔ）を、一般的には組成物の約３０重量％〜約５０重量％の量、場合によっては約５０重量％を超える量で、そして別の場合には約５重量％という少量で含む。本発明の組成物はさらに、潤滑剤の相溶性及び／又は溶解性を高めるために、プロパン等の相溶化剤を含んでよい。プロパン、ブタン、およびペンタンを含めたこのような相溶化剤は、組成物の約０．５重量％〜約５重量％の量で存在することが好ましい。米国特許第６，５１６，８３７号明細書（該特許文献の開示内容を参照より本明細書に含める）に開示されているように、界面活性剤と可溶化剤との組み合わせ物を本発明の組成物に加えて、油溶性を高めることもできる。一般的に使用されている冷却潤滑剤［例えば、ハイドロフルオロカーボン（ＨＦＣ）冷媒と共に冷却機械装置において使用されるポリオールエステル（ＰＯＥ）、ポリアルキレングリコール（ＰＡＧ）、ＰＡＧ油、シリコーン油、鉱油、アルキルベンゼ（ＡＢ）、およびポリ（α−オレフィン）（ＰＡＯ）等］を本発明の冷媒組成物と共に使用することができる。商業的に入手可能な鉱油としては、Ｗｉｔｃｏ社から商業的に入手可能であるＷｉｔｏｃｏ　ＬＰ２５０（登録商標）、Ｓｈｒｉｅｖｅ　Ｃｈｅｍｉｃａｌ社から市販のＺｅｒｏｌ　３００（登録商標）、Ｗｉｔｃｏ社から市販のＳｕｎｉｓｃｏ　３ＧＳ、およびＣａｌｕｍｅｔ社から市販のＣａｌｕｍｅｔ　Ｒ０１５などがある。商業的に入手可能なエステルとしては、ネオペンチルグリコールジペラルゴネート［Ｅｍｅｒｙ２９１７（登録商標）として入手可能〕やＨａｔｃｏｌ２３７０（登録商標）などがある。他の有用なエステルとしては、リン酸エステル、二塩基酸エステル、およびフルオロエステルなどがある。幾つかのケースでは、炭化水素油は、ヨードカーボンで構成される冷媒に対して十分な溶解性を有し、ヨードカーボンと炭化水素油との組み合わせ物は、他のタイプの潤滑油より安定であると思われる。したがって、このような組み合わせ物が有利である場合がある。好ましい潤滑油としては、ポリアルキレングリコールとエステルがある。ポリアルキレングリコールは、可動性の空調等の特定の用途に現在使用されているので、特定の実施態様において特に好ましい。当然ながら、異なるタイプの潤滑剤の種々の混合物を使用することができる。
【００２３】
　本明細書に記載の開示内容を考慮して、当業者によっては、本発明の新規で基本的な特徴を逸脱せずに、本明細書に記載されていない他の添加剤も含めることができる。
　熱伝達方法と熱伝達システム
　したがって、本発明の方法、システム、および組成物は、さまざまの一般的な熱伝達システムおよび特定の冷却システム［例えば、空調システム（固定空調システムとモバイル空調システムを含む）、冷却システム、およびヒートポンプシステム等］と接続して使用するように調整することができる。特定の好ましい実施態様では、本発明の組成物は、ＨＦＣ冷媒（例えばＲ−４０４）と共に使用するよう最初に設計された冷却システムにおいて使用される。本発明の好ましい組成物は、Ｒ−４０４Ａの望ましい特性の多くを示す傾向があるが、Ｒ−４０４ＡのＧＷＰより実質的に低いＧＷＰを有すると共に、Ｒ−４０４Ａと実質的に同等であるか、あるいはＲ−４０４Ａに匹敵する容量及び／又は効率、そして好ましくはＲ−４０４Ａより高い容量及び／又は効率を有する。特に、本発明の組成物の特定の好ましい実施態様は、比較的低い地球温暖化係数（ＧＷＰ）を示す傾向があり、好ましくは約２５００未満であり、さらに好ましくは約２４００未満であり、さらに好ましくは約２３００以下である、ということを出願者らは認めた。特定の実施態様では、本発明の組成物は、約１５００以下のＧＷＰを有し、約１０００未満のＧＷＰを有するのがさらに好ましい。
【００２４】
　他の特定の実施態様では、本発明の組成物は、Ｒ−４０４Ａが組み込まれている冷却システム、及び／又は、最初からＲ−４０４Ａと共に使用するように設計されている冷却システムにおいて使用される。本発明の好ましい冷却組成物は、従来Ｒ−４０４Ａと共に使用されている潤滑剤（例えば、鉱油、ポリアルキルベンゼン油、およびポリアルキレングリコール油等）を含む冷却システムにおいて使用することもできるし、あるいは、従来ＨＦＣ冷媒と共に使用されている他の潤滑剤と共に使用することもできる。本明細書で使用されている「冷却システム」という用語は、一般的には、冷却を実現するために冷媒を使用する任意のシステムもしくは装置、またはこのようなシステムもしくは装置の任意の部位もくしは部分を表わす。このような冷却システムとしては、例えば、空調装置、電気冷蔵庫、および冷却装置（遠心圧縮機を使用する冷却装置を含む）などがある。」
　オ　甲５の記載事項 
　・「【請求項１】
　（ａ）約２０重量％〜約３０重量％のＨＦＣ−３２；（ｂ）約２０重量％〜約３０重量％のＨＦＣ−１２５；（ｃ）約０重量％〜約１５重量％のＨＦＯ−１２３４ｙｆ、及び約１０重量％〜約３０重量％のＨＦＯ−１２３４ｚｅ；（ｄ）約１５重量％〜約３０重量％のＨＦＣ−１３４ａ；を含み、重量％は組成物中の成分（ａ）〜（ｄ）の合計を基準とするものである熱伝達組成物。」
　・「【００１９】
　熱伝達組成物：
　本発明の組成物は、概して、熱伝達用途において用いるように適合させることができ、即ち加熱及び／又は冷却媒体として適合させることができるが、上記において言及したように、中温及び低温冷却システム、及び好ましくはこれまでＨＦＣ−４０４Ａを用いていた低温システム、及び／又はこれまでＲ−２２を用いていたシステムにおいて用いるのに特によく適している。」
　・「【００２３】
　上記で言及したように、本出願人らは、本発明の組成物によって、特に低いＧＷＰなどの達成するのが困難な複数の特性の組合せを達成することができることを見出した。非限定的な例の目的で、下表Ａに、３９２２のＧＷＰを有するＨＦＣ−４０４ＡのＧＷＰと比較した、本発明の幾つかの組成物によって示されるＧＷＰの実質的な向上を示す。
【００２４】
【表１ー１】
」
　・「【００２５】
　本発明の組成物には、組成物の幾つかの機能性を向上させるか又は組成物に幾つかの機能性を与えるか、或いは幾つかの場合においては組成物のコストを減少させる目的のために他の成分を含ませることができる。例えば、本発明による冷媒組成物、特に蒸気圧縮システムにおいて用いるものは、一般に組成物の約３０〜約５０重量％の量、及び幾つかの場合においては、場合によって約５０％より多い量、並びに他の場合においては約５％程度の低い量の潤滑剤を含む。更に、本組成物にはまた、潤滑剤の相溶性及び／又は可溶性を促進する目的のために、プロパンのような相溶化剤を含ませることもできる。プロパン、ブタン類、及びペンタン類などのかかる相溶化剤は、好ましくは組成物の約０．５〜約５重量％の量で存在させる。米国特許６，５１６，８３７（その開示事項を参照として本明細書中に包含する）によって開示されているように、界面活性剤と可溶化剤との組み合わせを本組成物に加えて油溶性を促進させることもできる。ヒドロフルオロカーボン（ＨＦＣ）冷媒を用いる冷却機械において用いられるポリオールエステル（ＰＯＥ）及びポリアルキレングリコール（ＰＡＧ）、ＰＡＧオイル、シリコーンオイル、鉱油、アルキルベンゼン（ＡＢ）、及びポリ（α−オレフィン）（ＰＡＯ）のような通常用いられる冷却潤滑剤を、本発明の冷媒組成物と共に用いることができる。商業的に入手できる鉱油としては、WitcoからのWitco LP 250（登録商標）、Shrieve ChemicalからのZerol 300（登録商標）、WitcoからのSunisco 3GS、及びCalumetからのCalumet R015が挙げられる。商業的に入手できるアルキルベンゼン潤滑剤としては、Zerol 150（登録商標）が挙げられる。商業的に入手できるエステルとしては、Emery 2917（登録商標）及びHatcol 2370（登録商標）として入手できるネオペンチルグリコールジペラルゴネートが挙げられる。他の有用なエステルとしては、ホスフェートエステル、二塩基酸エステル、及びフルオロエステルが挙げられる。幾つかの場合においては、炭化水素ベースのオイルはヨードカーボンを含む冷媒と十分な可溶性を有しており、ヨードカーボンと炭化水素オイルとの組み合わせは他のタイプの潤滑剤よりもより安定である可能性がある。したがってかかる組み合わせは有利である可能性がある。好ましい潤滑剤としては、ポリアルキレングリコール及びエステルが挙げられる。ポリアルキレングリコールは、自動車空調のような特定の用途において現在用いられているので、幾つかの態様においては非常に好ましい。勿論、異なるタイプの潤滑剤の異なる混合物を用いることができる。」
　(2) 甲１〜５に記載された発明
　ア　甲１発明
　甲１の請求項１〜４には、熱伝達組成物が記載されている。そして、これらの熱伝達組成物は、甲１の【００１９】、【００２０】、【００２６】〜【００３１】、【０１１９】〜【０１２１】の記載からみて、Ｒ−２２又はＲ−４０４Ａの代替品として使用することを予定したものであるということができる。
　そうすると、甲１には、次の熱伝達組成物（以下、まとめて「甲１発明」という。）が記載されている。
　なお、請求項１〜４に記載されたジフルオロメタン、ペンタフルオロエタン、１，１，１，２−テトラフルオロエタン及び２，３，３，３−テトラフルオロプロペンは、それぞれ冷媒番号で表示すると、Ｒ３２、Ｒ１２５、Ｒ１３４ａ及びＲ１２３４ｙｆとなるから、括弧内に当該冷媒番号を示した。
　・「ジフルオロメタン（Ｒ３２）と、ペンタフルオロエタン（Ｒ１２５）と、１，１，１，２−テトラフルオロエタン（Ｒ１３４ａ）と、２，３，３，３−テトラフルオロプロペン（Ｒ１２３４ｙｆ）とを含む、Ｒ−２２又はＲ−４０４Ａの代替品として使用するための熱伝達組成物。」
　・「重量ベースで１％〜９７％のジフルオロメタン（Ｒ３２）と、１％〜９７％のペンタフルオロエタン（Ｒ１２５）と、１％〜９７％の１，１，１，２−テトラフルオロエタン（Ｒ１３４ａ）と、１％〜９７％の２，３，３，３−テトラフルオロプロペン（Ｒ１２３４ｙｆ）とを含む、Ｒ−２２又はＲ−４０４Ａの代替品として使用するための熱伝達組成物。」
　・「重量ベースで約１０％〜３５％のジフルオロメタン（Ｒ３２）と、約１０％〜３５％のペンタフルオロエタン（Ｒ１２５）と、約１０％〜６０％の１，１，１，２−テトラフルオロエタン（Ｒ１３４ａ）と、約１０％〜６０％の２，３，３，３−テトラフルオロプロペン（Ｒ１２３４ｙｆ）とを含む、Ｒ−２２又はＲ−４０４Ａの代替品として使用するための熱伝達組成物。」
　・「重量ベースで約１５％〜３０％のジフルオロメタン（Ｒ３２）と、約１５％〜３０％のペンタフルオロエタン（Ｒ１２５）と、約１５％〜４０％の１，１，１，２−テトラフルオロエタン（Ｒ１３４ａ）と、約１５％〜４０％の２，３，３，３−テトラフルオロプロペン（Ｒ１２３４ｙｆ）とを含む、Ｒ−２２又はＲ−４０４Ａの代替品として使用するための熱伝達組成物。」
　イ　甲２発明
　甲２の請求項１には、次の冷媒混合物（以下、「甲２発明」という。）が記載されている。
　・「ａ．２０質量パーセント〜２５．５質量パーセントのＨＦＯ−１２３４ｙｆと、
　ｂ．２０質量パーセント〜２４．５質量パーセントのＨＦＣ−３２と、
　ｃ．２４．５質量パーセント〜３０質量パーセントのＨＦＣ−１２５と、
　ｄ．２５．５質量パーセント〜３０質量パーセントのＨＦＣ−１３４ａと、
　ｅ．約０．０００１質量パーセント〜約１０質量パーセントのトランス−ＨＦＯ−１２３４ｚｅと
から本質的になる非引火性冷媒混合物。」
　ウ　甲３発明
　甲３の請求項３及び【００４９】【表１】には、次の組成物（以下、「甲３発明」という。）が記載されている（なお、請求項３の記載には一部誤記がみられるが、【表１】の記載を参酌して正しく理解した。）。
「約１質量パーセント〜約３５質量パーセントのＨＦＯ−１２３４ｙｆ、約１質量パーセント〜約４０質量パーセントのＨＦＣ−１３４ａ、約３０質量パーセント〜約７８質量パーセントのＨＦＣ−１２５、および約６質量パーセント〜約３９質量パーセントのＨＦＣ−３２を含む組成物。」
　エ　甲４発明
　甲４の請求項１には、次の熱伝達組成物（以下、「甲４発明」という。）が記載されている。
　・「（ａ）約１０重量％〜約３５重量％のＨＦＣ−３２；（ｂ）約１０重量％〜約３５重量％のＨＦＣ−１２５；（ｃ）約２０重量％〜約５０重量％のＨＦＯ−１２３４ｚｅ、ＨＦＯ−１２３４ｙｆ、およびこれらの組み合わせ物；ならびに（ｄ）約１５重量％〜約３５重量％のＨＦＣ−１３４ａ；を含み、ここで該重量％が組成物中の成分（ａ）〜（ｃ）の総重量を基準としている、熱伝達組成物。」
　オ　甲５発明
　甲５の請求項１及び【表１−１】のＡ２には、次の熱伝達組成物（以下、まとめて「甲５発明」という。）が記載されている。
　・「（ａ）約２０重量％〜約３０重量％のＨＦＣ−３２；（ｂ）約２０重量％〜約３０重量％のＨＦＣ−１２５；（ｃ）約０重量％〜約１５重量％のＨＦＯ−１２３４ｙｆ、及び約１０重量％〜約３０重量％のＨＦＯ−１２３４ｚｅ；（ｄ）約１５重量％〜約３０重量％のＨＦＣ−１３４ａ；を含み、重量％は組成物中の成分（ａ）〜（ｄ）の合計を基準とするものである熱伝達組成物。」
　・「２５重量％のＨＦＣ−３２、２５重量％のＨＦＣ−１２５、２０重量％のＨＦＣ−１３４ａ、３０重量％のＨＦＯ−１２３４ｙｆからなる熱伝達組成物。」
　(3) 甲１発明に基づく新規性・進歩性
　ア　本件特許発明３について 
　(ア) 本件特許発明３と甲１発明とを対比すると、両者は、Ｒ３２、Ｒ１２５、１２３４ｙｆ及びＲ１３４ａの基本４成分のみから構成されるフッ素化炭化水素の混合物を含有する組成物である点で一致し、他方、両者は、当該混合物の組成比（Ｒ３２、Ｒ１２５、Ｒ１２３４ｙｆ及びＲ１３４ａの濃度により画定される領域）が異なる点（ただし、一部重複する部分が存在する。）で相違する。
　(イ) 当該相違点について検討する。
　甲１発明の実施例（具体例）を記載した甲１の【００２７】【表１】などには、ｘ（Ｒ３２の濃度）＝１５重量％のときの具体的組成物（Ｒ３２、Ｒ１２５、Ｒ１２３４ｙｆ、Ｒ１３４ａ＝１５、２５、２５、３５重量％）が記載され、これは、本件訂正前（設定登録時）の請求項３の混合物２に属していたものである。そして、本件訂正により、当該具体的組成物は、本件特許発明３に属するものではなくなった（本件特許発明３におけるｘの範囲は１６．１≦ｘ＜２２．６となった。）。
　また、ｘ＝１９重量％のときの具体的組成物など、甲１発明の実施例のうち、本件特許発明３のｘの範囲に属する他の実施例の組成比は、本件特許発明３が画定する領域からは外れている。
　このように、甲１発明の実施例として甲１に記載された具体的組成物には、本件特許発明３が画定する領域に属するものは存在しない。
　確かに、甲１発明の具体的組成物が、本件特許発明３（１６．１≦ｘ＜２２．６）の混合物４〜６に属していないとしても、甲１発明は、ｘを１０≦ｘ≦３０などと規定するものであるから、本件特許発明３が規定するｘが１６．１≦ｘ＜２２．６である場合を排除しているわけではないし、具体的組成物が開示されていない領域が、ただちに甲１発明が内包しない領域となるわけではない。また、本件特許発明３は、ＧＷＰ、不燃性、及びＲ２２に対する圧縮器出口圧力（吐出圧力）に基づいて上記組成比を画定し、かつ、Ｒ３２の濃度ｘを境界値として、各混合物を分類するものであるが、当該境界値及び混合物の分類自体に、特別な意味があるわけではない。さらにいうと、概して、代替冷媒には、低ＧＷＰ、低ＯＤＰ、不燃性、低毒性、潤滑剤との混和性といった冷媒一般に求められる要請事項のほかに、既存冷媒の代替（レトロフィット、ドロップイン置換）を可能にするために、代替冷媒の性能パラメーター（ＣＡＰ、ＣＯＰなど）や、レトロフィットパラメーター（圧縮器出口圧力（凝縮器圧力）、圧縮器出口温度など）が、既存冷媒と同等又はそれ以上となることが求められており（甲１の【０００２】〜【００１０】、【００６７】、【０１１０】、【０１１８】〜【０１２１】、甲２の【０００２】〜【０００５】、【０１２７】〜【０１３２】など）、甲１発明においても、Ｒ２２の代替冷媒とすることが予定され、ＧＷＰ、不燃性、及びＲ２２に対する圧縮器出口圧力などの諸要件が、考慮すべき事項として記載されている（甲１の【０００２】〜【００１０】、【００１９】、【００２０】、【００２６】〜【００３１】、【００４１】、【００６７】。Ｒ４０４Ａの代替についても同様。）。
　しかしながら、Ｒ２２の代替冷媒となるための厳しい要件については知られていても、それらの要件を満たすために、上記基本４成分をどのような構成とするかについては、甲１及びその他の証拠には記載も示唆もされておらず、広範な成分組成の中から、当該要件に合致する代替冷媒を見いだすことは非常に困難であるといわざるを得ない。
　そして、本件特許発明３は、ＧＷＰ、不燃性、及びＲ２２に対する圧縮器出口圧力（吐出圧力）に基づいて当該領域を画定し、かつ、このように画定された領域は、Ｒ２２の代替冷媒となるために要求される、冷凍能力（ＣＡＰ）、成績係数（ＣＯＰ）、圧縮器出口温度（吐出温度）などの諸特性に関する要件をも満たすものと認められ（本件特許明細書の【表５−５】〜【表５−１１】の実験データ、さらには、特許権者が令和元年８月２６日に提出した意見書の第１１頁に記載された図などを参酌した。）、さらに、当該要件を満たす混合冷媒を見いだすことは困難であることが当該技術分野における技術常識であることを斟酌すると、Ｒ２２の代替冷媒となるための厳しい要件を満たすことができる本件特許発明３は、甲１発明に対して有利な効果を奏するものということができる。
　したがって、本件特許発明３は、甲１発明に対して新規性及び進歩性がないとはいえない。
　イ　本件特許発明４について
　(ア) 本件特許発明４と甲１発明とを対比すると、本件特許発明３と同様、両者は、Ｒ３２、Ｒ１２５、１２３４ｙｆ及びＲ１３４ａの基本４成分のみから構成されるフッ素化炭化水素の混合物を含有する組成物である点で一致し、他方、両者は、当該混合物の組成比（Ｒ３２、Ｒ１２５、Ｒ１２３４ｙｆ及びＲ１３４ａの濃度により画定される領域）が異なる点（ただし、一部重複する部分が存在する。）で相違する。
　(イ) 当該相違点について検討する。
　甲１発明の実施例（具体例）を記載した甲１の【００３０】【表２−２】などには、ｘ（Ｒ３２の濃度）＝２５重量％のときの具体的組成物（Ｒ３２、Ｒ１２５、Ｒ１２３４ｙｆ、Ｒ１３４ａ＝２５、２５、３５、１５重量％、２５、３０、３０、１５重量％）が記載され、これは、本件訂正前（設定登録時）の請求項４の混合物８に属していたものである。そして、本件訂正により、当該具体的組成物は、本件特許発明４に属するものではなくなった（本件特許発明４におけるｘの範囲は１７．５＜ｘ≦２０．８となった。）。
　また、ｘ＝１９重量％のときの具体的組成物など、甲１発明の実施例のうち、本件特許発明４のｘの範囲に属する他の実施例の組成比は、本件特許発明４が画定する領域からは外れている。
　このように、甲１発明の実施例として甲１に記載された具体的組成物には、本件特許発明４が画定する領域に属するものは存在しない。
　確かに、甲１発明の具体的組成物が、本件特許発明４（１７．５＜ｘ≦２０．８）の混合物１〜３に属していないとしても、甲１発明は、ｘを１０≦ｘ≦３０などと規定するものであるから、本件特許発明４が規定するｘが１７．５＜ｘ≦２０．８である場合を排除しているわけではないし、具体的組成物が開示されていない領域が、ただちに甲１発明が内包しない領域となるわけではない。また、本件特許発明４は、ＧＷＰ、不燃性、Ｒ４０４Ａに対するＣＡＰ、及び吐出温度に基づいて上記組成比を画定し、かつ、Ｒ３２の濃度ｘを境界値として、各混合物を分類するものであるが、当該境界値及び混合物の分類自体に、特別な意味があるわけではない。さらにいうと、概して、代替冷媒には、低ＧＷＰ、低ＯＤＰ、不燃性、低毒性、潤滑剤との混和性といった冷媒一般に求められる要請事項のほかに、既存冷媒の代替（レトロフィット、ドロップイン置換）を可能にするために、代替冷媒の性能パラメーター（ＣＡＰ、ＣＯＰなど）や、レトロフィットパラメーター（圧縮器出口圧力（凝縮器圧力）、圧縮器出口温度など）が、既存冷媒と同等又はそれ以上となることが求められており（甲１の【０００２】〜【００１０】、【００６７】、【０１１０】、【０１１８】〜【０１２１】、甲２の【０００２】〜【０００５】、【０１２７】〜【０１３２】など）、甲１発明においても、Ｒ４０４Ａの代替冷媒とすることが予定され、ＧＷＰ、不燃性、及び吐出温度などの諸要件が、考慮すべき事項として記載されている（甲１の【００１０】、【００１９】、【００２６】、【００２７】、【００４１】、【００６７】など）。
　しかしながら、Ｒ４０４Ａの代替冷媒となるための厳しい要件については知られていても、それらの要件を満たすために、上記基本４成分をどのような構成とするかについては、甲１及びその他の証拠には記載も示唆もされておらず、広範な成分組成の中から、当該要件に合致する代替冷媒を見いだすことは非常に困難であるといわざるを得ない。
　そして、本件特許発明４は、ＧＷＰ、不燃性、Ｒ４０４Ａに対するＣＡＰ、及び吐出温度に基づいて当該領域を画定し、かつ、このように画定された領域は、Ｒ４０４の代替冷媒となるために要求されるＣＯＰなどの諸特性に関する要件をも満たすものと認められ（本件特許明細書の【表６−７】〜【表６−１３】の実験データなどを参酌した。）、さらに、当該要件を満たす混合冷媒を見いだすことは困難であることが当該技術分野における技術常識であることを斟酌すると、Ｒ４０４の代替冷媒となるための厳しい要件を満たすことができる本件特許発明４は、甲１発明に対して有利な効果を奏するものということができる。
　したがって、本件特許発明３と同様、本件特許発明４についても、甲１発明に対して新規性及び進歩性がないとはいえない。
　ウ　本件特許発明１０〜１９について
　本件特許発明１０〜１９は、上記ア、イにおいて検討した本件特許発明３ないし４の発明特定事項をすべて具備するものであるから、これらの発明についても、本件特許発明３ないし４と同様の理由により、甲１発明に対して新規性及び進歩性がないとはいえない。
　(4) 甲２〜５発明に基づく新規性・進歩性
　本件特許発明３、４、１０〜１９と甲２〜５発明とを対比・検討した場合も、上記(3)における甲１発明との対比・検討と状況に変わりはなく、両者は、Ｒ３２、Ｒ１２５、１２３４ｙｆ及びＲ１３４ａの基本４成分のみから構成されるフッ素化炭化水素の混合物を含有する組成物である点で一致し、当該混合物の組成比（Ｒ３２、Ｒ１２５、Ｒ１２３４ｙｆ及びＲ１３４ａの濃度により画定される領域）が異なる点で相違するところ、甲２〜５を子細にみても、甲２〜５発明に係る具体例として、本件特許発明３、４が画定する領域に属するものは存在せず、また、本件特許発明３、４は、Ｒ２２ないしＲ４０４の代替冷媒となるための厳しい要件を満たすことができるという、甲２〜５発明に対する有利な効果を奏するものであることを斟酌すると、本件特許発明３、４及びそれらの発明特定事項をすべて具備する本件訂正発明１０〜１９についても、甲２〜５発明に対して新規性及び進歩性がないとはいえない。
　(5) 取消理由４及び５（新規性・進歩性）についてのまとめ 
　以上検討のとおり、本件特許発明３、４、１０〜１９は、特許法第２９条第１項第３号に該当せず、同条第２項の規定により特許を受けることができないものでもないから、同法第１１３条第２号に該当することを理由に、本件特許３、４、１０〜１９を取り消すことはできない。
　
第６　特許異議申立理由について
　特許異議申立人は、上記取消理由と同旨の特許異議申立理由のほか、甲６〜９を主引例とする特許法第２９条第１項及び第２項所定の規定違反（新規性、進歩性）、同法第３６条第６項第１号及び第２号所定の規定違反（サポート要件、明確性要件）について主張するものであるが、本件訂正により、当該新規性、進歩性及びサポート要件について主張されていた請求項６などは削除された。そのため、これらの特許異議申立理由によって、本件訂正後の本件特許を取り消すことはできない。
　また、明確性要件違反の指摘は、（i）請求項１などに記載された組成物は、２種以上の混合物を含有することはあり得ないにもかかわらず、同請求項１などには「混合物１・・・および混合物６からなる群から選択される２種以上を含有する組成物」と記載されていたこと、（ii）同請求項２の混合物３における点Ｉ’、並びに、その請求項４の混合物６及び請求項５の混合物５における点Ｑは、相図における有効な組成比を示していないこと、（iii）同請求項１５に記載された発明は、同請求項１〜１４において、フッ素化炭化水素の混合物のみからなることを特徴とする発明であるところ、同請求項１０、１１、１４に記載された発明は、当該混合物に加え、さらに冷凍機油などを含有することを特徴とする発明であるから、請求項１５の記載には矛盾があり明確とはいえないこと、などの記載不備を指摘するものであったところ、これらの記載不備については、本件訂正により治癒していると認められる。
　したがって、特許異議申立人が主張する特許異議申立理由によっても、本件訂正後の本件特許を取り消すことはできない。
第７　結び
　以上のとおり、本件特許３、４、１０〜１９は、特許法第３６条第４項第１号又は第６項に規定する要件を満たしていない特許出願に対してされたものであるとも、同法第２９条の規定に違反してされたものであるともいえず、同法第１１３条第２号又は第４号に該当するとは認められないから、上記取消理由及び特許異議申立書に記載された特許異議申立理由によっては、取り消すことはできない。
　また、他に、本件特許３、４、１０〜１９を取り消すべき理由を発見しない。
　そして、上記第２のとおり、本件訂正により、請求項１、２、５〜９は削除されたため、これらの請求項に係る特許異議の申立ては、対象が存在しないものとなったので、特許法第１２０条の８第１項において準用する同法第１３５条の規定により却下する。
　よって、結論のとおり決定する。
【異議決定日】
令和１年１２月２３日（２０１９．１２．２３）
【訂正の要旨】
審決（決定）の【理由】欄参照。
（５４）【発明の名称】
フッ素化炭化水素の混合物を含有する組成物及びその応用
　【技術分野】
　【０００１】
　本発明は、冷媒等として使用されるフッ素化炭化水素の混合物を含有する組成物（但し、前記混合物に含まれる基本４成分、即ちジフルオロメタン（Ｒ３２）、ペンタフルオロエタン（Ｒ１２５）、２，３，３，３−テトラフルオロプロペン（１２３４ｙｆ）及び１，１，１，２−テトラフルオロエタン（Ｒ１３４ａ）のみからなる場合も含む）及びその応用に関する。
　【背景技術】
　【０００２】
　近年、エアコン、冷凍機、冷蔵庫等に使用される冷媒としては、ジフルオロメタン（ＣＨ２Ｆ２、Ｒ３２、沸点−５２℃）、ペンタフルオロエタン（ＣＦ３ＣＨＦ２、Ｒ１２５、沸点−４８℃）、１，１，１−トリフルオロエタン（ＣＦ３ＣＨ３、Ｒ１４３ａ、沸点−４７℃）、１，１，１，２−テトラフルオロエタン（ＣＦ３ＣＨ２Ｆ、Ｒ１３４ａ、沸点−２６℃）、１，１−ジフルオロエタン（ＣＨＦ２ＣＨ３、Ｒ１５２ａ、沸点−２４℃）、２，３，３，３−テトラフルオロプロペン（ＣＦ３ＣＦ＝ＣＨ２、１２３４ｙｆ、沸点−２９℃）等の、その分子構造中に塩素を含まないフッ素化炭化水素の混合物が用いられている。
　【０００３】
　これまでに、上記のフッ素化炭化水素のうち、Ｒ３２／Ｒ１２５／Ｒ１３４ａからなる３成分混合冷媒であって、その組成が２３／２５／５２重量％であるもの（Ｒ４０７Ｃ）、Ｒ１２５／１４３ａ／Ｒ１３４ａからなる３成分混合冷媒であって、その組成が４４／５２／４重量％であるもの（Ｒ４０４Ａ）等が提案されておりＲ４０４Ａが冷凍用及び冷蔵用の冷媒として現在広く用いられている（特許文献１、２等）。
　【０００４】
　しかしながら、Ｒ４０４Ａの地球温暖化係数（ＧＷＰ）は３９２２と非常に高く、含塩素フッ素化炭化水素類の一つであるＣＨＣｌＦ２（Ｒ２２）と同程度であることが分かっている。従って、Ｒ４０４Ａの代替冷媒として、Ｒ４０４Ａと同等の冷凍能力を有し、ＧＷＰが小さく、かつＲ４０４Ａ同様に不燃冷媒（ＡＳＨＲＡＥ不燃（ＡＮＳＩ／ＡＳＨＲＡＥ３４−２０１３で定義されるクラス１の冷媒））の性能を兼ね備える冷媒の開発が求められている。
　【０００５】
　また、Ｒ４０４Ａ以前に冷凍用及び冷蔵用の冷媒として使用されていた含塩素フッ素化炭化水素類（ＨＣＦＣ）としてＣＨＣｌＦ２（Ｒ２２）を使用する冷凍機もまだ数多く残っているが、ＨＣＦＣはモントリオール議定書により先進国は２０２０年に全廃が求められ、途上国は段階的削減（第１：１０％、第２：３５％）することが求められている。これらの冷凍機には、Ｒ２２の代替冷媒として、冷凍サイクルにおいてＲ２２を用いる場合と同等な圧縮機出口圧力となる冷媒（いわゆるＲ２２レトロフィット冷媒）であって、ＧＷＰが小さく、かつＲ２２と同様に不燃冷媒（ＡＳＨＲＡＥ不燃（ＡＮＳＩ／ＡＳＨＲＡＥ３４−２０１３で定義されるクラス１の冷媒））の性能を兼ね備える冷媒の開発も求められている。
　【０００６】
　本発明に関連する他の先行文献として、特許文献３、４等がある。
　【先行技術文献】
　【特許文献】
　【０００７】
　【特許文献１】特許第２８６９０３８号公報
　【特許文献２】米国特許第８，１６８，０７７号公報
　【特許文献３】特許第５６８９０６８号公報
　【特許文献４】特表２０１３−５２９７０３
　【発明の概要】
　【発明が解決しようとする課題】
　【０００８】
　特許文献３及び４では、Ｒ４０４Ａの代替冷媒として、ジフルオロメタン（Ｒ３２）、ペンタフルオロエタン（Ｒ１２５）、２，３，３，３−テトラフルオロプロペン（１２３４ｙｆ）及び１，１，１，２−テトラフルオロエタン（Ｒ１３４ａ）を含む冷媒組成物が報告されている。しかし、Ｒ４０４Ａと同等の冷凍能力を有し、ＧＷＰが小さく、かつＡＳＨＲＡＥ不燃の性能を兼ね備える冷媒組成物の開発には至っていない。
　【０００９】
　本発明は、ＧＷＰが小さく、かつＡＳＨＲＡＥ不燃の性能を兼ね備える冷媒組成物を提供することを目的とする。また、好ましい実施形態として、現在汎用されているＲ４０４Ａと同等の冷凍能力を有し、ＧＷＰが小さく、かつＡＳＨＲＡＥ不燃の性能を兼ね備える冷媒組成物、Ｒ２２と同等の圧縮機出口圧力を有し、ＧＷＰが小さく、かつＡＳＨＲＡＥ不燃の性能を兼ね備える冷媒組成物などを提供することを目的とする。
　【課題を解決するための手段】
　【００１０】
　本発明者らは、上記の目的を達成すべく、鋭意研究を行った結果、フッ素化炭化水素の混合物を含有する組成物であって、前記混合物が、ジフルオロメタン（Ｒ３２）、ペンタフルオロエタン（Ｒ１２５）、２，３，３，３−テトラフルオロプロペン（１２３４ｙｆ）及び１，１，１，２−テトラフルオロエタン（Ｒ１３４ａ）を特定濃度で含むことにより、上記課題を解決することができることを見出し、本発明を完成するに至った。
　【００１１】
　すなわち、本発明は、下記の組成物及びその応用を提供するものである。
　１．フッ素化炭化水素の混合物を含有する組成物であって、
　前記混合物に含まれるフッ素化炭化水素の組成比が、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１４．８重量％＞ｘ≧１０．８重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５４９３ｘ＋４５．３２５／−０．４２４３ｘ＋１９．８７５）、
点Ｈ（１００−Ｒ３２−１２３４ｙｆ−Ｒ１３４ａ／−０．９５０７ｘ＋６０．５７５／−ｘ＋３８．１）、
点Ｉ（０／１００−Ｒ３２−１２３４ｙｆ−Ｒ１３４ａ／１．６９７４ｘ＋４８．４）、
点Ｎ（０／０／１００−ｘ）、及び
点Ｄ（０．３７５ｘ＋３．２５／０／１００−Ｒ３２−Ｒ１２５−１２３４ｙｆ）
を頂点とする五角形の範囲に含まれる組成比を有する混合物１、
　（１）−２　１８．１重量％＞ｘ≧１４．８重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−Ｒ１２５−１２３４ｙｆ／−０．５７３６ｘ＋４５．６６９／−０．３９４５ｘ＋１９．４４３）、
点Ｈ（１００−Ｒ３２−１２３４ｙｆ−Ｒ１３４ａ／−０．９０８３ｘ＋５９．９３６／−０．９７２３ｘ＋３７．７１４）、
点Ｉ（０／１００−Ｒ３２−１２３４ｙｆ−Ｒ１３４ａ／１．３６２５ｘ＋５３．３４６）、
点Ｎ（０／０／１００−ｘ）、及び
点Ｄ（０．３６２５ｘ＋３．４４６１／０／１００−Ｒ３２−Ｒ１２５−１２３４ｙｆ）
を頂点とする五角形の範囲に含まれる組成比を有する混合物２、
　（１）−３　２０．０重量％＞ｘ≧１８．１重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５２５８ｘ＋４４．８０８／−０．４２０７ｘ＋１９．９０７）、
点Ｈ（１００−Ｒ３２−１２３４ｙｆ−Ｒ１３４ａ／−０．８９４８ｘ＋５９．６９８／−１．０５１７ｘ＋３９．１１７）、
点Ｉ（０／１００−Ｒ３２−１２３４ｙｆ−Ｒ１３４ａ／１．０５１７ｘ＋５８．９８３）、
点Ｎ（０／０／１００−ｘ）、及び
点Ｄ（０．３６９ｘ＋３．３１／０／１００−Ｒ３２−Ｒ１２５−１２３４ｙｆ）
を頂点とする五角形の範囲に含まれる組成比を有する混合物３、
　（１）−４　２２．６重量％＞ｘ≧２０．０重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５７５６ｘ＋４５．８１７／−０．４２４４ｘ＋１９．９８３）、
点Ｈ（１００−Ｒ３２−１２３４ｙｆ−Ｒ１３４ａ／−０．９２４４ｘ＋６０．２８３／−０．８４８８ｘ＋３５．０６５）、点
Ｉ（１００−Ｒ３２−１２３４ｙｆ−Ｒ１３４ａ／０／−２．０４０７ｘ＋１２０．８）、及び
点Ｄ（０．３４３０ｘ＋３．８２６／０／１００−Ｒ３２−Ｒ１２５−１２３４ｙｆ）
を頂点とする四角形の範囲に含まれる組成比を有する混合物４、
　（１）−５　２４．５重量％＞ｘ≧２２．６重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５２８３ｘ＋４４．７４６／−０．４７１７ｘ＋２１．０５４）、
点Ｈ（１００−Ｒ３２−１２３４ｙｆ−Ｒ１３４ａ／−０．９４３５ｘ＋６０．０７８／−０．８４２８ｘ＋３４．９４９）、
点Ｉ（１００−Ｒ３２−１２３４ｙｆ−Ｒ１３４ａ／０／−１．９４３５ｘ＋１１８．６１）、及び
点Ｄ（０．３７１０ｘ＋３．２０５７／０／１００−Ｒ３２−Ｒ１２５−１２３４ｙｆ）
を頂点とする四角形の範囲に含まれる組成比を有する混合物５、並びに
　（１）−６　２６．６重量％≧ｘ≧２４．５重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５７１０ｘ＋４５．７９８／−０．４２９０ｘ＋２０．００２）、
点Ｈ（１００−Ｒ３２−１２３４ｙｆ−Ｒ１３４ａ／−０．９５１７ｘ＋６０．９３１／−０．７６１３ｘ＋３２．９６５）、
点Ｉ（１００−Ｒ３２−１２３４ｙｆ−Ｒ１３４ａ／０／−２．００００ｘ＋１２０．００）、及び
点Ｄ（０．３３２３ｘ＋４．１３６９／０／１００−Ｒ３２−Ｒ１２５−１２３４ｙｆ）
を頂点とする四角形の範囲に含まれる組成比を有する混合物６、
からなる群から選択される少なくとも一種を含有する組成物。
　２．フッ素化炭化水素の混合物を含有する組成物であって、
　前記混合物に含まれるフッ素化炭化水素の組成比が、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１４．８重量％＞ｘ≧１０．８重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５７５７ｘ＋４５．０２５／−０．４２４３ｘ＋２０．９７５）、
点Ｈ’（１００−Ｒ３２−１２３４ｙｆ−Ｒ１３４ａ／−０．９７７０ｘ＋５９．５７５／−ｘ＋３８．４）、
点Ｉ’（０／１００−Ｒ３２−１２３４ｙｆ−Ｒ１３４ａ／１．７００７ｘ＋５２．１２５）、
点Ｎ（０／０／１００−ｘ）、及び
点Ｄ（０．３７５ｘ＋３．２５／０／１００−Ｒ３２−Ｒ１２５−１２３４ｙｆ）
を頂点とする五角形の範囲に含まれる組成比を有する混合物１、
　（１）−２　１８．１重量％＞ｘ≧１４．８重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５４５８ｘ＋４４．５８２／−０．４２６４ｘ＋２１．０３１）、
点Ｈ’（１００−Ｒ３２−１２３４ｙｆ−Ｒ１３４ａ／−０．９０８３ｘ＋５８．５３６／−０．９７２３ｘ＋３８．０１４）、
点Ｉ’（０／１００−Ｒ３２−１２３４ｙｆ−Ｒ１３４ａ／１．３９４５ｘ＋５６．６５７）、
点Ｎ（０／０／１００−ｘ）、及び
点Ｄ（０．３６２５ｘ＋３．４４６１／０／１００−Ｒ３２−Ｒ１２５−１２３４ｙｆ）
を頂点とする五角形の範囲に含まれる組成比を有する混合物２、
　（１）−３　２０．０重量％＞ｘ≧１８．１重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５２７７ｘ＋４４．２７７／−０．４２０７ｘ＋２０．９０７）、
点Ｈ’（１００−Ｒ３２−１２３４ｙｆ−Ｒ１３４ａ／−０．８９４８ｘ＋５８．２９８／−１．０５１７ｘ＋３９．４１７）、
点Ｉ’（１００−Ｒ３２−１２３４ｙｆ−Ｒ１３４ａ／０／１．９４８３ｘ＋１１７．１８）、及び
点Ｄ（０．３６９ｘ＋３．３１／０／１００−Ｒ３２−Ｒ１２５−１２３４ｙｆ）
を頂点とする四角形の範囲に含まれる組成比を有する混合物３、（１）−４　２２．６重量％＞ｘ≧２０．０重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｈ’（１００−Ｒ３２−１２３４ｙｆ−Ｒ１３４ａ／−０．９２４４ｘ＋５８．８８３／−０．８８３７ｘ＋３６．０７８）、
点Ｉ’（１００−Ｒ３２−１２３４ｙｆ−Ｒ１３４ａ／０／−２．０７５６ｘ＋１１９．７２）、及び
点Ｄ（０．３４３ｘ＋３．８２６／０／１００−Ｒ３２−Ｒ１２５−１２３４ｙｆ）
を頂点とする四角形の範囲に含まれる組成比を有する混合物４、
　（１）−５　２４．５重量％＞ｘ≧２２．６重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
点Ｉ’（１００−Ｒ３２−１２３４ｙｆ−Ｒ１３４ａ／０／−１．９４３５ｘ＋１１６．７１）、及び
点Ｄ（０．３７１０ｘ＋３．２０５７／０／１００−Ｒ３２−Ｒ１２５−１２３４ｙｆ）
を頂点とする四角形の範囲に含まれる組成比を有する混合物５、並びに
　（１）−６　２６．６重量％≧ｘ≧２４．５重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５２４２ｘ＋４４．０３５／−０．４２９０ｘ＋２０．９０２）、
点Ｈ’（１００−Ｒ３２−１２３４ｙｆ−Ｒ１３４ａ／−ｘ＋６０．７／−０．７１４５ｘ＋３２．００１）、
点Ｉ’（１００−Ｒ３２−１２３４ｙｆ−Ｒ１３４ａ／０／−２．０４６８ｘ＋１１９．２６）、及び
点Ｄ（０．３３２３ｘ＋４．１３６９／０／１００−Ｒ３２−Ｒ１２５−１２３４ｙｆ）
を頂点とする四角形の範囲に含まれる組成比を有する混合物６、
からなる群から選択される少なくとも一種を含有する組成物。
　３．フッ素化炭化水素の混合物を含有する組成物であって、
　前記混合物に含まれるフッ素化炭化水素の組成比が、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１４．１重量％＞ｘ≧１０．８重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−２．６６６５ｘ＋６２．７８６／０．７２０４ｘ＋３１．０２７／１００−Ｒ３２−Ｒ１２５−１２３４ｙｆ）、
点Ｃ（０．０９１４ｘ２−４．２４４４ｘ＋６９．１８４／０．１１８１ｘ２−６．３６４８ｘ＋９３．７６５／１００−Ｒ３２−Ｒ１２５−１２３４ｙｆ）、
点Ｆ（０．０３２３ｘ２−２．５６２１ｘ＋５０．８０２／０．０３４６ｘ２−３．９９０４ｘ＋６７．５６／１００−Ｒ３２−Ｒ１２５−１２３４ｙｆ）、及び
点Ｅ（０．０５０１ｘ２−３．９７５６ｘ＋６１．９８９／−０．０２９６ｘ２＋１．５１３３ｘ＋３０．２４８／１００−Ｒ３２−Ｒ１２５−１２３４ｙｆ）
を頂点とする四角形の範囲に含まれる組成比を有する混合物１、
　（１）−２　１６．１重量％＞ｘ≧１４．１重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−２．６４５６ｘ＋６２．４８４／０．７９２９ｘ＋２９．９８４／１００−Ｒ３２−Ｒ１２５−１２３４ｙｆ）、
点Ｃ（０．０４９５ｘ２−３．１４３４ｘ＋６１．９９１／０．１７２３ｘ２−８．１２３６ｘ＋１０７．７８／１００−Ｒ３２−Ｒ１２５−１２３４ｙｆ）、
点Ｆ（−１．５０４９ｘ＋４２．３３９／−２．６３４９ｘ＋５５．３１５／１００−Ｒ３２−Ｒ１２５−１２３４ｙｆ）、
点Ｅ（０．２７４７ｘ２−９．７９６７ｘ＋９９．４１５／０．６３６６ｘ２−２５．３７５ｘ＋２７６．９３／１００−Ｒ３２−Ｒ１２５−１２３４ｙｆ）、及び
点Ｈ’は、
１４．８重量％＞ｘ≧１４．１重量％のときは、
点Ｈ’（１００−Ｒ３２−１２３４ｙｆ−Ｒ１３４ａ／−０．９７７０ｘ＋５９．５７５／−ｘ＋３８．４）、
１６．１重量％＞ｘ≧１４．８重量％のときは
点Ｈ’（１００−Ｒ３２−１２３４ｙｆ−Ｒ１３４ａ／−０．９０８３ｘ＋５８．５３６／−０．９７２３ｘ＋３８．０１４）
を頂点とする五角形の範囲に含まれる組成比を有する混合物２、（１）−３　１６．８重量％＞ｘ≧１６．１重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−２．２８５７ｘ＋５６．７／０．７７４７ｘ＋３０．２８５／１００−Ｒ３２−Ｒ１２５−１２３４ｙｆ）、
点Ｃ（−１．５７１４ｘ＋４９．５／−２．８０４３ｘ＋６６．８１２／１００−Ｒ３２−Ｒ１２５−１２３４ｙｆ）、
点Ｆ（−１．２８５７ｘ＋３８．８／−２．４９５４ｘ＋５３．０７６／１００−Ｒ３２−Ｒ１２５−１２３４ｙｆ）、
点Ｅ（−１．１４２９ｘ＋３１．３／−５．３１４２ｘ＋１１８．９６／１００−Ｒ３２−Ｒ１２５−１２３４ｙｆ）、及び
点Ｈ’（１００−Ｒ３２−１２３４ｙｆ−Ｒ１３４ａ／−０．９０８３ｘ＋５８．５３６／−０．９７２３ｘ＋３８．０１４）
を頂点とする五角形の範囲に含まれる組成比を有する混合物３、
　（１）−４　１８．１重量％＞ｘ≧１６．８重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−１．４６１５ｘ＋４２．８５４／−５．９３１ｘ＋１４２．９４／１００−Ｒ３２−１２３４ｙｆ−Ｒ１３４ａ）、
点Ｃ（−１．３８４６ｘ＋４６．３６２／−２．５１５６ｘ＋６１．９６１／１００−Ｒ３２−Ｒ１２５−１２３４ｙｆ）、
点Ｆ（−１．３８４６ｘ＋４０．４６２／−２．５４０１ｘ＋５３．８２７／１００−Ｒ３２−Ｒ１２５−１２３４ｙｆ）、及び
点Ｅ（−１．０７６９ｘ＋３０．１９２／−４．９６９２ｘ＋１１３．１６／１００−Ｒ３２−Ｒ１２５−１２３４ｙｆ）
を頂点とする四角形の範囲に含まれる組成比を有する混合物４、
　（１）−５　２０．０重量％＞ｘ≧１８．１重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−１．０４４２ｘ＋３５．２７／０．２７０３ｘ２−１５．２２１ｘ＋２２２．５２／１００−Ｒ３２−１２３４ｙｆ−Ｒ１３４ａ）、
点Ｃ（−１．３１４５ｘ＋４５．０８８／−２．４４０４ｘ＋６０．６１５／１００−Ｒ３２−１２３４ｙｆ−Ｒ１３４ａ）、
点Ｆ（−１．２１３８ｘ＋３７．３８１／−０．１５７６ｘ２＋３．７１６ｘ−７．７６４９／１００−Ｒ３２−１２３４ｙｆ−Ｒ１３４ａ）、及び
点Ｅ（−０．８８６９ｘ＋２６．７２６／−４．３２６７ｘ＋１０１．５２／１００−Ｒ３２−１２３４ｙｆ−Ｒ１３４ａ）
を頂点とする四角形の範囲に含まれる組成比を有する混合物５、
　（１）−６　２１．６重量％＞ｘ≧２０．０重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−０．８７５ｘ＋３１．９／−４．３３７２ｘ＋１１２．９８／１００−Ｒ３２−１２３４ｙｆ−Ｒ１３４ａ）、
点Ｃ（−１．２５ｘ＋４３．８／−２．３７５ｘ＋５９．３／１００−Ｒ３２−１２３４ｙｆ−Ｒ１３４ａ）、
点Ｆ（−１．１２５ｘ＋３５．６／−２．１８７５ｘ＋４７．２５／１００−Ｒ３２−１２３４ｙｆ−Ｒ１３４ａ）、及び
点Ｅ（−０．７５ｘ＋２４／−３．８８３１ｘ＋９２．６５７／１００−Ｒ３２−１２３４ｙｆ−Ｒ１３４ａ）
を頂点とする四角形の範囲に含まれる組成比を有する混合物６、並びに
　（１）−７　２４．２重量％＞ｘ≧２１．６重量％であり、
　（２）−７　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−０．７２６７ｘ＋２８．６７／０．１６０３ｘ２−１０．９８７ｘ＋１８１．８２１／００−Ｒ３２−１２３４ｙｆ−Ｒ１３４ａ）、
点Ｃ（０．０５２９ｘ２−３．５３７５ｘ＋６８．５３６／０．０４３１ｘ２−４．１０３８ｘ＋７６．５４６／１００−Ｒ３２−１２３４ｙｆ−Ｒ１３４ａ）、
点Ｆ（−１．９６５１ｘ＋５３．７７１／０／１００−Ｒ３２−１２３４ｙｆ−Ｒ１３４ａ）、及び
点Ｅ（−０．６１６３ｘ＋２１．１１８／０．０６６３ｘ２−６．４１３３ｘ＋１１６．３８／１００−Ｒ３２−１２３４ｙｆ−Ｒ１３４ａ）
を頂点とする四角形の範囲に含まれる組成比を有する混合物７、
からなる群から選択される少なくとも一種を含有する組成物。
　４．フッ素化炭化水素の混合物を含有する組成物であって、
　前記混合物に含まれるフッ素化炭化水素の組成比が、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１４．２重量％＞ｘ≧１１．６重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５７５７ｘ＋４５．０２５／−０．４２４３ｘ＋２０．９７５）、点
Ｊ（−３．５７６９ｘ＋７５．４９２／１．２２０４ｘ＋２４．１４３／１００−Ｒ３２−Ｒ１２５−１２３４ｙｆ）、及び
点Ｋ（−２．３８４６ｘ＋６１．６６２／−４．０１７２ｘ＋８４．９／１００−Ｒ３２−Ｒ１２５−１２３４ｙｆ）
を頂点とする三角形の範囲に含まれる組成比を有する混合物１、
　（１）−２　１５．３重量％＞ｘ≧１４．２重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’は、
１４．８重量％＞ｘ≧１４．２重量％のときは、
点Ｇ’（１００−Ｒ３２−１２３４ｙｆ−Ｒ１３４ａ／−０．５７５７ｘ＋４５．０２５／−０．４２４３ｘ＋２０．９７５）、
１５．３重量％＞ｘ≧１４．８重量％のときは、
点Ｇ’（１００−Ｒ３２−１２３４ｙｆ−Ｒ１３４ａ／−０．５４５８ｘ＋４４．５８２／−０．４２６４ｘ＋２１．０３１）、
及び
点Ｊ（−３．４３８１ｘ＋７３．４９３／１．１２３６ｘ＋２５．５２２／１００−Ｒ３２−Ｒ１２５−１２３４ｙｆ）、及び
点Ｋ（０．９０９１ｘ２−２９．０９１ｘ＋２５７．５８／０．８５７９ｘ２−２９．０８５ｘ＋２６７．８８／１００−Ｒ３２−Ｒ１２５−１２３４ｙｆ）
を頂点とする三角形の範囲に含まれる組成比を有する混合物２、
　（１）−３　１６．２重量％＞ｘ≧１５．３重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５４５８ｘ＋４４．５８２／−０．４２６４ｘ＋２１．０３１）、
点Ｊ（−３．５５５６ｘ＋７５．３／１．２０９５ｘ＋２４．２０９／１００−Ｒ３２−Ｒ１２５−１２３４ｙｆ）、及び
点Ｋ（−２ｘ＋５５．９／−３．４４３９ｘ＋７６．３９２／１００−Ｒ３２−Ｒ１２５−１２３４ｙｆ）
を頂点とする三角形の範囲に含まれる組成比を有する混合物３、
　（１）−４　１７．５重量％＞ｘ≧１６．２重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５４５８ｘ＋４４．５８２／−０．４２６４ｘ＋２１．０３１）、
点Ｈ’（１００−Ｒ３２−１２３４ｙｆ−Ｒ１３４ａ／−０．９０８３ｘ＋５８．５３６／−０．９７２３ｘ＋３８．０１４）、
点Ｊ（−１．６１６３ｘ＋４３．８８２／−６．３６７４ｘ＋１４６．９５／１００−Ｒ３２−Ｒ１２５−１２３４ｙｆ）、及び
点Ｋ（−１．８４８８ｘ＋５３．４４５／−３．１２０６ｘ＋７１．１５３／１００−Ｒ３２−Ｒ１２５−１２３４ｙｆ）
を頂点とする四角形の範囲に含まれる組成比を有する混合物４、
　（１）−５　１９．０重量％＞ｘ≧１７．５重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は、
１８．１重量％＞ｘ≧１７．５重量％のときは、
点Ｇ’（１００−Ｒ３２−１２３４ｙｆ−Ｒ１３４ａ／−０．５４５８ｘ＋４４．５８２／−０．４２６４ｘ＋２１．０３１）、
点Ｈ’（１００−Ｒ３２−１２３４ｙｆ−Ｒ１３４ａ／−０．９０８３ｘ＋５８．５３６／−０．９７２３ｘ＋３８．０１４）、
１９．０重量％＞ｘ≧１８．１重量％のときは
点Ｇ’（１００−Ｒ３２−１２３４ｙｆ−Ｒ１３４ａ／−０．５２７７ｘ＋４４．２７７／−０．４２０７ｘ＋２０．９０７）、
点Ｈ’（１００−Ｒ３２−１２３４ｙｆ−Ｒ１３４ａ／−０．８９４８ｘ＋５８．２９８／−１．０５１７ｘ＋３９．４１７）、
及び、
点Ｊ（０．１２７３ｘ２−６．１１０９ｘ＋８３．５５３／０．１５３２ｘ２−１１．４８４ｘ＋１８９．５７／１００−Ｒ３２−Ｒ１２５−１２３４ｙｆ）、
点Ｘ（−０．１６９６ｘ２＋１．０５７５ｘ＋５４．５３７／−０．２２７１ｘ２＋１５．０５ｘ−１７７．２８／１００−Ｒ３２−Ｒ１２５−１２３４ｙｆ）、及び
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）
を頂点とする五角形の範囲に含まれる組成比を有する混合物５、
　（１）−６　２０．８重量％＞ｘ≧１９．０重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は、
２０．０重量％＞ｘ≧１９．０重量％のときは、点
Ｇ’（１００−Ｒ３２−１２３４ｙｆ−Ｒ１３４ａ／−０．５２７７ｘ＋４４．２７７／−０．４２０７ｘ＋２０．９０７）、
点Ｈ’（１００−Ｒ３２−１２３４ｙｆ−Ｒ１３４ａ／−０．８９４８ｘ＋５８．２９８／−１．０５１７ｘ＋３９．４１７）、
２０．８重量％＞ｘ≧２０．０重量％のときは、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｈ’（１００−Ｒ３２−１２３４ｙｆ−Ｒ１３４ａ／−０．９２４４ｘ＋５８．８８３／−０．８８３７ｘ＋３６．０７８）、
及び、
点Ｑ（−０．０１９８ｘ２＋２７．１５７ｘ−３１．２２５／−０．０３７７ｘ２＋３．０４８６ｘ−１７．５９４／１００−Ｒ３２−Ｒ１２５−１２３４ｙｆ）、及び
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）、
を頂点とする四角形の範囲に含まれる組成比を有する混合物６、
　（１）−７　２３．２重量％＞ｘ≧２０．８重量％であり、
　（２）−７　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は、
２２．６重量％＞ｘ≧２０．８重量％のときは、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｈ’（１００−Ｒ３２−１２３４ｙｆ−Ｒ１３４ａ／−０．９２４４ｘ＋５８．８８３／−０．８８３７ｘ＋３６．０７８）、
２３．２重量％＞ｘ≧２２．６重量％のときは
点Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
及び、
点Ｑ（−０．０９８４ｘ２＋６．１６３３ｘ−６８．７２８／−０．０６１７ｘ２＋３．９１４１ｘ−２５．２４３／１００−Ｒ３２−Ｒ１２５−１２３４ｙｆ）、及び
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）
を頂点とする四角形の範囲に含まれる組成比を有する混合物７、
　（１）−８　２５．６重量％＞ｘ≧２３．２重量％であり、
　（２）−８　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は、
２４．５重量％＞ｘ≧２３．２重量％のときは、
点Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
２５．６重量％＞ｘ≧２４．５重量％のときは、
点Ｇ’（１００−Ｒ３２−１２３４ｙｆ−Ｒ１３４ａ／−０．５２４２ｘ＋４４．０３５／−０．４２９０ｘ＋２０．９０２）、
点Ｈ’（１００−Ｒ３２−１２３４ｙｆ−Ｒ１３４ａ／−ｘ＋６０．７／−０．７１４５ｘ＋３２．００１）、
及び、
点Ｑ（−０．０１１５ｘ２＋２．３４２２ｘ−２６．８６８／−０．１０７７ｘ２＋６．４１０４ｘ−５８．３５７／１００−Ｒ３２−Ｒ１２５−１２３４ｙｆ）、及び
点Ｒ（−０．１３９８ｘ２＋８．０２８１ｘ−８１．３９１／−０．０９３２ｘ２＋５．７９３５ｘ−５８．５１４／１００−Ｒ３２−Ｒ１２５−１２３４ｙｆ）
を頂点とする四角形の範囲に含まれる組成比を有する混合物８、並びに
　（１）−９　２６．６重量％≧ｘ≧２５．６重量％であり、
　（２）−９　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５２４２ｘ＋４４．０３５／−０．４２９０ｘ＋２０．９０２）、
点Ｑ（８．２ｘ−１８４．３２／−５ｘ＋１６３．１／１００−Ｒ３２−Ｒ１２５−１２３４ｙｆ）、及び
点Ｒ（１．２ｘ＋１．８８／１．２４６ｘ−３．０４３１／１００−Ｒ３２−Ｒ１２５−１２３４ｙｆ）
を頂点とする三角形の範囲に含まれる組成比を有する混合物９、
からなる群から選択される少なくとも一種を含有する組成物。
　５．フッ素化炭化水素の混合物を含有する組成物であって、
　前記混合物に含まれるフッ素化炭化水素の組成比が、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１５．３重量％＞ｘ≧１４．２重量％であり、（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｔ（１００−Ｒ３２−１２３４ｙｆ−Ｒ１３４ａ／０．０４１５ｘ２＋１．０５４７ｘ＋２１．２５４／０．０８６３ｘ２−３．６２８ｘ＋６４．２５２）、
点Ｋ（０．９０９１ｘ２−２９．０９１ｘ＋２５７．５８／０．８５７９ｘ２−２９．０８５ｘ＋２６７．８８／１００−Ｒ３２−Ｒ１２５−１２３４ｙｆ）、及び
点Ｕ（１．３８９６ｘ２−４７．２６６ｘ＋４１８．７８／−２．８４２２ｘ２＋９７．２９９ｘ−７８０．６５／１００−Ｒ３２−Ｒ１２５−１２３４ｙｆ）
を頂点とする三角形に含まれる組成比を有する混合物１、
　（１）−２　１６．２重量％＞ｘ≧１５．３重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．０５０８ｘ２−２．３５９１ｘ＋６６．９４６／−０．０００８ｘ２−０．６８６１ｘ＋３１．７９８）、
点Ｔ（１００−Ｒ３２−１２３４ｙｆ−Ｒ１３４ａ／−０．０４１５ｘ２＋１．０５４７ｘ＋２１．２５４／０．０８６３ｘ２−３．６２８ｘ＋６４．２５２）、
点Ｋ（−２ｘ＋５５．９／−３．４４３９ｘ＋７６．３９２／１００−Ｒ３２−Ｒ１２５−１２３４ｙｆ）、及び
点Ｊ（−３．５５５６ｘ＋７５．３／１．２０９５ｘ＋２４．２０９／１００−Ｒ３２−Ｒ１２５−１２３４ｙｆ）
を頂点とする四角形の範囲に含まれる組成比を有する混合物２、
　（１）−３　１７．５重量％＞ｘ≧１６．２重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ、点Ｔは、
１７．０重量％＞ｘ≧１６．２重量％のときは、
点Ｓ（１００−Ｒ３２−１２３４ｙｆ−Ｒ１３４ａ／０．０５０８ｘ２−２．３５９１ｘ＋６６．９４６／−０．０００８ｘ２−０．６８６１ｘ＋３１．７９８）、
点Ｔ（１００−Ｒ３２−１２３４ｙｆ−Ｒ１３４ａ／−０．０４１５ｘ２＋１．０５４７ｘ＋２１．２５４／０．０８６３ｘ２−３．６２８ｘ＋６４．２５２）、
１７．５重量％＞ｘ≧１７．０重量％のときは、
点Ｓ（１００−Ｒ３２−１２３４ｙｆ−Ｒ１３４ａ／０．１１０８ｘ２−４．５９０４ｘ＋８７．５０３／０．０９３９ｘ２−４．１７９８ｘ＋６３．８２６）、
点Ｔ（１００−Ｒ３２−１２３４ｙｆ−Ｒ１３４ａ／−０．０７６６ｘ２＋２．５７７９ｘ＋５．５２４２／０．２２８６ｘ２−９．３４４１ｘ＋１２０．２８）、
及び、
点Ｋ（−１．８４８８ｘ＋５３．４４５／−３．１２０６ｘ＋７１．１５３／１００−Ｒ３２−Ｒ１２５−１２３４ｙｆ）、
点Ｊ（−１．６１６３ｘ＋４３．８８２／−６．３６７４ｘ＋１４６．９５／１００−Ｒ３２−Ｒ１２５−１２３４ｙｆ）、及び
点Ｈ’（１００−Ｒ３２−１２３４ｙｆ−Ｒ１３４ａ／−０．９０８３ｘ＋５８．５３６／−０．９７２３ｘ＋３８．０１４）
を頂点とする五角形の範囲に含まれる組成比を有する混合物３、
　（１）−４　１９．０重量％＞ｘ≧１７．５重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１１０８ｘ２−４．５９０４ｘ＋８７．５０３／０．０９３９ｘ２−４．１７９８ｘ＋６３．８２６）、
点Ｔ（１００−Ｒ３２−１２３４ｙｆ−Ｒ１３４ａ／−０．０７６６ｘ２＋２．５７７９ｘ＋５．５２４２／０．２２８６ｘ２−９．３４４１ｘ＋１２０．２８）、
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）、
点Ｘ（−０．１６９６ｘ２＋１．０５７５ｘ＋５４．５３７／−０．２２７１ｘ２＋１５．０５ｘ−１７７．２８／１００−Ｒ３２−Ｒ１２５−１２３４ｙｆ）
点Ｊ（０．１２７３ｘ２−６．１１０９ｘ＋８３．５５３／０．１５３２ｘ２−１１．４８４ｘ＋１８９．５７／１００−Ｒ３２−Ｒ１２５−１２３４ｙｆ）、及び
点Ｈ’は、
１８．１重量％＞ｘ≧１７．５重量％のときは、
点Ｈ’（１００−Ｒ３２−１２３４ｙｆ−Ｒ１３４ａ／−０．９０８３ｘ＋５８．５３６／−０．９７２３ｘ＋３８．０１４）、
１９．０重量％＞ｘ≧１８．１重量％のときは、
点Ｈ’（１００−Ｒ３２−１２３４ｙｆ−Ｒ１３４ａ／−０．８９４８ｘ＋５８．２９８／−１．０５１７ｘ＋３９．４１７）、
を頂点とする六角形の範囲に含まれる組成比を有する混合物４、
　（１）−５　２０．８重量％＞ｘ≧１９．０重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１２６３ｘ２−５．６７４９ｘ＋１０２．５６／−０．０２９ｘ２＋０．４２９８ｘ＋２０．５９４）、
点Ｔ（１００−Ｒ３２−１２３４ｙｆ−Ｒ１３４ａ／０．１４５１ｘ２−６．０７４４ｘ＋８９．９８１／−０．２３６４ｘ２＋８．５３７２ｘ−５１．５８２）、
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）、
点Ｑ（−０．０１９８ｘ２＋２７．１５７ｘ−３１．２２５／−０．０３７７ｘ２＋３．０４８６ｘ−１７．５９４／１００−Ｒ３２−Ｒ１２５−１２３４ｙｆ）、及び点Ｈ’は、
２０．０重量％＞ｘ≧１９．０重量％のときは、
点Ｈ’（１００−Ｒ３２−１２３４ｙｆ−Ｒ１３４ａ／−０．８９４８ｘ＋５８．２９８／−１．０５１７ｘ＋３９．４１７）、
２０．８重量％＞ｘ≧２０．０重量％のときは、
点Ｈ’（１００−Ｒ３２−１２３４ｙｆ−Ｒ１３４ａ／−０．９２４４ｘ＋５８．８８３／−０．８８３７ｘ＋３６．０７８）、
を頂点とする五角形の範囲に含まれる組成比を有する混合物５、
　（１）−６　２３．２重量％＞ｘ≧２０．８重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１０１７ｘ２−５．１８７２ｘ＋１０２．９９／０．００３４ｘ２−０．７３１３ｘ＋３０．６９２）、
点Ｔ（１００−Ｒ３２−１２３４ｙｆ−Ｒ１３４ａ／−０．０３１８ｘ２＋１．１６５７ｘ＋１５．８６９／−０．１２３ｘ２＋４．４５４１ｘ−１５．７３５）、
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）、
点Ｑ（−０．０９８４ｘ２＋６．１６３３ｘ−６８．７２８／−０．０６１７ｘ２＋３．９１４１ｘ−２５．２４３／１００−Ｒ３２−Ｒ１２５−１２３４ｙｆ）、及び
点Ｈ’は
２２．６重量％＞ｘ≧２０．８重量％のときは、
点Ｈ’（１００−Ｒ３２−１２３４ｙｆ−Ｒ１３４ａ／−０．９２４４ｘ＋５８．８８３／−０．８８３７ｘ＋３６．０７８）、
２３．２重量％＞ｘ≧２２．６重量％のときは、
点Ｈ’（１００−Ｒ３２−１２３４ｙｆ−Ｒ１３４ａ／−０．９４３５ｘ＋５９．３０８／−０．８４２８ｘ＋３５．１４９）、
を頂点とする五角形の範囲に含まれる組成比を有する混合物６、並びに
　（１）−７　２５．４重量％≧ｘ≧２３．２重量％であり、
　（２）−７　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／−０．０３１７ｘ２＋０．４５１１ｘ＋４３．９７９／０．０７５ｘ２−４．１９１３ｘ＋７２．４９４）、
点α（０．０３２４ｘ２−３．５７４６ｘ＋９５．０９２／０．０１９３ｘ２＋３．２４８７ｘ−５９．９４４／１００−Ｒ３２−Ｒ１２５−１２３４ｙｆ）、及び
点Ｑ（−０．０１１５ｘ２＋２．３４２２ｘ−２６．８６８／−０．１０７７ｘ２＋６．４１０４ｘ−５８．３５７／１００−Ｒ３２−Ｒ１２５−１２３４ｙｆ）
を頂点とする三角形の範囲に含まれる組成比を有する混合物７、
からなる群から選択される少なくとも一種を含有する組成物。
　６．フッ素化炭化水素の混合物を含有する組成物であって、前記混合物が、ＨＣＦＣ−１１２２、ＨＣＦＣ−１２４、ＣＦＣ−１１１３及び３，３，３−トリフルオロプロピンからなる群より選択される少なくとも１種のフッ素化炭化水素、Ｒ３２、Ｒ１２５、Ｒ１３４ａ及び１２３４ｙｆを含有する組成物。
　７．フッ素化炭化水素の混合物を含有する組成物であって、前記混合物が、ジフルオロクロロメタン、クロロメタン、２−クロロ−１，１，１，２，２−ペンタフルオロエタン、２−クロロ−１，１，１，２−テトラフルオロエタン、２−クロロ−１，１−ジフルオロエチレン及びトリフルオロエチレンからなる群から選択される少なくとも１種のハロゲン化有機化合物、Ｒ３２、Ｒ１２５、Ｒ１３４ａ及び１２３４ｙｆを含有する組成物。
　８．フッ素化炭化水素の混合物を含有する組成物であって、前記混合物が、プロパン及びイソブタンから選択される少なくとも１種の有機化合物、Ｒ３２、Ｒ１２５、Ｒ１３４ａ及び１２３４ｙｆを含有する組成物。
　９．フッ素化炭化水素の混合物を含有する組成物であって、前記混合物が、Ｒ３２、Ｒ１２５、Ｒ１３４ａ、１２３４ｙｆ及び水を含む組成物。
　１０．冷凍機油を含有する、上記項１〜９のいずれかに記載の組成物。
　１１．前記冷凍機油が、ポリアルキレングリコール（ＰＡＧ）、ポリオールエステル（ＰＯＥ）及びポリビニルエーテル（ＰＶＥ）からなる群より選択される少なくとも１種のポリマーを含有する、上記項１０に記載の組成物。
　１２．混合冷媒であるＲ４０４Ａ（Ｒ１２５／Ｒ１３４ａ／Ｒ１４３ａ＝４４／４／５２重量％）の代替冷媒である、上記項１、２及び４〜１１のいずれかに記載の組成物。
　１３．ＨＣＦＣ冷媒であるＲ２２の代替冷媒である、上記項１〜３及び６〜１１のいずれかに記載の組成物。
　１４．トレーサー、相溶化剤、紫外線蛍光染料、安定剤及び重合禁止剤からなる群より選択される少なくとも１種の物質を含む、上記項１〜１３のいずれかに記載の組成物。
　１５．前記組成物が、前記フッ素化炭化水素の混合物のみからなる、上記項１〜１４のいずれかに記載の組成物。
　１６．上記項１〜１５のいずれかに記載の組成物を用いて冷凍サイクルを運転する工程を含む、冷凍方法。
　１７．上記項１〜１５のいずれかに記載の組成物を用いて冷凍サイクルを運転する、冷凍機の運転方法。
　１８．上記項１〜１５のいずれかに記載の組成物を含む冷凍機。
　１９．冷蔵庫、冷凍庫、冷水機、製氷機、冷蔵ショーケース、冷凍ショーケース、冷凍冷蔵ユニット、冷凍冷蔵倉庫用冷凍機、チラー（チリングユニット）、ターボ冷凍機及びスクリュー冷凍機からなる群から選択される少なくとも１種に使用する、上記項１〜１５のいずれかに記載の組成物。
　【発明の効果】
　【００１２】
　本発明の組成物は、フッ素化炭化水素の混合物を含有する組成物であって、前記混合物が、ジフルオロメタン（Ｒ３２）、ペンタフルオロエタン（Ｒ１２５）、２，３，３，３−テトラフルオロプロペン（１２３４ｙｆ）及び１，１，１，２−テトラフルオロエタン（Ｒ１３４ａ）を特定濃度で含むことにより、１５００以下のＧＷＰ及びＡＳＨＲＡＥ不燃の性能を兼ね備える。
　【図面の簡単な説明】
　【００１３】
　【図１】ジフルオロメタン（Ｒ３２）、ペンタフルオロエタン（Ｒ１２５）、２，３，３，３−テトラフルオロプロペン（１２３４ｙｆ）及び１，１，１，２−テトラフルオロエタン（Ｒ１３４ａ）の基本４成分の混合物において、実験例１から求めた、Ｒ３２の濃度が２２．６重量％である場合における、Ｒ１２５、１２３４ｙｆ及びＲ１３４ａの３成分組成図上のＡＳＨＲＡＥ不燃限界組成（６点の○印）及びそれらを結ぶ回帰線（点Ｇ、Ｈを結ぶ直線及び点Ｈ、Ｉを結ぶ直線）を示す図である。
　【図２−７】Ｒ３２の濃度がそれぞれ１０．８、１２．４、１４．８、１６．１、１８．１、１９．０重量％である場合における、Ｒ１２５、１２３４ｙｆ及びＲ１３４ａの３成分組成図上の、前記混合物の組成（点Ｇ、Ｈ、Ｉ、Ｎ及びＤで囲まれる五角形、及び、点Ｇ’、Ｈ’、Ｉ’、Ｎ及びＤで囲まれる五角形）を示す図である。線分ＡＤから１２３４ｙｆ側がＧＷＰが１５００以下の領域を示し、線分ＧＨＩ（線分ＧＨ及び線分ＨＩを意味し、纏めて線分ＧＨＩという。以下同様。）からＲ１２５側がＡＳＨＲＡＥ不燃となる領域を示す。また、点ＧＨＩＮＤで囲まれる五角形はＧＷＰが１５００以下で、かつ、ＡＳＨＲＡＥ不燃となる領域を示し、点Ｇ’Ｈ’Ｉ’ＮＤで囲まれる五角形はＧＷＰが１５００以下で、かつ、不燃冷媒Ｒ１３４ａとＲ１２５に後述する安全率を加味したＡＳＨＲＡＥ不燃となる領域を示す。
　【図８−１４】Ｒ３２の濃度がそれぞれ２０．０、２１．６、２２．６、２３．２、２４．５、２５．６、２６．６重量％である場合における、Ｒ１２５、１２３４ｙｆ及びＲ１３４ａの３成分組成図上の、前記混合物の組成（点Ｇ、Ｈ、Ｉ及びＤで囲まれる四角形、及び、点Ｇ’、Ｈ’、Ｉ’及びＤで囲まれる四角形）を示す図である。点ＧＨＩＤで囲まれる四角形はＧＷＰが１５００以下で、かつ、ＡＳＨＲＡＥ不燃となる領域を示し、点Ｇ’Ｈ’Ｉ’Ｄで囲まれる四角形はＧＷＰが１５００以下で、かつ、不燃冷媒Ｒ１３４ａとＲ１２５に後述する安全率を加味したＡＳＨＲＡＥ不燃となる領域を示す。
　【図１５】Ｒ３２の濃度が１０．８重量％である場合における、Ｒ１２５、１２３４ｙｆ及びＲ１３４ａの３成分組成図上の、前記混合物の組成（点Ｂ（Ｂ＝Ｃ＝Ｇ’）、Ｆ及びＥで囲まれる三角形、及び、点Ｂ’、Ｃ’、Ｆ’及びＥ’で囲まれる四角形）を示す図である。点ＢＦＥで囲まれる三角形はＧＷＰが１５００以下で、安全率を加味したＡＳＨＲＡＥ不燃となり、かつ、圧縮機出口圧力がＲ２２の圧力に対して±２．５％以内となる領域を示し、点Ｂ’Ｃ’Ｆ’Ｅ’で囲まれる四角形はＧＷＰが１５００以下で、安全率を加味したＡＳＨＲＡＥ不燃となり、かつ、圧縮機出口圧力がＲ２２の圧力に対して±１．２５％以内となる領域を示す。
　【図１６−１７】Ｒ３２の濃度がそれぞれ１２．４、１４．１重量％である場合における、Ｒ１２５、１２３４ｙｆ及びＲ１３４ａの３成分組成図上の、前記混合物の組成（点Ｂ、Ｃ、Ｆ及びＥで囲まれる四角形、及び、点Ｂ’、Ｃ’、Ｆ’及びＥ’で囲まれる四角形）を示す図である。点ＢＣＦＥで囲まれる四角形はＧＷＰが１５００以下で、安全率を加味したＡＳＨＲＡＥ不燃となり、かつ、圧縮機出口圧力がＲ２２の圧力に対して±２．５％以内となる領域を示し、点Ｂ’Ｃ’Ｆ’Ｅ’で囲まれる四角形はＧＷＰが１５００以下で、安全率を加味したＡＳＨＲＡＥ不燃となり、かつ、圧縮機出口圧力がＲ２２の圧力に対して±１．２５％以内となる領域を示す。
　【図１８−１９】Ｒ３２の濃度がそれぞれ１４．８、１６．１重量％である場合における、Ｒ１２５、１２３４ｙｆ及びＲ１３４ａの３成分組成図上の、前記混合物の組成（点Ｂ、Ｃ、Ｆ、Ｅ及びＨ’で囲まれる五角形、及び、点Ｂ’、Ｃ’、Ｆ’及びＥ’で囲まれる四角形）を示す図である。点ＢＣＦＥＨ’で囲まれる五角形はＧＷＰが１５００以下で、安全率を加味したＡＳＨＲＡＥ不燃となり、かつ、圧縮機出口圧力がＲ２２の圧力に対して±２．５％以内となる領域を示し、点Ｂ’Ｃ’Ｆ’Ｅ’で囲まれる四角形はＧＷＰが１５００以下で、安全率を加味したＡＳＨＲＡＥ不燃となり、かつ、圧縮機出口圧力がＲ２２の圧力に対して±１．２５％以内となる領域を示す。
　【図２０−２４】Ｒ３２の濃度がそれぞれ１６．８、１８．１、１８．７、２０．０、２１．６重量％である場合における、Ｒ１２５、１２３４ｙｆ及びＲ１３４ａの３成分組成図上の、前記混合物の組成（点Ｂ、Ｃ、Ｆ及びＥで囲まれる四角形、及び、点Ｂ’、Ｃ’、Ｆ’及びＥ’で囲まれる四角形）を示す図である。点ＢＣＦＥで囲まれる四角形はＧＷＰが１５００以下で、安全率を加味したＡＳＨＲＡＥ不燃となり、かつ、圧縮機出口圧力がＲ２２の圧力に対して±２．５％以内となる領域を示し、点Ｂ’Ｃ’Ｆ’Ｅ’で囲まれる四角形はＧＷＰが１５００以下で、安全率を加味したＡＳＨＲＡＥ不燃となり、かつ、圧縮機出口圧力がＲ２２の圧力に対して±１．２５％以内となる領域を示す。
　【図２５】Ｒ３２の濃度が２２．６重量％である場合における、Ｒ１２５、１２３４ｙｆ及びＲ１３４ａの３成分組成図上の、前記混合物の組成（点Ｂ、Ｃ、Ｄ、Ｆ及びＥで囲まれる五角形、及び、点Ｂ’、Ｃ’、Ｆ’（＝Ｄ）及びＥ’で囲まれる四角形）を示す図である。点ＢＣＤＦＥで囲まれる五角形はＧＷＰが１５００以下で、安全率を加味したＡＳＨＲＡＥ不燃となり、かつ、圧縮機出口圧力がＲ２２の圧力に対して±２．５％以内となる領域を示し、点Ｂ’Ｃ’Ｆ’Ｅ’で囲まれる四角形はＧＷＰが１５００以下で、安全率を加味したＡＳＨＲＡＥ不燃となり、かつ、圧縮機出口圧力がＲ２２の圧力に対して±１．２５％以内となる領域を示す。
　【図２６】Ｒ３２の濃度が２４．２重量％である場合における、Ｒ１２５、１２３４ｙｆ及びＲ１３４ａの３成分組成図上の、前記混合物の組成（点Ｂ、Ｃ、Ｄ、及びＦ（Ｆ＝Ｅ＝Ｉ’）で囲まれる四角形、及び、点Ｂ’、Ｃ’、Ｄ、Ｆ’及びＥ’で囲まれる五角形）を示す図である。点ＢＣＤＦで囲まれる四角形はＧＷＰが１５００以下で、安全率を加味したＡＳＨＲＡＥ不燃となり、かつ、圧縮機出口圧力がＲ２２の圧力に対して±２．５％以内となる領域を示し、点Ｂ’Ｃ’ＤＦ’Ｅ’で囲まれる五角形はＧＷＰが１５００以下で、安全率を加味したＡＳＨＲＡＥ不燃となり、かつ、圧縮機出口圧力がＲ２２の圧力に対して±１．２５％以内となる領域を示す。
　【図２７】Ｒ３２の濃度が２４．５重量％である場合における、Ｒ１２５、１２３４ｙｆ及びＲ１３４ａの３成分組成図上の、前記混合物の組成（点Ｂ、Ｃ、Ｄ、及びＩ’で囲まれる四角形、及び、点Ｂ’、Ｃ’（＝Ｄ）、Ｆ’及びＥ’で囲まれる四角形）を示す図である。点ＢＣＤＩ’で囲まれる四角形はＧＷＰが１５００以下で、安全率を加味したＡＳＨＲＡＥ不燃となり、かつ、圧縮機出口圧力がＲ２２の圧力に対して±２．５％以内となる領域を示し、点Ｂ’Ｃ’Ｆ’Ｅ’で囲まれる四角形はＧＷＰが１５００以下で、安全率を加味したＡＳＨＲＡＥ不燃となり、かつ、圧縮機出口圧力がＲ２２の圧力に対して±１．２５％以内となる領域を示す。
　【図２８】Ｒ３２の濃度が２５．１重量％である場合における、Ｒ１２５、１２３４ｙｆ及びＲ１３４ａの３成分組成図上の、前記混合物の組成（点Ｂ、Ｃ、Ｄ、及びＩ’で囲まれる四角形、及び、点Ｂ’、Ｃ’及びＦ’（Ｆ’＝Ｅ’＝Ｉ’）で囲まれる三角形）を示す図である。点ＢＣＤＩ’で囲まれる四角形はＧＷＰが１５００以下で、安全率を加味したＡＳＨＲＡＥ不燃となり、かつ、圧縮機出口圧力がＲ２２の圧力に対して±２．５％以内となる領域を示し、点Ｂ’Ｃ’Ｆ’で囲まれる三角形はＧＷＰが１５００以下で、安全率を加味したＡＳＨＲＡＥ不燃となり、かつ、圧縮機出口圧力がＲ２２の圧力に対して±１．２５％以内となる領域を示す。
　【図２９】Ｒ３２の濃度が１１．６重量％である場合における、Ｒ１２５、１２３４ｙｆ及びＲ１３４ａの３成分組成図上の、前記混合物の組成（点Ｊ（Ｊ＝Ｋ＝Ｇ’で示される）を示す図である。線分ＱＲから１２３４ｙｆ側は圧縮機出口温度が１１５℃以下となる領域を示し、線分ＳＴからＲ１３４ａ側はＣＯＰが１０７．７５％以上となる領域を示す。また、点ＪはＧＷＰが１５００以下で、安全率を加味したＡＳＨＲＡＥ不燃となり、圧縮機出口温度が１１５℃以下で、かつ、冷凍能力がＲ４０４Ａに対して８５％となる点を示す。
　【図３０】Ｒ３２の濃度が１４．２重量％である場合における、Ｒ１２５、１２３４ｙｆ及びＲ１３４ａの３成分組成図上の、前記混合物の組成（点Ｇ’、Ｊ及びＫで囲まれる三角形）を示す図である。点Ｇ’ＪＫで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。
　【図３１】Ｒ３２の濃度が１４．５重量％である場合における、Ｒ１２５、１２３４ｙｆ及びＲ１３４ａの３成分組成図上の、前記混合物の組成（点Ｇ’、Ｊ及びＫで囲まれる三角形、点Ｔ、Ｋ及びＵで囲まれる三角形、及び点Ｌ（Ｌ＝Ｍ＝Ｇ’））を示す図である。点Ｇ’ＪＫで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＴＫＵで囲まれる三角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点ＬはＧＷＰが１５００以下で、安全率を加味したＡＳＨＲＡＥ不燃となり、圧縮機出口温度が１１５℃以下で、かつ、冷凍能力がＲ４０４Ａに対して９０％となる点を示す。
　【図３２】Ｒ３２の濃度が１５．３重量％である場合における、Ｒ１２５、１２３４ｙｆ及びＲ１３４ａの３成分組成図上の、前記混合物の組成（点Ｇ’、Ｊ及びＫで囲まれる三角形、点Ｔ、Ｋ及びＵ（Ｕ＝Ｊ＝Ｓ）で囲まれる三角形、及び、点Ｇ’、Ｌ及びＭで囲まれる三角形））を示す図である。点Ｇ’ＪＫで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＴＫＵで囲まれる三角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点Ｇ’ＬＭで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。
　【図３３】Ｒ３２の濃度が１６．２重量％である場合における、Ｒ１２５、１２３４ｙｆ及びＲ１３４ａの３成分組成図上の、前記混合物の組成（点Ｇ’、Ｊ（Ｊ＝Ｈ’）及びＫで囲まれる三角形、点Ｓ、Ｔ、Ｋ及びＪ（Ｊ＝Ｈ’）で囲まれる四角形、及び、点Ｇ’、Ｌ及びＭで囲まれる三角形））を示す図である。点Ｇ’ＪＫで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＳＴＫＪで囲まれる四角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点Ｇ’ＬＭで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。
　【図３４】Ｒ３２の濃度が１７．０重量％である場合における、Ｒ１２５、１２３４ｙｆ及びＲ１３４ａの３成分組成図上の、前記混合物の組成（点Ｇ’、Ｈ’、Ｊ及びＫで囲まれる四角形、点Ｓ、Ｔ、Ｋ、Ｊ及びＨ’で囲まれる五角形、及び、点Ｇ’、Ｌ及びＭ（Ｍ＝Ｔ）で囲まれる三角形））を示す図である。点Ｇ’Ｈ’ＪＫで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＳＴＫＪＨ’で囲まれる五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点Ｇ’ＬＭで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。
　【図３５】Ｒ３２の濃度が１７．５重量％である場合における、Ｒ１２５、１２３４ｙｆ及びＲ１３４ａの３成分組成図上の、前記混合物の組成（点Ｇ’、Ｈ’、Ｊ及びＫ（Ｋ＝Ｒ）で囲まれる四角形、点Ｓ、Ｔ、Ｋ（Ｋ＝Ｒ）、Ｊ及びＨ’で囲まれる五角形、点Ｇ’、Ｌ及びＭで囲まれる三角形、点Ｔ、Ｍ及びＶで囲まれる三角形、及び点Ｏ（Ｏ＝Ｐ＝Ｇ’））を示す図である。点Ｇ’Ｈ’ＪＫで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＳＴＫＪＨ’で囲まれる五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点Ｇ’ＬＭで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。点ＴＭＶで囲まれた三角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９０％以上となる領域を示す。点Ｏ（Ｏ＝Ｐ＝Ｇ’）はＧＷＰが１５００で、安全率を見込んだＡＳＨＲＡＥ不燃で、かつ、冷凍能力がＲ４０４Ａに対して９５％となる点を示す。
　【図３６】Ｒ３２の濃度が１８．０重量％である場合における、Ｒ１２５、１２３４ｙｆ及びＲ１３４ａの３成分組成図上の、前記混合物の組成（点Ｇ’、Ｈ’、Ｊ、Ｘ及びＫ）で囲まれる四角形、点Ｓ、Ｔ、Ｒ、Ｘ、Ｊ及びＨ’で囲まれる六角形、点Ｇ’、Ｌ（Ｌ＝Ｓ）及びＭで囲まれる三角形、点Ｔ、Ｍ及びＶ（Ｖ＝Ｌ＝Ｓ）で囲まれる三角形、及び点Ｇ’、Ｏ及びＰで囲まれる三角形）を示す図である。点Ｇ’Ｈ’ＪＸＫで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＳＴＲＸＪＨ’で囲まれる六角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点Ｇ’ＬＭで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。点ＴＭＶで囲まれた三角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９０％以上となる領域を示す。点Ｇ’ＯＰで囲まれる三角形はＧＷＰが１５００以下で、安全率を見込んだＡＳＨＲＡＥ不燃で、かつ、冷凍能力がＲ４０４Ａに対して９５％以上となる領域を示す。
　【図３７】Ｒ３２の濃度が１８．７重量％である場合における、Ｒ１２５、１２３４ｙｆ及びＲ１３４ａの３成分組成図上の、前記混合物の組成（点Ｇ’、Ｈ’、Ｊ、Ｘ及びＲ）で囲まれる五角形、点Ｓ、Ｔ、Ｒ、Ｘ、Ｊ及びＨ’で囲まれる六角形、点Ｇ’、Ｌ（Ｌ＝Ｈ’）及びＭで囲まれる三角形、点Ｓ、Ｔ、Ｍ及びＬ（Ｌ＝Ｈ’）で囲まれる四角形、及び点Ｇ’、Ｏ及びＰで囲まれる三角形）を示す図である。点Ｇ’Ｈ’ＪＸＫで囲まれる五角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＳＴＲＸＪＨ’で囲まれる六角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点Ｇ’ＬＭで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。点ＳＴＭＬで囲まれた四角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９０％以上となる領域を示す。点Ｇ’ＯＰで囲まれる三角形はＧＷＰが１５００以下で、安全率を見込んだＡＳＨＲＡＥ不燃で、かつ、冷凍能力がＲ４０４Ａに対して９５％以上となる領域を示す。
　【図３８】Ｒ３２の濃度が１９．０重量％である場合における、Ｒ１２５、１２３４ｙｆ及びＲ１３４ａの３成分組成図上の、前記混合物の組成（点Ｇ’、Ｈ’、Ｑ（Ｑ＝Ｊ）及びＲで囲まれる四角形、点Ｓ、Ｔ、Ｒ、Ｑ（Ｑ＝Ｊ）及びＨ’で囲まれる五角形、点Ｇ’、Ｈ’、Ｌ及びＭで囲まれる四角形、点Ｓ、Ｔ、Ｍ、Ｌ及びＨ’で囲まれる五角形、及び点Ｇ’、Ｏ及びＰで囲まれる三角形を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＳＴＲＱＨ’で囲まれる五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点Ｇ’Ｈ’ＬＭで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。点ＳＴＭＬＨ’で囲まれた五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９０％以上となる領域を示す。
点Ｇ’ＯＰで囲まれる三角形はＧＷＰが１５００以下で、安全率を見込んだＡＳＨＲＡＥ不燃で、かつ、冷凍能力がＲ４０４Ａに対して９５％以上となる領域を示す。
　【図３９】Ｒ３２の濃度が１９．３重量％である場合における、Ｒ１２５、１２３４ｙｆ及びＲ１３４ａの３成分組成図上の、前記混合物の組成（点Ｇ’、Ｈ’、Ｑ及びＲで囲まれる四角形、点Ｓ、Ｔ、Ｒ、Ｑ及びＨ’で囲まれる五角形、点Ｇ’、Ｈ’、Ｌ及びＭ（Ｍ＝Ｒ）で囲まれる四角形、点Ｓ、Ｔ、Ｍ（Ｍ＝Ｒ）、Ｌ及びＨ’で囲まれる五角形、及び点Ｇ’、Ｏ及びＰで囲まれる三角形）を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＳＴＲＱＨ’で囲まれる五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点Ｇ’Ｈ’ＬＭで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。点ＳＴＭＬＨ’で囲まれた五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９０％以上となる領域を示す。点Ｇ’ＯＰで囲まれる三角形はＧＷＰが１５００以下で、安全率を見込んだＡＳＨＲＡＥ不燃で、かつ、冷凍能力がＲ４０４Ａに対して９５％以上となる領域を示す。
　【図４０】Ｒ３２の濃度が２０．０重量％である場合における、Ｒ１２５、１２３４ｙｆ及びＲ１３４ａの３成分組成図上の、前記混合物の組成（点Ｇ’、Ｈ’、Ｑ及びＲで囲まれる四角形、点Ｓ、Ｔ、Ｒ、Ｑ及びＨ’で囲まれる五角形、点Ｇ’、Ｈ’、Ｌ、Ｙ及びＲで囲まれる五角形、点Ｓ、Ｔ、Ｒ、Ｙ、Ｌ及びＨ’で囲まれる六角形、及び点Ｇ’、Ｏ及びＰ（Ｐ＝Ｔ＝Ｗ）で囲まれる三角形）を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して８５％以上となる領域を示す。点ＳＴＲＱＨ’で囲まれる五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して８５％以上となる領域を示す。点Ｇ’Ｈ’ＬＹＭで囲まれる五角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。点ＳＴＲＹＬＨ’で囲まれた六角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９０％以上となる領域を示す。点Ｇ’ＯＰで囲まれる三角形はＧＷＰが１５００以下で、安全率を見込んだＡＳＨＲＡＥ不燃で、かつ、冷凍能力がＲ４０４Ａに対して９５％以上となる領域を示す。
　【図４１】Ｒ３２の濃度が２０．８重量％である場合における、Ｒ１２５、１２３４ｙｆ及びＲ１３４ａの３成分組成図上の、前記混合物の組成（点Ｇ’、Ｈ’、Ｑ及びＲで囲まれる四角形、点Ｓ、Ｔ、Ｒ、Ｑ及びＨ’で囲まれる五角形、及び点Ｇ’、Ｏ（Ｏ＝Ｓ＝Ｗ）及びＰで囲まれる三角形、及び、点Ｔ、Ｐ及びＷ（Ｗ＝Ｓ＝Ｏ）で囲まれた三角形）を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。点ＳＴＲＱＨ’で囲まれる五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９０％以上となる領域を示す。点Ｇ’ＯＰで囲まれる三角形はＧＷＰが１５００以下で、安全率を見込んだＡＳＨＲＡＥ不燃で、かつ、冷凍能力がＲ４０４Ａに対して９５％以上となる領域を示す。点ＴＰＷで囲まれる三角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９５％以上となる領域を示す。
　【図４２】Ｒ３２の濃度が２１．２重量％である場合における、Ｒ１２５、１２３４ｙｆ及びＲ１３４ａの３成分組成図上の、前記混合物の組成（点Ｇ’、Ｈ’、Ｑ及びＲで囲まれる四角形、点Ｓ、Ｔ、Ｒ、Ｑ及びＨ’で囲まれる五角形、及び点Ｇ’、Ｏ（Ｏ＝Ｈ’）及びＰ（Ｐ＝Ｒ）で囲まれる三角形、及び、点Ｓ、Ｔ、Ｐ及びＯ（Ｏ＝Ｈ’）で囲まれる四角形）を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。点ＳＴＲＱＨ’で囲まれる五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９０％以上となる領域を示す。点Ｇ’ＯＰで囲まれる三角形はＧＷＰが１５００以下で、安全率を見込んだＡＳＨＲＡＥ不燃で、かつ、冷凍能力がＲ４０４Ａに対して９５％以上となる領域を示す。点ＳＴＰＯで囲まれる四角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９５％以上となる領域を示す。
　【図４３】Ｒ３２の濃度が２１．６重量％である場合における、Ｒ１２５、１２３４ｙｆ及びＲ１３４ａの３成分組成図上の、前記混合物の組成（点Ｇ’、Ｈ’、Ｑ及びＲで囲まれる四角形、点Ｓ、Ｔ、Ｒ、Ｑ及びＨ’で囲まれる五角形、及び点Ｇ’、Ｈ’、Ｏ及びＰで囲まれる四角形、及び、点Ｓ、Ｔ、Ｒ、Ｚ、Ｏ及びＨ’で囲まれる六角形）を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して９０％以上となる領域を示す。点ＳＴＲＱＨ’で囲まれる五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９０％以上となる領域を示す。点Ｇ’Ｈ’ＯＰで囲まれる四角形はＧＷＰが１５００以下で、安全率を見込んだＡＳＨＲＡＥ不燃で、かつ、冷凍能力がＲ４０４Ａに対して９５％以上となる領域を示す。点ＳＴＲＺＯＨ’で囲まれる六角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９５％以上となる領域を示す。
　【図４４】Ｒ３２の濃度が２２．６重量％である場合における、Ｒ１２５、１２３４ｙｆ及びＲ１３４ａの３成分組成図上の、前記混合物の組成（点Ｇ’、Ｈ’、Ｑ及びＲで囲まれる四角形、点Ｓ、Ｔ、Ｒ、Ｑ及びＨ’で囲まれる五角形）を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して９５％以上となる領域を示す。点ＳＴＲＱＨ’で囲まれる五角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９５％以上となる領域を示す。
　【図４５】Ｒ３２の濃度が２３．２重量％である場合における、Ｒ１２５、１２３４ｙｆ及びＲ１３４ａの３成分組成図上の、前記混合物の組成（点Ｇ’、Ｈ’、Ｑ及びＲで囲まれる四角形、点Ｓ（Ｓ＝Ｈ’）、Ｔ（Ｔ＝Ｒ）、及びＱで囲まれる三角形）を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して９５％以上となる領域を示す。点ＳＴＱで囲まれる三角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９５％以上となる領域を示す。
　【図４６】Ｒ３２の濃度が２４．７重量％である場合における、Ｒ１２５、１２３４ｙｆ及びＲ１３４ａの３成分組成図上の、前記混合物の組成（点Ｇ’、Ｈ’、Ｑ及びＲで囲まれる四角形、点Ｓ、α及びＱで囲まれる三角形）を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して９５％以上となる領域を示す。点ＳαＱで囲まれる三角形はＧＷＰが１５００以下で、安全率を加味したＡＳＨＲＡＥ不燃となり、圧縮機出口温度が１１５℃以下で、ＣＯＰがＲ４０４Ａに対して１０７．７５％以上となり、かつ、冷凍能力がＲ４０４Ａに対して９５％以上となる領域を示す。
　【図４７】Ｒ３２の濃度が２５．４重量％である場合における、Ｒ１２５、１２３４ｙｆ及びＲ１３４ａの３成分組成図上の、前記混合物の組成（点Ｇ’、Ｈ’、Ｑ（Ｑ＝Ｓ）及びＲで囲まれる四角形）を示す図である。点Ｇ’Ｈ’ＱＲで囲まれる四角形はＧＷＰが１５００以下で、安全率を加味したＡＳＨＲＡＥ不燃となり、圧縮機出口温度が１１５℃以下で、かつ、冷凍能力がＲ４０４Ａに対して９５％以上となる領域を示す。
　【図４８】Ｒ３２の濃度が２５．６重量％である場合における、Ｒ１２５、１２３４ｙｆ及びＲ１３４ａの３成分組成図上の、前記混合物の組成（点Ｇ’、Ｑ（Ｑ＝Ｈ’）及びＲで囲まれる三角形）を示す図である。点Ｇ’ＱＲで囲まれる三角形はＧＷＰが１５００以下で、安全率を加味したＡＳＨＲＡＥ不燃となり、圧縮機出口温度が１１５℃以下で、かつ、冷凍能力がＲ４０４Ａに対して９５％以上となる領域を示す。
　【図４９】Ｒ３２の濃度が２６．６重量％である場合における、Ｒ１２５、１２３４ｙｆ及びＲ１３４ａの３成分組成図上の、前記混合物の組成（点Ｑ（Ｑ＝Ｒ＝Ｇ’））を示す図である。点ＱはＧＷＰが１５００以下で、安全率を加味したＡＳＨＲＡＥ不燃となり、圧縮機出口温度が１１５℃以下で、かつ、冷凍能力がＲ４０４Ａに対して９５％となる領域を示す。
　【発明を実施するための形態】
　【００１４】
　本発明は、第一の形態〜第五の形態に大別される。以下にそれぞれの形態について詳細に記載する。以下、各点の説明及び近似式の説明における「ｘ２」は「ｘ２」を表す。
　【００１５】
　
第一の形態
　本発明の第一の形態について詳細に記載する。
　【００１６】
　
組成物
　本発明の第一の形態の組成物（以下、第一の形態の欄において「本発明の組成物」とも称する）は、フッ素化炭化水素の混合物を含有する組成物であって、前記混合物が、ジフルオロメタン（Ｒ３２）、ペンタフルオロエタン（Ｒ１２５）、２，３，３，３−テトラフルオロプロペン（１２３４ｙｆ）及び１，１，１，２−テトラフルオロエタン（Ｒ１３４ａ）を特定濃度で含む。
　【００１７】
　本発明の組成物は、ＧＷＰが１５００以下であり、かつＡＳＨＲＡＥ不燃の性能を兼ね備える。
　【００１８】
　ＧＷＰは１５００以下とすることによって、地球温暖化の観点から他の汎用冷媒と比べて顕著に環境負荷を抑えることができる。また、ＡＳＨＲＡＥ不燃であることにより、可燃性冷媒に比して安全性が高く使用可能範囲が広い。
　【００１９】
　本発明の組成物は、好ましくは冷凍能力がＲ４０４Ａと同等であり、具体的には、Ｒ４０４Ａに対する冷凍能力は８５％以上が好ましく、９０％以上がより好ましく、９５％以上が更に好ましく、１００％以上が特に好ましい。Ｒ４０４Ａは冷凍用及び冷蔵用の冷媒として現在広く用いられている冷媒であり、本発明の組成物はＲ４０４Ａの代替冷媒であることができる。
　【００２０】
　本発明の組成物は、冷凍サイクルでの圧縮機出口温度は、冷凍機油劣化防止の観点から１３０℃以下が好ましく、１２０℃以下がより好ましく、１１５℃以下が特に好ましい。
　【００２１】
　本発明の組成物は、冷凍サイクルで消費された動力と冷凍能力の比（成績係数（ＣＯＰ））が高いことが好ましく、具体的には、ＣＯＰは９５以上が好ましく、１００以上がより好ましく、１０７．７５以上が特に好ましい。
　【００２２】
　本発明の組成物は、冷凍サイクルにおける圧縮機出口圧力がＲ２２と同等（Ｒ２２レトロフィット）であることが好ましい。Ｒ２２は冷凍用及び冷蔵用の冷媒としてＲ４０４Ａ普及以前の冷媒として広く使用され、Ｒ２２を冷媒とした冷凍機もまだ数多く残っているが、ＨＣＦＣ規制により先進国では２０２０年にＲ２２は廃止予定であるので、代替冷媒が強く求められている。Ｒ２２を使用している冷凍機の代替冷媒となるには、冷凍サイクルにおいて最大圧力となる圧縮機出口圧力がＲ２２と同等であることが必須で、Ｒ２２に対する圧縮機出口圧力±２．５％以内が好ましく、Ｒ２２に対する圧縮機出口圧力±１．２５％以内がより好ましい。
　【００２３】
　本発明の組成物は、前記混合物が基本４成分、即ちジフルオロメタン（Ｒ３２）、ペンタフルオロエタン（Ｒ１２５）、２，３，３，３−テトラフルオロプロペン（１２３４ｙｆ）及び１，１，１，２−テトラフルオロエタン（Ｒ１３４ａ）のみから形成されてもよく、基本４成分に加えて基本４成分とは異なる成分（「他の成分」という）を含んでいてもよい。以下、「基本４成分」、「他の成分」と表記する。他の成分の詳細については後述する。本発明の組成物は、前記混合物のみから構成されてもよく、前記混合物に加えて後述する冷凍機油などの任意の添加剤を添加して構成されてもよい。
　【００２４】
　前記混合物が他の成分を含む場合には、基本４成分の機能を阻害しない程度の量であることが好ましい。当該観点からは、混合物中の他の成分の含有量は０．５重量％以下が好ましく、０．３重量％以下がより好ましく、０．１重量％以下が特に好ましい。
　【００２５】
　
フッ素化炭化水素の混合物
　本発明で用いるフッ素化炭化水素の混合物は、ジフルオロメタン（Ｒ３２）、ペンタフルオロエタン（Ｒ１２５）、１，１，１，２−テトラフルオロエタン（Ｒ１３４ａ）及び２，３，３，３−テトラフルオロプロペン（１２３４ｙｆ）を含む。以下、基本４成分の濃度の違いにより、形態１−１、形態１−２、形態１−３（下位概念として形態１−３−Ａを有する）、形態１−４（下位概念として形態１−４−Ａ、１−４−Ｂを有する）、及び形態１−５（下位概念として形態１−５−Ａ、１−５−Ｂを有する）に分けて説明する。
　【００２６】
　（形態１−１）
　第一の形態の一実施形態（形態１−１）においては、前記混合物は、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１４．８重量％＞ｘ≧１０．８重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５４９３ｘ＋４５．３２５／−０．４２４３ｘ＋１９．８７５）、
点Ｈ（１００−Ｒ３２−１２３４ｙｆ−Ｒ１３４ａ／−０．９５０７ｘ＋６０．５７５／−ｘ＋３８．１）、
点Ｉ（０／１００−Ｒ３２−１２３４ｙｆ−Ｒ１３４ａ／１．６９７４ｘ＋４８．４）、
点Ｎ（０／０／１００−ｘ）、及び
点Ｄ（０．３７５ｘ＋３．２５／０／１００−Ｒ３２−Ｒ１２５−１２３４ｙｆ）
を頂点とする五角形の範囲に含まれる組成比を有する混合物１、
　（１）−２　１８．１重量％＞ｘ≧１４．８重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−Ｒ１２５−１２３４ｙｆ／−０．５７３６ｘ＋４５．６６９／−０．３９４５ｘ＋１９．４４３）、
点Ｈ（１００−Ｒ３２−１２３４ｙｆ−Ｒ１３４ａ／−０．９０８３ｘ＋５９．９３６／−０．９７２３ｘ＋３７．７１４）、
点Ｉ（０／１００−Ｒ３２−１２３４ｙｆ−Ｒ１３４ａ／１．３６２５ｘ＋５３．３４６）、
点Ｎ（０／０／１００−ｘ）、及び
点Ｄ（０．３６２５ｘ＋３．４４６１／０／１００−Ｒ３２−Ｒ１２５−１２３４ｙｆ）
を頂点とする五角形の範囲に含まれる組成比を有する混合物２、
　（１）−３　２０．０重量％＞ｘ≧１８．１重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５２５８ｘ＋４４．８０８／−０．４２０７ｘ＋１９．９０７）、
点Ｈ（１００−Ｒ３２−１２３４ｙｆ−Ｒ１３４ａ／−０．８９４８ｘ＋５９．６９８／−１．０５１７ｘ＋３９．１１７）、
点Ｉ（０／１００−Ｒ３２−１２３４ｙｆ−Ｒ１３４ａ／１．０５１７ｘ＋５８．９８３）、
点Ｎ（０／０／１００−ｘ）、及び
点Ｄ（０．３６９ｘ＋３．３１／０／１００−Ｒ３２−Ｒ１２５−１２３４ｙｆ）
を頂点とする五角形の範囲に含まれる組成比を有する混合物３、
　（１）−４　２２．６重量％＞ｘ≧２０．０重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５７５６ｘ＋４５．８１７／−０．４２４４ｘ＋１９．９８３）、
点Ｈ（１００−Ｒ３２−１２３４ｙｆ−Ｒ１３４ａ／−０．９２４４ｘ＋６０．２８３／−０．８４８８ｘ＋３５．０６５）、
点Ｉ（１００−Ｒ３２−１２３４ｙｆ−Ｒ１３４ａ／０／−２．０４０７ｘ＋１２０．８）、及び
点Ｄ（０．３４３０ｘ＋３．８２６／０／１００−Ｒ３２−Ｒ１２５−１２３４ｙｆ）
を頂点とする四角形の範囲に含まれる組成比を有する混合物４、
　（１）−５　２４．５重量％＞ｘ≧２２．６重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５２８３ｘ＋４４．７４６／−０．４７１７ｘ＋２１．０５４）、
点Ｈ（１００−Ｒ３２−１２３４ｙｆ−Ｒ１３４ａ／−０．９４３５ｘ＋６０．０７８／−０．８４２８ｘ＋３４．９４９）、
点Ｉ（１００−Ｒ３２−１２３４ｙｆ−Ｒ１３４ａ／０／−１．９４３５ｘ＋１１８．６１）、及び
点Ｄ（０．３７１０ｘ＋３．２０５７／０／１００−Ｒ３２−Ｒ１２５−１２３４ｙｆ）
を頂点とする四角形の範囲に含まれる組成比を有する混合物５、並びに
　（１）−６　２６．６重量％≧ｘ≧２４．５重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ（１００−Ｒ３２−１２３４ｙｆ−Ｒ１３４ａ／−０．５７１０ｘ＋４５．７９８／−０．４２９０ｘ＋２０．００２）、
点Ｈ（１００−Ｒ３２−１２３４ｙｆ−Ｒ１３４ａ／−０．９５１７ｘ＋６０．９３１／−０．７６１３ｘ＋３２．９６５）、
点Ｉ（１００−Ｒ３２−１２３４ｙｆ−Ｒ１３４ａ／０／−２．００００ｘ＋１２０．００）、及び
点Ｄ（０．３３２３ｘ＋４．１３６９／０／１００−Ｒ３２−Ｒ１２５−１２３４ｙｆ）
を頂点とする四角形の範囲に含まれる組成比を有する混合物６、
からなる群から選択される少なくとも一種を含有する。
　【００２７】
　このような混合物（混合物１〜６の少なくとも一種）であることは、ＧＷＰの低減及びＡＳＨＲＡＥ不燃の性能確保の観点から好ましい。
　【００２８】
　（形態１−２）
　第一の形態の一実施形態（形態１−２）においては、前記混合物は、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１４．８重量％＞ｘ≧１０．８重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５７５７ｘ＋４５．０２５／−０．４２４３ｘ＋２０．９７５）、
点Ｈ’（１００−Ｒ３２−１２３４ｙｆ−Ｒ１３４ａ／−０．９７７０ｘ＋５９．５７５／−ｘ＋３８．４）、
点Ｉ’（０／１００−Ｒ３２−１２３４ｙｆ−Ｒ１３４ａ／１．７００７ｘ＋５２．１２５）、
点Ｎ（０／０／１００−ｘ）、及び
点Ｄ（０．３７５ｘ＋３．２５／０／１００−Ｒ３２−Ｒ１２５−１２３４ｙｆ）
を頂点とする五角形の範囲に含まれる組成比を有する混合物１、
　（１）−２　１８．１重量％＞ｘ≧１４．８重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５４５８ｘ＋４４．５８２／−０．４２６４ｘ＋２１．０３１）、
点Ｈ’（１００−Ｒ３２−１２３４ｙｆ−Ｒ１３４ａ／−０．９０８３ｘ＋５８．５３６／−０．９７２３ｘ＋３８．０１４）、
点Ｉ’（０／１００−Ｒ３２−１２３４ｙｆ−Ｒ１３４ａ／１．３９４５ｘ＋５６．６５７）、
点Ｎ（０／０／１００−ｘ）、及び
点Ｄ（０．３６２５ｘ＋３．４４６１／０／１００−Ｒ３２−Ｒ１２５−１２３４ｙｆ）
を頂点とする五角形の範囲に含まれる組成比を有する混合物２、
　（１）−３　２０．０重量％＞ｘ≧１８．１重量％であり、（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５２７７ｘ＋４４．２７７／−０．４２０７ｘ＋２０．９０７）、
点Ｈ’（１００−Ｒ３２−１２３４ｙｆ−Ｒ１３４ａ／−０．８９４８ｘ＋５８．２９８／−１．０５１７ｘ＋３９．４１７）、
点Ｉ’（１００−Ｒ３２−１２３４ｙｆ−Ｒ１３４ａ／０／１．９４８３ｘ＋１１７．１８）、及び
点Ｄ（０．３６９ｘ＋３．３１／０／１００−Ｒ３２−Ｒ１２５−１２３４ｙｆ）
を頂点とする四角形の範囲に含まれる組成比を有する混合物３、
　（１）−４　２２．６重量％＞ｘ≧２０．０重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｈ’（１００−Ｒ３２−１２３４ｙｆ−Ｒ１３４ａ／−０．９２４４ｘ＋５８．８８３／−０．８８３７ｘ＋３６．０７８）、
点Ｉ’（１００−Ｒ３２−１２３４ｙｆ−Ｒ１３４ａ／０／−２．０７５６ｘ＋１１９．７２）、及び
点Ｄ（０．３４３ｘ＋３．８２６／０／１００−Ｒ３２−Ｒ１２５−１２３４ｙｆ）
を頂点とする四角形の範囲に含まれる組成比を有する混合物４、
　（１）−５　２４．５重量％＞ｘ≧２２．６重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
点Ｉ’（１００−Ｒ３２−１２３４ｙｆ−Ｒ１３４ａ／０／−１．９４３５ｘ＋１１６．７１）、及び
点Ｄ（０．３７１０ｘ＋３．２０５７／０／１００−Ｒ３２−Ｒ１２５−１２３４ｙｆ）
を頂点とする四角形の範囲に含まれる組成比を有する混合物５、並びに
　（１）−６　２６．６重量％≧ｘ≧２４．５重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５２４２ｘ＋４４．０３５／−０．４２９０ｘ＋２０．９０２）、
点Ｈ’（１００−Ｒ３２−１２３４ｙｆ−Ｒ１３４ａ／−ｘ＋６０．７／−０．７１４５ｘ＋３２．００１）、
点Ｉ’（１００−Ｒ３２−１２３４ｙｆ−Ｒ１３４ａ／０／−２．０４６８ｘ＋１１９．２６）、及び
点Ｄ（０．３３２３ｘ＋４．１３６９／０／１００−Ｒ３２−Ｒ１２５−１２３４ｙｆ）
を頂点とする四角形の範囲に含まれる組成比を有する混合物６、
からなる群から選択される少なくとも一種を含有する。
　【００２９】
　このような混合物（混合物１〜６の少なくとも一種）であることは、ＧＷＰの低減及びＡＳＨＲＡＥ不燃の性能確保（更に安全率を考慮）の観点から好ましい。
　【００３０】
　（形態１−３）
　第一の形態の一実施形態（形態１−３）においては、前記混合物は、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１４．１重量％＞ｘ≧１０．８重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−２．６６６５ｘ＋６２．７８６／０．７２０４ｘ＋３１．０２７／１００−Ｒ３２−Ｒ１２５−１２３４ｙｆ）、
点Ｃ（０．０９１４ｘ２−４．２４４４ｘ＋６９．１８４／０．１１８１ｘ２−６．３６４８ｘ＋９３．７６５／１００−Ｒ３２−Ｒ１２５−１２３４ｙｆ）、
点Ｆ（０．０３２３ｘ２−２．５６２１ｘ＋５０．８０２／０．０３４６ｘ２−３．９９０４ｘ＋６７．５６／１００−Ｒ３２−Ｒ１２５−１２３４ｙｆ）、及び
点Ｅ（０．０５０１ｘ２−３．９７５６ｘ＋６１．９８９／−０．０２９６ｘ２＋１．５１３３ｘ＋３０．２４８／１００−Ｒ３２−Ｒ１２５−１２３４ｙｆ）
を頂点とする四角形の範囲に含まれる組成比を有する混合物１、
　（１）−２　１６．１重量％＞ｘ≧１４．１重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−２．６４５６ｘ＋６２．４８４／０．７９２９ｘ＋２９．９８４／１００−Ｒ３２−Ｒ１２５−１２３４ｙｆ）、
点Ｃ（０．０４９５ｘ２−３．１４３４ｘ＋６１．９９１／０．１７２３ｘ２−８．１２３６ｘ＋１０７．７８／１００−Ｒ３２−Ｒ１２５−１２３４ｙｆ）、
点Ｆ（−１．５０４９ｘ＋４２．３３９／−２．６３４９ｘ＋５５．３１５／１００−Ｒ３２−Ｒ１２５−１２３４ｙｆ）、
点Ｅ（０．２７４７ｘ２−９．７９６７ｘ＋９９．４１５／０．６３６６ｘ２−２５．３７５ｘ＋２７６．９３／１００−Ｒ３２−Ｒ１２５−１２３４ｙｆ）、及び
点Ｈ’は、
１４．８重量％＞ｘ≧１４．１重量％のときは、
点Ｈ’（１００−Ｒ３２−１２３４ｙｆ−Ｒ１３４ａ／−０．９７７０ｘ＋５９．５７５／−ｘ＋３８．４）、
１６．１重量％＞ｘ≧１４．８重量％のときは
点Ｈ’（１００−Ｒ３２−１２３４ｙｆ−Ｒ１３４ａ／−０．９０８３ｘ＋５８．５３６／−０．９７２３ｘ＋３８．０１４）
を頂点とする五角形の範囲に含まれる組成比を有する混合物２、
　（１）−３　１６．８重量％＞ｘ≧１６．１重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−２．２８５７ｘ＋５６．７／０．７７４７ｘ＋３０．２８５／１００−Ｒ３２−Ｒ１２５−１２３４ｙｆ）、
点Ｃ（−１．５７１４ｘ＋４９．５／−２．８０４３ｘ＋６６．８１２／１００−Ｒ３２−Ｒ１２５−１２３４ｙｆ）、
点Ｆ（−１．２８５７ｘ＋３８．８／−２．４９５４ｘ＋５３．０７６／１００−Ｒ３２−Ｒ１２５−１２３４ｙｆ）、
点Ｅ（−１．１４２９ｘ＋３１．３／−５．３１４２ｘ＋１１８．９６／１００−Ｒ３２−Ｒ１２５−１２３４ｙｆ）、及び
点Ｈ’（１００−Ｒ３２−１２３４ｙｆ−Ｒ１３４ａ／−０．９０８３ｘ＋５８．５３６／−０．９７２３ｘ＋３８．０１４）
を頂点とする五角形の範囲に含まれる組成比を有する混合物３、
　（１）−４　１８．１重量％＞ｘ≧１６．８重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−１．４６１５ｘ＋４２．８５４／−５．９３１ｘ＋１４２．９４／１００−Ｒ３２−１２３４ｙｆ−Ｒ１３４ａ）、
点Ｃ（−１．３８４６ｘ＋４６．３６２／−２．５１５６ｘ＋６１．９６１／１００−Ｒ３２−Ｒ１２５−１２３４ｙｆ）、
点Ｆ（−１．３８４６ｘ＋４０．４６２／−２．５４０１ｘ＋５３．８２７／１００−Ｒ３２−Ｒ１２５−１２３４ｙｆ）、及び
点Ｅ（−１．０７６９ｘ＋３０．１９２／−４．９６９２ｘ＋１１３．１６／１００−Ｒ３２−Ｒ１２５−１２３４ｙｆ）
を頂点とする四角形の範囲に含まれる組成比を有する混合物４、
　（１）−５　２０．０重量％＞ｘ≧１８．１重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−１．０４４２ｘ＋３５．２７／０．２７０３ｘ２−１５．２２１ｘ＋２２２．５２／１００−Ｒ３２−１２３４ｙｆ−Ｒ１３４ａ）、
点Ｃ（−１．３１４５ｘ＋４５．０８８／−２．４４０４ｘ＋６０．６１５／１００−Ｒ３２−１２３４ｙｆ−Ｒ１３４ａ）、
点Ｆ（−１．２１３８ｘ＋３７．３８１／−０．１５７６ｘ２＋３．７１６ｘ−７．７６４９／１００−Ｒ３２−１２３４ｙｆ−Ｒ１３４ａ）、及び
点Ｅ（−０．８８６９ｘ＋２６．７２６／−４．３２６７ｘ＋１０１．５２／１００−Ｒ３２−１２３４ｙｆ−Ｒ１３４ａ）
を頂点とする四角形の範囲に含まれる組成比を有する混合物５、
　（１）−６　２１．６重量％＞ｘ≧２０．０重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−０．８７５ｘ＋３１．９／−４．３３７２ｘ＋１１２．９８／１００−Ｒ３２−１２３４ｙｆ−Ｒ１３４ａ）、
点Ｃ（−１．２５ｘ＋４３．８／−２．３７５ｘ＋５９．３／１００−Ｒ３２−１２３４ｙｆ−Ｒ１３４ａ）、
点Ｆ（−１．１２５ｘ＋３５．６／−２．１８７５ｘ＋４７．２５／１００−Ｒ３２−１２３４ｙｆ−Ｒ１３４ａ）、及び
点Ｅ（−０．７５ｘ＋２４／−３．８８３１ｘ＋９２．６５７／１００−Ｒ３２−１２３４ｙｆ−Ｒ１３４ａ）
を頂点とする四角形の範囲に含まれる組成比を有する混合物６、並びに
　（１）−７　２４．２重量％＞ｘ≧２１．６重量％であり、
　（２）−７　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ（−０．７２６７ｘ＋２８．６７／０．１６０３ｘ２−１０．９８７ｘ＋１８１．８２１／００−Ｒ３２−１２３４ｙｆ−Ｒ１３４ａ）、
点Ｃ（０．０５２９ｘ２−３．５３７５ｘ＋６８．５３６／０．０４３１ｘ２−４．１０３８ｘ＋７６．５４６／１００−Ｒ３２−１２３４ｙｆ−Ｒ１３４ａ）、
点Ｆ（−１．９６５１ｘ＋５３．７７１／０／１００−Ｒ３２−１２３４ｙｆ−Ｒ１３４ａ）、及び点
Ｅ（−０．６１６３ｘ＋２１．１１８／０．０６６３ｘ２−６．４１３３ｘ＋１１６．３８／１００−Ｒ３２−１２３４ｙｆ−Ｒ１３４ａ）
を頂点とする四角形の範囲に含まれる組成比を有する混合物７、
からなる群から選択される少なくとも一種を含有する。
　【００３１】
　このような混合物（混合物１〜７の少なくとも一種）であることは、ＧＷＰの低減、ＡＳＨＲＡＥ不燃の性能確保（更に安全率を考慮）及びＲ２２に対する同等の圧縮機出口圧力（Ｒ２２レトロフィット）の観点から好ましい。
　【００３２】
　（形態１−３−Ａ）
　また、形態１−３の下位概念として、形態１−３−Ａにおいては、前記混合物は、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１４．１重量％＞ｘ≧１０．８重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−２．６６６５ｘ＋６２．７８６／０．７２０４ｘ＋３１．０２７／１００−Ｒ３２−Ｒ１２５−１２３４ｙｆ）、
点Ｃ’（０．０９０２ｘ２−４．１５６１ｘ＋６６．５６／０．１１７ｘ２−６．２７６４ｘ＋９０．３４１／１００−Ｒ３２−Ｒ１２５−１２３４ｙｆ）、
点Ｆ’（０．０７０２ｘ２−３．５６５８ｘ＋５９．０２４／０．０９５８ｘ２−５．５９７８ｘ＋８０．３８１／１００−Ｒ３２−Ｒ１２５−１２３４ｙｆ）、及び
点Ｅ’（−２．７５７６ｘ＋５６．９８７／０．７８４ｘ＋３３．５７８／１００−Ｒ３２−Ｒ１２５−１２３４ｙｆ）
を頂点とする四角形の範囲に含まれる組成比を有する混合物１、
　（１）−２　１４．８重量％＞ｘ≧１４．１重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−２．２８５７ｘ＋５６．７／０．７７４７ｘ＋３０．２８５／１００−Ｒ３２−Ｒ１２５−１２３４ｙｆ）、
点Ｃ’（−１．７１４３ｘ＋５０．０７１／−２．８５７１ｘ＋６５．３８６／１００−Ｒ３２−Ｒ１２５−１２３４ｙｆ）、
点Ｆ’（−１．５７１４ｘ＋４４．８５７／−２．７１４３ｘ＋５８．７７１／１００−Ｒ３２−Ｒ１２５−１２３４ｙｆ）、及び
点Ｅ’（−２．２８５７ｘ＋５０．３２９／０．６７１７ｘ＋３５．１５８／１００−Ｒ３２−Ｒ１２５−１２３４ｙｆ）
を頂点とする四角形の範囲に含まれる組成比を有する混合物２、
　（１）−３　１６．１重量％＞ｘ≧１４．８重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−１．４６１５ｘ＋４２．８５４／−５．９３１ｘ＋１４２．９４／１００−Ｒ３２−Ｒ１２５−１２３４ｙｆ）、
点Ｃ’（−１．５３８５ｘ＋４７．４６９／−２．７８３４ｘ＋６４．２９５／１００−Ｒ３２−Ｒ１２５−１２３４ｙｆ）、
点Ｆ’（−１．５３８５ｘ＋４４．３６９／−２．７８８９ｘ＋５９．８７６／１００−Ｒ３２−Ｒ１２５−１２３４ｙｆ）、及び
点Ｅ’（−１．６１５４ｘ＋４０．４０８／−６．３９１５ｘ＋１３９．６９／１００−Ｒ３２−Ｒ１２５−１２３４ｙｆ）、
点Ｈ’（１００−Ｒ３２−１２３４ｙｆ−Ｒ１３４ａ／−０．９０８３ｘ＋５８．５３６／−０．９７２３ｘ＋３８．０１４）
を頂点とする五角形の範囲に含まれる組成比を有する混合物３、
　（１）−４　１８．１重量％＞ｘ≧１６．１重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−２．６４５６ｘ＋６２．４８４／０．７９２９ｘ＋２９．９８４／１００−Ｒ３２−Ｒ１２５−１２３４ｙｆ）、
点Ｃ’（−１．４５１５ｘ＋４６．０７５／−２．５８４２ｘ＋６１．０５８／１００−Ｒ３２−Ｒ１２５−１２３４ｙｆ）、
点Ｆ’（−１．３４４７ｘ＋４１．２２６／０．０９５９ｘ２−５．７１７６ｘ＋８２．１６５／１００−Ｒ３２−Ｒ１２５−１２３４ｙｆ）、及び
点Ｅ’（０．１０４４ｘ２−４．７２０３ｘ＋６３．３３７／０．３８３６ｘ２−１８．３８６ｘ＋２３３．３７／１００−Ｒ３２−Ｒ１２５−１２３４ｙｆ）
を頂点とする四角形の範囲に含まれる組成比を有する混合物４、
　（１）−５　２０．０重量％＞ｘ≧１８．１重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−１．０４４２ｘ＋３３．８７／０．２５３９ｘ２−１４．５３１ｘ＋２１２．３８／
１００−Ｒ３２−Ｒ１２５−１２３４ｙｆ
点Ｃ’（−１．３１４５ｘ＋４３．５８８／−２．４７１７ｘ＋５９．０３１／
１００−Ｒ３２−Ｒ１２５−１２３４ｙｆ
点Ｆ’（−１．２５８ｘ＋３９．６５１／０．０６０７ｘ２−４．７３４８ｘ＋７５．９０５／
１００−Ｒ３２−Ｒ１２５−１２３４ｙｆ
点Ｅ’（−０．８８６９ｘ＋２８．１２６／０．１９９４ｘ２−１１．９９１ｘ＋１７７．９７／
１００−Ｒ３２−Ｒ１２５−１２３４ｙｆ
を頂点とする四角形の範囲に含まれる組成比を有する混合物５、
　（１）−６　２２．６重量％＞ｘ≧２０．０重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−０．７７３３ｘ＋２８．４４８／０．０５９８ｘ２−６．５０３ｘ＋１２９．４６／
１００−Ｒ３２−Ｒ１２５−１２３４ｙｆ
点Ｃ’（−１．１５７ｘ＋４０．４２６／−２．１９１９ｘ＋５３．４３９／
１００−Ｒ３２−Ｒ１２５−１２３４ｙｆ
点Ｆ’（−１．１１６３ｘ＋３６．８２２／０．０７２１ｘ２−５．１８７５ｘ＋８０．４０４／
１００−Ｒ３２−Ｒ１２５−１２３４ｙｆ
点Ｅ’（−０．７７３３ｘ＋２５．８４８／０．１５７８ｘ２−１０．６１３ｘ＋１６７．０２／
１００−Ｒ３２−Ｒ１２５−１２３４ｙｆ
を頂点とする四角形の範囲に含まれる組成比を有する混合物６、並びに
　（１）−７　２５．１重量％≧ｘ≧２２．６重量％であり、
　（２）−７　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−０．６８０９ｘ＋２６．３８５／０．１５３６ｘ２−１０．８２７ｘ＋１７９．２７／
１００−Ｒ３２−Ｒ１２５−１２３４ｙｆ
点Ｃ’（−０．２４１７ｘ２＋１０．２４７ｘ−９３．８６／０．５７２８ｘ２−２８．８８４ｘ＋３６４．１／
１００−Ｒ３２−Ｒ１２５−１２３４ｙｆ
点Ｆ’（０．１５２８ｘ２−９．０８７５ｘ＋１３８．９４／０／
１００−Ｒ３２−Ｒ１２５−１２３４ｙｆ
点Ｅ’（０．１１６７ｘ２−６．０８５ｘ＋８６．３３２／０．２７８７ｘ２−１６．４１３ｘ＋２３６．４／
１００−Ｒ３２−Ｒ１２５−１２３４ｙｆ
を頂点とする四角形の範囲に含まれる組成比を有する混合物７、
からなる群から選択される少なくとも一種を含有する。
　【００３３】
　このような混合物（混合物１〜７の少なくとも一種）であることは、ＧＷＰの低減、ＡＳＨＲＡＥ不燃の性能確保（更に安全率を考慮）及びＲ２２に対する同等の圧縮機出口圧力（Ｒ２２レトロフィット）の観点から好ましい。
　【００３４】
　（形態１−４）
　第一の形態の一実施形態（形態１−４）においては、前記混合物は、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１４．２重量％＞ｘ≧１１．６重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５７５７ｘ＋４５．０２５／−０．４２４３ｘ＋２０．９７５）、
点Ｊ（−３．５７６９ｘ＋７５．４９２／１．２２０４ｘ＋２４．１４３／１００−Ｒ３２−Ｒ１２５−１２３４ｙｆ）、及び
点Ｋ（−２．３８４６ｘ＋６１．６６２／−４．０１７２ｘ＋８４．９／１００−Ｒ３２−Ｒ１２５−１２３４ｙｆ）
を頂点とする三角形の範囲に含まれる組成比を有する混合物１、
　（１）−２　１５．３重量％＞ｘ≧１４．２重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’は、
１４．８重量％＞ｘ≧１４．２重量％のときは、
点Ｇ’（１００−Ｒ３２−１２３４ｙｆ−Ｒ１３４ａ／−０．５７５７ｘ＋４５．０２５／−０．４２４３ｘ＋２０．９７５）、
１５．３重量％＞ｘ≧１４．８重量％のときは、
点Ｇ’（１００−Ｒ３２−１２３４ｙｆ−Ｒ１３４ａ／−０．５４５８ｘ＋４４．５８２／−０．４２６４ｘ＋２１．０３１）、
及び
点Ｊ（−３．４３８１ｘ＋７３．４９３／１．１２３６ｘ＋２５．５２２／１００−Ｒ３２−Ｒ１２５−１２３４ｙｆ）、及び
点Ｋ（０．９０９１ｘ２−２９．０９１ｘ＋２５７．５８／０．８５７９ｘ２−２９．０８５ｘ＋２６７．８８／１００−Ｒ３２−Ｒ１２５−１２３４ｙｆ）
を頂点とする三角形の範囲に含まれる組成比を有する混合物２、
　（１）−３　１６．２重量％＞ｘ≧１５．３重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５４５８ｘ＋４４．５８２／−０．４２６４ｘ＋２１．０３１）、
点Ｊ（−３．５５５６ｘ＋７５．３／１．２０９５ｘ＋２４．２０９／１００−Ｒ３２−Ｒ１２５−１２３４ｙｆ）、及び
点Ｋ（−２ｘ＋５５．９／−３．４４３９ｘ＋７６．３９２／１００−Ｒ３２−Ｒ１２５−１２３４ｙｆ）
を頂点とする三角形の範囲に含まれる組成比を有する混合物３、
　（１）−４　１７．５重量％＞ｘ≧１６．２重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５４５８ｘ＋４４．５８２／−０．４２６４ｘ＋２１．０３１）、
点Ｈ’（１００−Ｒ３２−１２３４ｙｆ−Ｒ１３４ａ／−０．９０８３ｘ＋５８．５３６／−０．９７２３ｘ＋３８．０１４）、
点Ｊ（−１．６１６３ｘ＋４３．８８２／−６．３６７４ｘ＋１４６．９５／１００−Ｒ３２−Ｒ１２５−１２３４ｙｆ）、及び
点Ｋ（−１．８４８８ｘ＋５３．４４５／−３．１２０６ｘ＋７１．１５３／１００−Ｒ３２−Ｒ１２５−１２３４ｙｆ）
を頂点とする四角形の範囲に含まれる組成比を有する混合物４、
　（１）−５　１９．０重量％＞ｘ≧１７．５重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は、
１８．１重量％＞ｘ≧１７．５重量％のときは、
点Ｇ’（１００−Ｒ３２−１２３４ｙｆ−Ｒ１３４ａ／−０．５４５８ｘ＋４４．５８２／−０．４２６４ｘ＋２１．０３１）、
点Ｈ’（１００−Ｒ３２−１２３４ｙｆ−Ｒ１３４ａ／−０．９０８３ｘ＋５８．５３６／−０．９７２３ｘ＋３８．０１４）、
１９．０重量％＞ｘ≧１８．１重量％のときは
点Ｇ’（１００−Ｒ３２−１２３４ｙｆ−Ｒ１３４ａ／−０．５２７７ｘ＋４４．２７７／−０．４２０７ｘ＋２０．９０７）、
点Ｈ’（１００−Ｒ３２−１２３４ｙｆ−Ｒ１３４ａ／−０．８９４８ｘ＋５８．２９８／−１．０５１７ｘ＋３９．４１７）、
及び、
点Ｊ（０．１２７３ｘ２−６．１１０９ｘ＋８３．５５３／０．１５３２ｘ２−１１．４８４ｘ＋１８９．５７／１００−Ｒ３２−Ｒ１２５−１２３４ｙｆ）、
点Ｘ（−０．１６９６ｘ２＋１．０５７５ｘ＋５４．５３７／−０．２２７１ｘ２＋１５．０５ｘ−１７７．２８／１００−Ｒ３２−Ｒ１２５−１２３４ｙｆ）、及び
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）
を頂点とする五角形の範囲に含まれる組成比を有する混合物５、
　（１）−６　２０．８重量％＞ｘ≧１９．０重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は、
２０．０重量％＞ｘ≧１９．０重量％のときは、
点Ｇ’（１００−Ｒ３２−１２３４ｙｆ−Ｒ１３４ａ／−０．５２７７ｘ＋４４．２７７／−０．４２０７ｘ＋２０．９０７）、
点Ｈ’（１００−Ｒ３２−１２３４ｙｆ−Ｒ１３４ａ／−０．８９４８ｘ＋５８．２９８／−１．０５１７ｘ＋３９．４１７）、
２０．８重量％＞ｘ≧２０．０重量％のときは、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｈ’（１００−Ｒ３２−１２３４ｙｆ−Ｒ１３４ａ／−０．９２４４ｘ＋５８．８８３／−０．８８３７ｘ＋３６．０７８）、
及び、
点Ｑ（−０．０１９８ｘ２＋２７．１５７ｘ−３１．２２５／−０．０３７７ｘ２＋３．０４８６ｘ−１７．５９４／１００−Ｒ３２−Ｒ１２５−１２３４ｙｆ）、及び
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）、
を頂点とする四角形の範囲に含まれる組成比を有する混合物６、
　（１）−７　２３．２重量％＞ｘ≧２０．８重量％であり、
　（２）−７　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は、
２２．６重量％＞ｘ≧２０．８重量％のときは、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｈ’（１００−Ｒ３２−１２３４ｙｆ−Ｒ１３４ａ／−０．９２４４ｘ＋５８．８８３／−０．８８３７ｘ＋３６．０７８）、
２３．２重量％＞ｘ≧２２．６重量％のときは点
Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
及び、
点Ｑ（−０．０９８４ｘ２＋６．１６３３ｘ−６８．７２８／−０．０６１７ｘ２＋３．９１４１ｘ−２５．２４３／１００−Ｒ３２−Ｒ１２５−１２３４ｙｆ）、及び
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）
を頂点とする四角形の範囲に含まれる組成比を有する混合物７、
　（１）−８　２５．６重量％＞ｘ≧２３．２重量％であり、
　（２）−８　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は、
２４．５重量％＞ｘ≧２３．２重量％のときは、
点Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
２５．６重量％＞ｘ≧２４．５重量％のときは、
点Ｇ’（１００−Ｒ３２−１２３４ｙｆ−Ｒ１３４ａ／−０．５２４２ｘ＋４４．０３５／−０．４２９０ｘ＋２０．９０２）、
点Ｈ’（１００−Ｒ３２−１２３４ｙｆ−Ｒ１３４ａ／−ｘ＋６０．７／−０．７１４５ｘ＋３２．００１）、
及び、
点Ｑ（−０．０１１５ｘ２＋２．３４２２ｘ−２６．８６８／−０．１０７７ｘ２＋６．４１０４ｘ−５８．３５７／１００−Ｒ３２−Ｒ１２５−１２３４ｙｆ）、及び
点Ｒ（−０．１３９８ｘ２＋８．０２８１ｘ−８１．３９１／−０．０９３２ｘ２＋５．７９３５ｘ−５８．５１４／１００−Ｒ３２−Ｒ１２５−１２３４ｙｆ）
を頂点とする四角形の範囲に含まれる組成比を有する混合物８、並びに
　（１）−９　２６．６重量％≧ｘ≧２５．６重量％であり、
　（２）−９　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５２４２ｘ＋４４．０３５／−０．４２９０ｘ＋２０．９０２）、
点Ｑ（８．２ｘ−１８４．３２／−５ｘ＋１６３．１／１００−Ｒ３２−Ｒ１２５−１２３４ｙｆ）、及び
点Ｒ（１．２ｘ＋１．８８／１．２４６ｘ−３．０４３１／１００−Ｒ３２−Ｒ１２５−１２３４ｙｆ）
を頂点とする三角形の範囲に含まれる組成比を有する混合物９、
からなる群から選択される少なくとも一種を含有する。
　【００３５】
　このような混合物（混合物１〜９の少なくとも一種）であることは、ＧＷＰの低減、ＡＳＨＲＡＥ不燃の性能確保（更に安全率を考慮）、Ｒ４０４Ａと同等の冷凍能力の発揮、及び冷凍サイクルでの圧縮機出口温度の低減の観点から好ましい。
　【００３６】
　（形態１−４−Ａ）
　また、形態１−４の下位概念として、形態１−４−Ａにおいては、前記混合物は、
　（１）−１　１７．０重量％＞ｘ≧１４．５重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’は、
１４．８重量％＞ｘ≧１４．５重量％のときは、
点Ｇ’（１００−Ｒ３２−１２３４ｙｆ−Ｒ１３４ａ／−０．５７５７ｘ＋４５．０２５／−０．４２４３ｘ＋２０．９７５）、
１７．０重量％＞ｘ≧１４．８重量％のときは、
点Ｇ’（１００−Ｒ３２−１２３４ｙｆ−Ｒ１３４ａ／−０．５４５８ｘ＋４４．５８２／−０．４２６４ｘ＋２１．０３１）、
及び、
点Ｌ（−３．３２１５ｘ＋８２．０８９／１．１１４７ｘ＋２０．５３５／１００−Ｒ３２−Ｒ１２５−１２３４ｙｆ）、
点Ｍ（−２．２３８ｘ＋６６．３４８／−３．８００６ｘ＋９１．７７９／１００−Ｒ３２−Ｒ１２５−１２３４ｙｆ）
を頂点とする三角形の範囲に含まれる組成比を有する混合物１、
　（１）−２　１８．０重量％＞ｘ≧１７．０重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、点Ｇ’（１００−Ｒ３２−１２３４ｙｆ−Ｒ１３４ａ／−０．５４５８ｘ＋４４．５８２／−０．４２６４ｘ＋２１．０３１）、
点Ｌ（−３．４ｘ＋８３．４／１．３ｘ＋１７．３７８／１００−Ｒ３２−Ｒ１２５−１２３４ｙｆ）、及び
点Ｍ（−１．７ｘ＋５７．２１７／−０．６９３９ｘ２＋２１．２０３ｘ−１３２．７２／１００−Ｒ３２−Ｒ１２５−１２３４ｙｆ）、
を頂点とする三角形の範囲に含まれる組成比を有する混合物２、
　（１）−３　１８．７重量％＞ｘ≧１８．０重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’は、
１８．１重量％＞ｘ≧１８．０重量％のときは、
点Ｇ’（１００−Ｒ３２−１２３４ｙｆ−Ｒ１３４ａ／−０．５４５８ｘ＋４４．５８２／−０．４２６４ｘ＋２１．０３１）、
１８．７重量％＞ｘ≧１８．１重量％のときは、
点Ｇ’（１００−Ｒ３２−１２３４ｙｆ−Ｒ１３４ａ／−０．５２７７ｘ＋４４．２７７／−０．４２０７ｘ＋２０．９０７）、
及び、
点Ｌ（−３．１４２９ｘ＋７８．７７１／１．１４２９ｘ＋２０．２２９／１００−Ｒ３２−Ｒ１２５−１２３４ｙｆ）、
点Ｍ（−１．８５７１ｘ＋６０．０２９／−３．１３８６ｘ＋８０．６１３／１００−Ｒ３２−Ｒ１２５−１２３４ｙｆ）
を頂点とする三角形の範囲に含まれる組成比を有する混合物３、
　（１）−４　１９．３重量％＞ｘ≧１８．７重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５２７７ｘ＋４４．２７７／−０．４２０７ｘ＋２０．９０７）、
点Ｈ’（１００−Ｒ３２−１２３４ｙｆ−Ｒ１３４ａ／−０．８９４８ｘ＋５８．２９８／−１．０５１７ｘ＋３９．４１７）
点Ｌ（−１．６６６７ｘ＋５１．１６７／−６．２８３５ｘ＋１５９．１／１００−Ｒ３２−Ｒ１２５−１２３４ｙｆ）、及び
点Ｍ（−１．８３３３ｘ＋５９．５６７／−３．１９５２ｘ＋８１．６６５／１００−Ｒ３２−Ｒ１２５−１２３４ｙｆ）、
を頂点とする四角形の範囲に含まれる組成比を有する混合物４、
　（１）−５　２０．８重量％＞ｘ≧１９．３重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は
２０．０重量％＞ｘ≧１９．３重量％のときは、
点Ｇ’（１００−Ｒ３２−１２３４ｙｆ−Ｒ１３４ａ／−０．５２７７ｘ＋４４．２７７／−０．４２０７ｘ＋２０．９０７）、
点Ｈ’（１００−Ｒ３２−１２３４ｙｆ−Ｒ１３４ａ／−０．８９４８ｘ＋５８．２９８／−１．０５１７ｘ＋３９．４１７）
２０．８重量％＞ｘ≧２０．０重量％のときは、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｈ’（１００−Ｒ３２−１２３４ｙｆ−Ｒ１３４ａ／−０．９２４４ｘ＋５８．８８３／−０．８８３７ｘ＋３６．０７８）、
及び、
点Ｌ（−１．３９９４ｘ＋４６．００１／−５．５６０５ｘ＋１４５．１５／１００−Ｒ３２−Ｒ１２５−１２３４ｙｆ）、
点Ｙ（−０．４４２１ｘ２＋１２．８６２ｘ−５９．３５３／０．４４０５ｘ２−１１．３４ｘ＋７４．７８３／１００−Ｒ３２−Ｒ１２５−１２３４ｙｆ）、及び
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）
を頂点とする五角形の範囲に含まれる組成比を有する混合物５、
　（１）−６　２３．２重量％＞ｘ≧２０．８重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は
２２．６重量％＞ｘ≧２０．８重量％のときは、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｈ’（１００−Ｒ３２−１２３４ｙｆ−Ｒ１３４ａ／−０．９２４４ｘ＋５８．８８３／−０．８８３７ｘ＋３６．０７８）、
２３．２重量％＞ｘ≧２２．６重量％のときは、
点Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
及び、点Ｑ（−０．０９８４ｘ２＋６．１６３３ｘ−６８．７２８／−０．０６１７ｘ２＋３．９１４１ｘ−２５．２４３／１００−Ｒ３２−Ｒ１２５−１２３４ｙｆ）、及び
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）
を頂点とする四角形の範囲に含まれる組成比を有する混合物６、
　（１）−７　２５．６重量％＞ｘ≧２３．２重量％であり、
　（２）−７　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’は、
２４．５重量％＞ｘ≧２３．２重量％のときは、
点Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
２５．６重量％＞ｘ≧２４．５重量％のときは、
点Ｇ’（１００−Ｒ３２−１２３４ｙｆ−Ｒ１３４ａ／−０．５２４２ｘ＋４４．０３５／−０．４２９０ｘ＋２０．９０２）、
点Ｈ’（１００−Ｒ３２−１２３４ｙｆ−Ｒ１３４ａ／−ｘ＋６０．７／−０．７１４５ｘ＋３２．００１）、
及び、
点Ｑ（−０．０１１５ｘ２＋２．３４２２ｘ−２６．８６８／−０．１０７７ｘ２＋６．４１０４ｘ−５８．３５７／１００−Ｒ３２−Ｒ１２５−１２３４ｙｆ）、及び
点Ｒ（−０．１３９８ｘ２＋８．０２８１ｘ−８１．３９１／−０．０９３２ｘ２＋５．７９３５ｘ−５８．５１４／１００−Ｒ３２−Ｒ１２５−１２３４ｙｆ）
を頂点とする四角形の範囲に含まれる組成比を有する混合物７、並びに
　（１）−８　２６．６重量％≧ｘ≧２５．６重量％であり、
　（２）−８　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−３２−１２３４ｙｆ−Ｒ１３４ａ／−０．５２４２ｘ＋４４．０３５／−０．４２９０ｘ＋２０．９０２）、
点Ｑ（８．２ｘ−１８４．３２／−５ｘ＋１６３．１／１００−Ｒ３２−Ｒ１２５−１２３４ｙｆ）、及び
点Ｒ（１．２ｘ＋１．８８／１．２４６ｘ−３．０４３１／１００−Ｒ３２−Ｒ１２５−１２３４ｙｆ）
を頂点とする三角形の範囲に含まれる組成比を有する混合物８、
からなる群から選択される少なくとも一種を含有する。
　【００３７】
　このような混合物（混合物１〜８の少なくとも一種）であることは、ＧＷＰの低減、ＡＳＨＲＡＥ不燃の性能確保（更に安全率を考慮）、Ｒ４０４Ａと同等の冷凍能力の発揮（形態１−４よりも高い冷凍能力）、及び冷凍サイクルでの圧縮機出口温度の低減の観点から好ましい。
　【００３８】
　（形態１−４−Ｂ）
　また、形態１−４の下位概念として、形態１−４−Ｂにおいては、前記混合物は、
　（１）−１　２０．０重量％＞ｘ≧１７．５重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’は、
１８．１重量％＞ｘ≧１７．５重量％のときは、
点Ｇ’（１００−Ｒ３２−１２３４ｙｆ−Ｒ１３４ａ−／０．５４５８ｘ＋４４．５８２／−０．４２６４ｘ＋２１．０３１）、
２０．０重量％＞ｘ≧１８．１重量％のときは、
点Ｇ’（１００−Ｒ３２−１２３４ｙｆ−Ｒ１３４ａ／−０．５２７７ｘ＋４４．２７７／−０．４２０７ｘ＋２０．９０７）、
及び、
点Ｏ（−３．１５５４ｘ＋８９．０１３／１．１１０８ｘ＋１５．６７３／１００−Ｒ３２−Ｒ１２５−１２３４ｙｆ）、及び
点Ｐ（０．０６９８ｘ２−４．６１４１ｘ＋９３．２５４／０．１３６１＊ｘ２−８．５１０６ｘ＋１４２．２７／１００−Ｒ３２−Ｒ１２５−１２３４ｙｆ）
を頂点とする三角形の範囲に含まれる組成比を有する混合物１、
　（１）−２　２０．８重量％＞ｘ≧２０．０重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｏ（−３．５ｘ＋９５．９／１．５６６１ｘ＋６．５８０７／１００−Ｒ３２−Ｒ１２５−１２３４ｙｆ）、及び
点Ｐ（−１．７５ｘ＋６３．９／−２．９６９１ｘ＋８５．８８１／１００−Ｒ３２−Ｒ１２５−１２３４ｙｆ）、を頂点とする三角形の範囲に含まれる組成比を有する混合物２、
　（１）−３　２１．２重量％＞ｘ≧２０．８重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｏ（−２．２５ｘ＋６９．９／０．３６２９ｘ＋３１．６０５／１００−Ｒ３２−Ｒ１２５−１２３４ｙｆ）、及び
点Ｐ（−１．７５ｘ＋６３．９／−３．０６１９ｘ＋８７．８１２／１００−Ｒ３２−Ｒ１２５−１２３４ｙｆ）、
を頂点とする三角形の範囲に含まれる組成比を有する混合物３、
　（１）−４　２２．６重量％＞ｘ≧２１．２重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｈ’（１００−Ｒ３２−１２３４ｙｆ−Ｒ１３４ａ／−０．９２４４ｘ＋５８．８８３／−０．８８３７ｘ＋３６．０７８）、
点Ｏ（０．３２１４ｘ２−１５．５０７ｘ＋２０６．４９／１．２４７７ｘ２−６０．００３ｘ＋７５０．６２／１００−Ｒ３２−Ｒ１２５−１２３４ｙｆ）、
点Ｚ（−０．０１１８ｘ２−４．１９７６ｘ＋１２１．０９／−０．０５４４ｘ２＋８．７４２５ｘ−１３７．９８／１００−Ｒ３２−Ｒ１２５−１２３４ｙｆ）、及び
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）、
を頂点とする五角形の範囲に含まれる組成比を有する混合物４、
　（１）−５　２３．２重量％＞ｘ≧２２．６重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
点Ｑ（−０．０９８４ｘ２＋６．１６３３ｘ−６８．７２８／−０．０６１７ｘ２＋３．９１４１ｘ−２５．２４３／１００−Ｒ３２−Ｒ１２５−１２３４ｙｆ）、及び
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）
を頂点とする四角形の範囲に含まれる組成比を有する混合物５、
　（１）−６　２５．６重量％＞ｘ≧２３．２重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’、点Ｈ’は、
２４．５重量％＞ｘ≧２３．２重量％のときは、
点Ｇ’（１００−Ｒ３２−１２３４ｙｆ−Ｒ１３４ａ／−０．５８４８ｘ＋４５．５３７／−０．４７１７ｘ＋２１．９５４）、
点Ｈ’（１００−Ｒ３２−１２３４ｙｆ−Ｒ１３４ａ／−０．９４３５ｘ＋５９．３０８／−０．８４２８ｘ＋３５．１４９）、
２５．６重量％＞ｘ≧２４．５重量％のときは、
点Ｇ’（１００−Ｒ３２−１２３４ｙｆ−Ｒ１３４ａ／−０．５２４２ｘ＋４４．０３５／−０．４２９０ｘ＋２０．９０２）、
点Ｈ’（１００−Ｒ３２−１２３４ｙｆ−Ｒ１３４ａ／−ｘ＋６０．７／−０．７１４５ｘ＋３２．００１）、
及び、
点Ｑ（−０．０１１５ｘ２＋２．３４２２ｘ−２６．８６８／−０．１０７７ｘ２＋６．４１０４ｘ−５８．３５７／１００−Ｒ３２−Ｒ１２５−１２３４ｙｆ）、及び
点Ｒ（−０．１３９８ｘ２＋８．０２８１ｘ−８１．３９１／−０．０９３２ｘ２＋５．７９３５ｘ−５８．５１４／１００−Ｒ３２−Ｒ１２５−１２３４ｙｆ）、
を頂点とする四角形の範囲に含まれる組成比を有する混合物６、並びに
　（１）−７　２６．６重量％≧ｘ≧２５．６重量％であり、
　（２）−７　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５２４２ｘ＋４４．０３５／−０．４２９０ｘ＋２０．９０２）、
点Ｑ（８．２ｘ−１８４．３２／−５ｘ＋１６３．１／１００−Ｒ３２−Ｒ１２５−１２３４ｙｆ）、及び
点Ｒ（１．２ｘ＋１．８８／１．２４６ｘ−３．０４３１／１００−Ｒ３２−Ｒ１２５−１２３４ｙｆ）、
を頂点とする三角形の範囲に含まれる組成比を有する混合物７、
からなる群から選択される少なくとも一種を含有する。
　【００３９】
　このような混合物（混合物１〜７の少なくとも一種）であることは、ＧＷＰの低減、ＡＳＨＲＡＥ不燃の性能確保（更に安全率を考慮）、Ｒ４０４Ａと同等の冷凍能力の発揮（形態１−４−Ａよりも高い冷凍能力）、及び冷凍サイクルでの圧縮機出口温度の低減の観点から好ましい。
　【００４０】
　（形態１−５）
　第一の形態の一実施形態（形態１−５）においては、前記混合物は、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　１５．３重量％＞ｘ≧１４．２重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｔ（１００−Ｒ３２−１２３４ｙｆ−Ｒ１３４ａ／０．０４１５ｘ２＋１．０５４７ｘ＋２１．２５４／０．０８６３ｘ２−３．６２８ｘ＋６４．２５２）、
点Ｋ（０．９０９１ｘ２−２９．０９１ｘ＋２５７．５８／０．８５７９ｘ２−２９．０８５ｘ＋２６７．８８／１００−Ｒ３２−Ｒ１２５−１２３４ｙｆ）、及び
点Ｕ（１．３８９６ｘ２−４７．２６６ｘ＋４１８．７８／−２．８４２２ｘ２＋９７．２９９ｘ−７８０．６５／１００−Ｒ３２−Ｒ１２５−１２３４ｙｆ）
を頂点とする三角形に含まれる組成比を有する混合物１、
　（１）−２　１６．２重量％＞ｘ≧１５．３重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．０５０８ｘ２−２．３５９１ｘ＋６６．９４６／−０．０００８ｘ２−０．６８６１ｘ＋３１．７９８）、
点Ｔ（１００−Ｒ３２−１２３４ｙｆ−Ｒ１３４ａ／−０．０４１５ｘ２＋１．０５４７ｘ＋２１．２５４／０．０８６３ｘ２−３．６２８ｘ＋６４．２５２）、
点Ｋ（−２ｘ＋５５．９／−３．４４３９ｘ＋７６．３９２／１００−Ｒ３２−Ｒ１２５−１２３４ｙｆ）、及び
点Ｊ（−３．５５５６ｘ＋７５．３／１．２０９５ｘ＋２４．２０９／１００−Ｒ３２−Ｒ１２５−１２３４ｙｆ）
を頂点とする四角形の範囲に含まれる組成比を有する混合物２、
　（１）−３　１７．５重量％＞ｘ≧１６．２重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ、点Ｔは、
１７．０重量％＞ｘ≧１６．２重量％のときは、
点Ｓ（１００−Ｒ３２−１２３４ｙｆ−Ｒ１３４ａ／０．０５０８ｘ２−２．３５９１ｘ＋６６．９４６／−０．０００８ｘ２−０．６８６１ｘ＋３１．７９８）、
点Ｔ（１００−Ｒ３２−１２３４ｙｆ−Ｒ１３４ａ／−０．０４１５ｘ２＋１．０５４７ｘ＋２１．２５４／０．０８６３ｘ２−３．６２８ｘ＋６４．２５２）、
１７．５重量％＞ｘ≧１７．０重量％のときは、
点Ｓ（１００−Ｒ３２−１２３４ｙｆ−Ｒ１３４ａ／０．１１０８ｘ２−４．５９０４ｘ＋８７．５０３／０．０９３９ｘ２−４．１７９８ｘ＋６３．８２６）、
点Ｔ（１００−Ｒ３２−１２３４ｙｆ−Ｒ１３４ａ／−０．０７６６ｘ２＋２．５７７９ｘ＋５．５２４２／０．２２８６ｘ２−９．３４４１ｘ＋１２０．２８）、
及び、
点Ｋ（−１．８４８８ｘ＋５３．４４５／−３．１２０６ｘ＋７１．１５３／１００−Ｒ３２−Ｒ１２５−１２３４ｙｆ）、
点Ｊ（−１．６１６３ｘ＋４３．８８２／−６．３６７４ｘ＋１４６．９５／１００−Ｒ３２−Ｒ１２５−１２３４ｙｆ）、及び
点Ｈ’（１００−Ｒ３２−１２３４ｙｆ−Ｒ１３４ａ／−０．９０８３ｘ＋５８．５３６／−０．９７２３ｘ＋３８．０１４）
を頂点とする五角形の範囲に含まれる組成比を有する混合物３、
　（１）−４　１９．０重量％＞ｘ≧１７．５重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１１０８ｘ２−４．５９０４ｘ＋８７．５０３／０．０９３９ｘ２−４．１７９８ｘ＋６３．８２６）、
点Ｔ（１００−Ｒ３２−１２３４ｙｆ−Ｒ１３４ａ／−０．０７６６ｘ２＋２．５７７９ｘ＋５．５２４２／０．２２８６ｘ２−９．３４４１ｘ＋１２０．２８）、
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）、
点Ｘ（−０．１６９６ｘ２＋１．０５７５ｘ＋５４．５３７／−０．２２７１ｘ２＋１５．０５ｘ−１７７．２８／１００−Ｒ３２−Ｒ１２５−１２３４ｙｆ）
点Ｊ（０．１２７３ｘ２−６．１１０９ｘ＋８３．５５３／０．１５３２ｘ２−１１．４８４ｘ＋１８９．５７／１００−Ｒ３２−Ｒ１２５−１２３４ｙｆ）、及び
点Ｈ’は、
１８．１重量％＞ｘ≧１７．５重量％のときは、
点Ｈ’（１００−Ｒ３２−１２３４ｙｆ−Ｒ１３４ａ／−０．９０８３ｘ＋５８．５３６／−０．９７２３ｘ＋３８．０１４）、
１９．０重量％＞ｘ≧１８．１重量％のときは、
点Ｈ’（１００−Ｒ３２−１２３４ｙｆ−Ｒ１３４ａ／−０．８９４８ｘ＋５８．２９８／−１．０５１７ｘ＋３９．４１７）、
を頂点とする六角形の範囲に含まれる組成比を有する混合物４、（１）−５　２０．８重量％＞ｘ≧１９．０重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１２６３ｘ２−５．６７４９ｘ＋１０２．５６／−０．０２９ｘ２＋０．４２９８ｘ＋２０．５９４）、
点Ｔ（１００−Ｒ３２−１２３４ｙｆ−Ｒ１３４ａ／０．１４５１ｘ２−６．０７４４ｘ＋８９．９８１／−０．２３６４ｘ２＋８．５３７２ｘ−５１．５８２）、
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）、
点Ｑ（−０．０１９８ｘ２＋２７．１５７ｘ−３１．２２５／−０．０３７７ｘ２＋３．０４８６ｘ−１７．５９４／１００−Ｒ３２−Ｒ１２５−１２３４ｙｆ）、及び点Ｈ’は、
２０．０重量％＞ｘ≧１９．０重量％のときは、
点Ｈ’（１００−Ｒ３２−１２３４ｙｆ−Ｒ１３４ａ／−０．８９４８ｘ＋５８．２９８／−１．０５１７ｘ＋３９．４１７）、
２０．８重量％＞ｘ≧２０．０重量％のときは、
点Ｈ’（１００−Ｒ３２−１２３４ｙｆ−Ｒ１３４ａ／−０．９２４４ｘ＋５８．８８３／−０．８８３７ｘ＋３６．０７８）、
を頂点とする五角形の範囲に含まれる組成比を有する混合物５、
　（１）−６　２３．２重量％＞ｘ≧２０．８重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１０１７ｘ２−５．１８７２ｘ＋１０２．９９／０．００３４ｘ２−０．７３１３ｘ＋３０．６９２）、
点Ｔ（１００−Ｒ３２−１２３４ｙｆ−Ｒ１３４ａ／−０．０３１８ｘ２＋１．１６５７ｘ＋１５．８６９／−０．１２３ｘ２＋４．４５４１ｘ−１５．７３５）、
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）、
点Ｑ（−０．０９８４ｘ２＋６．１６３３ｘ−６８．７２８／−０．０６１７ｘ２＋３．９１４１ｘ−２５．２４３／１００−Ｒ３２−Ｒ１２５−１２３４ｙｆ）、及び点Ｈ’は
２２．６重量％＞ｘ≧２０．８重量％のときは、
点Ｈ’（１００−Ｒ３２−１２３４ｙｆ−Ｒ１３４ａ／−０．９２４４ｘ＋５８．８８３／−０．８８３７ｘ＋３６．０７８）、
２３．２重量％＞ｘ≧２２．６重量％のときは、
点Ｈ’（１００−Ｒ３２−１２３４ｙｆ−Ｒ１３４ａ／−０．９４３５ｘ＋５９．３０８／−０．８４２８ｘ＋３５．１４９）、
を頂点とする五角形の範囲に含まれる組成比を有する混合物６、並びに
　（１）−７　２５．４重量％≧ｘ≧２３．２重量％であり、
　（２）−７　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／−０．０３１７ｘ２＋０．４５１１ｘ＋４３．９７９／０．０７５ｘ２−４．１９１３ｘ＋７２．４９４）、
点α（０．０３２４ｘ２−３．５７４６ｘ＋９５．０９２／０．０１９３ｘ２＋３．２４８７ｘ−５９．９４４／１００−Ｒ３２−Ｒ１２５−１２３４ｙｆ）、及び
点Ｑ（−０．０１１５ｘ２＋２．３４２２ｘ−２６．８６８／−０．１０７７ｘ２＋６．４１０４ｘ−５８．３５７／１００−Ｒ３２−Ｒ１２５−１２３４ｙｆ）
を頂点とする三角形の範囲に含まれる組成比を有する混合物７、
からなる群から選択される少なくとも一種を含有する。
　【００４１】
　このような混合物（混合物１〜７の少なくとも一種）であることは、ＧＷＰの低減、ＡＳＨＲＡＥ不燃の性能確保（更に安全率を考慮）、Ｒ４０４Ａと同等の冷凍能力の発揮、冷凍サイクルでの圧縮機出口温度の低減、及び成績係数（ＣＯＰ）の向上の観点から好ましい。
　【００４２】
　（形態１−５−Ａ）
　また、形態１−５の下位概念として、形態１−５−Ａにおいては、前記混合物は、
　（１）−１　１８．０重量％＞ｘ≧１７．０重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｔ（１００−Ｒ３２−１２３４ｙｆ−Ｒ１３４ａ／−０．０７６６ｘ２＋２．５７７９ｘ＋５．５２４２／０．２２８６ｘ２−９．３４４１ｘ＋１２０．２８）、
点Ｍ（−１．７ｘ＋５７．２１７／−０．６９３９ｘ２＋２１．２０３ｘ−１３２．７２／１００−Ｒ３２−Ｒ１２５−１２３４ｙｆ）、及び
点Ｖ（−１．３３６２ｘ２＋４０．６６７ｘ−２７６．８７／２．２４１２ｘ２−６４．８４２ｘ＋４８１．８１／１００−Ｒ３２−Ｒ１２５−１２３４ｙｆ）
を頂点とする三角形の範囲に含まれる組成比を有する混合物１、
　（１）−２　１８．７重量％＞ｘ≧１８．０重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１１０８ｘ２−４．５９０４ｘ＋８７．５０３／０．０９３９ｘ２−４．１７９８ｘ＋６３．８２６）、
点Ｔ（１００−Ｒ３２−１２３４ｙｆ−Ｒ１３４ａ／−０．０７６６ｘ２＋２．５７７９ｘ＋５．５２４２／０．２２８６ｘ２−９．３４４１ｘ＋１２０．２８）、
点Ｍ（−１．８５７１ｘ＋６０．０２９／−３．１３８６ｘ＋８０．６１３／１００−Ｒ３２−Ｒ１２５−１２３４ｙｆ）、及び
点Ｌ（−３．１４２９ｘ＋７８．７７１／１．１４２９ｘ＋２０．２２９／１００−Ｒ３２−Ｒ１２５−１２３４ｙｆ）
を頂点とする四角形の範囲に含まれる組成比を有する混合物２、
　（１）−３　１９．３重量％＞ｘ≧１８．７重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ、点Ｔは、
１９．０重量％＞ｘ≧１８．７重量％のときは、
点Ｓ（１００−Ｒ３２−１２３４ｙｆ−Ｒ１３４ａ／０．１１０８ｘ２−４．５９０４ｘ＋８７．５０３／０．０９３９ｘ２−４．１７９８ｘ＋６３．８２６）、
点Ｔ（１００−Ｒ３２−１２３４ｙｆ−Ｒ１３４ａ／−０．０７６６ｘ２＋２．５７７９ｘ＋５．５２４２／０．２２８６ｘ２−９．３４４１ｘ＋１２０．２８）、
１９．３重量％＞ｘ≧１９．０重量％のときは、
点Ｓ（１００−Ｒ３２−１２３４ｙｆ−Ｒ１３４ａ／０．１２６３ｘ２−５．６７４９ｘ＋１０２．５６／−０．０２９ｘ２＋０．４２９８ｘ＋２０．５９４）、
点Ｔ（１００−Ｒ３２−１２３４ｙｆ−Ｒ１３４ａ／０．１４５１ｘ２−６．０７４４ｘ＋８９．９８１／−０．２３６４ｘ２＋８．５３７２ｘ−５１．５８２）、
及び、
点Ｍ（−１．８３３３ｘ＋５９．５６７／−３．１９５２ｘ＋８１．６６５／１００−Ｒ３２−Ｒ１２５−１２３４ｙｆ）、
点Ｌ（−１．６６６７ｘ＋５１．１６７／−６．２８３５ｘ＋１５９．１／１００−Ｒ３２−Ｒ１２５−１２３４ｙｆ）、及び
点Ｈ’（１００−Ｒ３２−１２３４ｙｆ−Ｒ１３４ａ／−０．８９４８ｘ＋５８．２９８／−１．０５１７ｘ＋３９．４１７）
を頂点とする五角形の範囲に含まれる組成比を有する混合物３、
　（１）−４　２０．８重量％＞ｘ≧１９．３重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１０１７ｘ２−５．１８７２ｘ＋１０２．９９／０．００３４ｘ２−０．７３１３ｘ＋３０．６９２）、
点Ｔ（１００−Ｒ３２−１２３４ｙｆ−Ｒ１３４ａ／０．１４５１ｘ２−６．０７４４ｘ＋８９．９８１／−０．２３６４ｘ２＋８．５３７２ｘ−５１．５８２）、
点Ｒ（−０．０４０１ｘ２＋３．０２１７ｘ−１９．１９８／−０．０２９７ｘ２＋２．７７７４ｘ−２２．５４４／１００−Ｒ３２−Ｒ１２５−１２３４ｙｆ）、
点Ｙ（−０．４４２１ｘ２＋１２．８６２ｘ−５９．３５３／０．４４０５ｘ２−１１．３４ｘ＋７４．７８３／１００−Ｒ３２−Ｒ１２５−１２３４ｙｆ）、
点Ｌ（−１．３９９４ｘ＋４６．００１／−５．５６０５ｘ＋１４５．１５／１００−Ｒ３２−Ｒ１２５−１２３４ｙｆ）、及び、
点Ｈ’は、
２０．０重量％＞ｘ≧１９．３重量％のときは、
点Ｈ’（１００−Ｒ３２−１２３４ｙｆ−Ｒ１３４ａ／−０．８９４８ｘ＋５８．２９８／−１．０５１７ｘ＋３９．４１７）、
２０．８重量％＞ｘ≧２０．０重量％のときは、
点Ｈ’（１００−Ｒ３２−１２３４ｙｆ−Ｒ１３４ａ／−０．９２４４ｘ＋５８．８８３／−０．８８３７ｘ＋３６．０７８）、
を頂点とする六角形の範囲に含まれる組成比を有する混合物４、
　（１）−５　２３．２重量％＞ｘ≧２０．８重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１０１７ｘ２−５．１８７２ｘ＋１０２．９９／０．００３４ｘ２−０．７３１３ｘ＋３０．６９２）、
点Ｔ（１００−Ｒ３２−１２３４ｙｆ−Ｒ１３４ａ／−０．０３１８ｘ２＋１．１６５７ｘ＋１５．８６９／−０．１２３ｘ２＋４．４５４１ｘ−１５．７３５）、
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）、
点Ｑ（−０．０９８４ｘ２＋６．１６３３ｘ−６８．７２８／−０．０６１７ｘ２＋３．９１４１ｘ−２５．２４３／１００−Ｒ３２−Ｒ１２５−１２３４ｙｆ）、及び
点Ｈ’は、
２２．６重量％＞ｘ≧２０．８重量％のときは、
点Ｈ’（１００−Ｒ３２−１２３４ｙｆ−Ｒ１３４ａ／−０．９２４４ｘ＋５８．８８３／−０．８８３７ｘ＋３６．０７８）、
２３．２重量％＞ｘ≧２２．６重量％のときは、
点Ｈ’（１００−Ｒ３２−１２３４ｙｆ−Ｒ１３４ａ／−０．９４３５ｘ＋５９．３０８／−０．８４２８ｘ＋３５．１４９）
を頂点とする五角形の範囲に含まれる組成比を有する混合物５、並びに
　（１）−６　２５．４重量％≧ｘ≧２３．２重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／−０．０３１７ｘ２＋０．４５１１ｘ＋４３．９７９／０．０７５ｘ２−４．１９１３ｘ＋７２．４９４）、
点α（０．０３２４ｘ２−３．５７４６ｘ＋９５．０９２／０．０１９３ｘ２＋３．２４８７ｘ−５９．９４４／１００−Ｒ３２−Ｒ１２５−１２３４ｙｆ）、及び
点Ｑ（−０．０１１５ｘ２＋２．３４２２ｘ−２６．８６８／−０．１０７７ｘ２＋６．４１０４ｘ−５８．３５７／１００−Ｒ３２−Ｒ１２５−１２３４ｙｆ）
を頂点とする三角形の範囲に含まれる組成比を有する混合物６、
からなる群から選択される少なくとも一種を含有する。
　【００４３】
　このような混合物（混合物１〜６の少なくとも一種）であることは、ＧＷＰの低減、ＡＳＨＲＡＥ不燃の性能確保（更に安全率を考慮）、Ｒ４０４Ａと同等の冷凍能力の発揮（形態１−５よりも高い冷凍能力）、冷凍サイクルでの圧縮機出口温度の低減、及び成績係数（ＣＯＰ）の向上の観点から好ましい。
　【００４４】
　（形態１−５−Ｂ）
　また、形態１−５の下位概念として、形態１−５−Ｂにおいては、前記混合物は、
　（１）−１　２０．８重量％＞ｘ≧２０重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｔ（１００−Ｒ３２−１２３４ｙｆ−Ｒ１３４ａ／０．１４５１ｘ２−６．０７４４ｘ＋８９．９８１／−０．２３６４ｘ２＋８．５３７２ｘ−５１．５８２）、
点Ｐ（−１．７５ｘ＋６３．９／−２．９６９１ｘ＋８５．８８１／１００−Ｒ３２−Ｒ１２５−１２３４ｙｆ）、及び
点Ｗ（−１．４４３９ｘ２＋５１．５３７ｘ−４２４．２７／２．１７３３ｘ２−７２．７８５ｘ＋６１２．８８／１００−Ｒ３２−Ｒ１２５−１２３４ｙｆ）
を頂点とする三角形の範囲に含まれる組成比を有する混合物１、
　（１）−２　２１．２重量％＞ｘ≧２０．８重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１０１７ｘ２−５．１８７２ｘ＋１０２．９９／０．００３４ｘ２−０．７３１３ｘ＋３０．６９２）、
点Ｔ（１００−Ｒ３２−１２３４ｙｆ−Ｒ１３４ａ／−０．０３１８ｘ２＋１．１６５７ｘ＋１５．８６９／−０．１２３ｘ２＋４．４５４１ｘ−１５．７３５）、
点Ｐ（−１．７５ｘ＋６３．９／−３．０６１９ｘ＋８７．８１２／１００−Ｒ３２−Ｒ１２５−１２３４ｙｆ）、及び
点Ｏ（−２．２５ｘ＋６９．９／０．３６２９ｘ＋３１．６０５／１００−Ｒ３２−Ｒ１２５−１２３４ｙｆ）、
を頂点とする四角形の範囲に含まれる組成比を有する混合物２、
　（１）−３　２２．６重量％＞ｘ≧２１．２重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１０１７ｘ２−５．１８７２ｘ＋１０２．９９／０．００３４ｘ２−０．７３１３ｘ＋３０．６９２）、
点Ｔ（１００−Ｒ３２−１２３４ｙｆ−Ｒ１３４ａ／−０．０３１８ｘ２＋１．１６５７ｘ＋１５．８６９／−０．１２３ｘ２＋４．４５４１ｘ−１５．７３５）、
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）、
点Ｚ（−０．０１１８ｘ２−４．１９７６ｘ＋１２１．０９／−０．０５４４ｘ２＋８．７４２５ｘ−１３７．９８／１００−Ｒ３２−Ｒ１２５−１２３４ｙｆ）、
点Ｏ（０．３２１４ｘ２−１５．５０７ｘ＋２０６．４９／１．２４７７ｘ２−６０．００３ｘ＋７５０．６２／１００−Ｒ３２−Ｒ１２５−１２３４ｙｆ）、及び
点Ｈ’（１００−Ｒ３２−１２３４ｙｆ−Ｒ１３４ａ／−０．９２４４ｘ＋５８．８８３／−０．８８３７ｘ＋３６．０７８）
を頂点とする六角形の範囲に含まれる組成比を有する混合物３、
　（１）−４　２３．２重量％＞ｘ≧２２．６重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／０．１０１７ｘ２−５．１８７２ｘ＋１０２．９９／０．００３４ｘ２−０．７３１３ｘ＋３０．６９２）、
点Ｔ（１００−Ｒ３２−１２３４ｙｆ−Ｒ１３４ａ／−０．０３１８ｘ２＋１．１６５７ｘ＋１５．８６９／−０．１２３ｘ２＋４．４５４１ｘ−１５．７３５）、
点Ｒ（−０．００３１ｘ２＋１．５２３４ｘ−４．０７８３／−０．０５０３ｘ２＋３．６８５６ｘ−３２．６２７／１００−Ｒ３２−Ｒ１２５−１２３４ｙｆ）、
点Ｑ（−０．０９８４ｘ２＋６．１６３３ｘ−６８．７２８／−０．０６１７ｘ２＋３．９１４１ｘ−２５．２４３／１００−Ｒ３２−Ｒ１２５−１２３４ｙｆ）、及び
点Ｈ’（１００−Ｒ３２−１２３４ｙｆ−Ｒ１３４ａ／−０．９４３５ｘ＋５９．３０８／−０．８４２８ｘ＋３５．１４９）
を頂点とする五角形の範囲に含まれる組成比を有する混合物４、
　（１）−５　２５．４重量％＞ｘ≧２３．２重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｓ（１００−Ｒ３２−１２３４ｙｆ−Ｒ１３４ａ／−０．０３１７ｘ２＋０．４５１１ｘ＋４３．９７９／０．０７５ｘ２−４．１９１３ｘ＋７２．４９４）、
点α（０．０３２４ｘ２−３．５７４６ｘ＋９５．０９２／０．０１９３ｘ２＋３．２４８７ｘ−５９．９４４／１００−Ｒ３２−Ｒ１２５−１２３４ｙｆ）、及び
点Ｑ（−０．０１１５ｘ２＋２．３４２２ｘ−２６．８６８／−０．１０７７ｘ２＋６．４１０４ｘ−５８．３５７／１００−Ｒ３２−Ｒ１２５−１２３４ｙｆ）
を頂点とする三角形の範囲に含まれる組成比を有する混合物５、
からなる群から選択される少なくとも一種を含有する。
　【００４５】
　このような混合物（混合物１〜５の少なくとも一種）であることは、ＧＷＰの低減、ＡＳＨＲＡＥ不燃の性能確保（更に安全率を考慮）、Ｒ４０４Ａと同等の冷凍能力の発揮（形態１−５−Ａよりも高い冷凍能力）、冷凍サイクルでの圧縮機出口温度の低減、及び成績係数（ＣＯＰ）の向上の観点から好ましい。
　【００４６】
　ここで、ＡＳＨＲＡＥによる冷媒の可燃性分類について説明する。
　【００４７】
　ＡＳＨＲＡＥでは、冷媒の可燃性分類はＡＮＳＩ／ＡＳＨＲＡＥ　Ｓｔａｎｄａｒｄ３４−２０１３に基づいて行われ、クラス１に分類されるものが不燃性冷媒である。つまり、本発明の組成物がＡＳＨＲＡＥ不燃であることは、本発明で用いるフッ素化炭化水素の混合物（特に基本４成分）がその可燃性分類において前記クラス１に分類されることを意味する。
　【００４８】
　具体的には、ＡＮＳＩ／ＡＳＨＲＡＥ３４−２０１３に基づいた貯蔵、輸送、使用時の漏洩試験を行うことでＷＣＦＦ（Ｗｏｒｓｔ　ｃａｓｅ　ｏｆ　ｆｒａｃｔｉｏｎａｔｉｏｎ　ｆｏｒ　ｆｌａｍｍａｂｉｌｉｔｙ：最も燃え易い混合組成）を特定し、ＷＣＦＦ組成がＡＳＴＭ　Ｅ６８１−２００９〔化学品（蒸気及び気体）の引火性濃度限界の標準試験法〕に基づいた試験で不燃と特定できた場合がクラス１に分類される。
　【００４９】
　下記にＲ３２、Ｒ１２５、１２３４ｙｆ及びＲ１３４ａの濃度の総和を１００重量％、Ｒ３２の濃度を２２．６重量％とする場合を例示し、Ｒ１２５、１２３４ｙｆ及びＲ１３４ａの濃度の総和が７７．４重量％で示される３成分組成図におけるＡＳＨＲＡＥ不燃限界の特定方法を説明する。
　【００５０】
　３成分組成図にてＡＳＨＲＡＥ不燃限界を特定していくには、先ず可燃性冷媒（Ｒ３２、１２３４ｙｆ）と不燃性冷媒（Ｒ１３４ａ、Ｒ１２５）との２元混合冷媒の不燃限界を求める必要がある。実験例１において当該２元混合冷媒の不燃限界を求めた。
　【００５１】
　
実験例１（可燃性冷媒（Ｒ３２，１２３４ｙｆ）と不燃性冷媒（Ｒ１３４ａ、Ｒ１２５）との２元混合冷媒の不燃限界）
　２元混合冷媒の不燃限界は、ＡＳＴＭ　Ｅ６８１−２００９に基づく燃焼試験の測定装置及び測定方法に基づいて求めた。
　【００５２】
　具体的には、燃焼の状態が目視および録画撮影できるように内容積１２リットルの球形ガラスフラスコを使用し、ガラスフラスコは燃焼により過大な圧力が発生した際には上部のふたからガスが開放されるようにした。着火方法は底部から１／３の高さに保持された電極からの放電により発生させた。試験条件は以下の通りである。
＜試験条件＞
試験容器：２８０ｍｍφ球形（内容積：１２リットル）
試験温度：６０℃±３℃
圧力　：１０１．３ｋＰａ±０．７ｋＰａ
水分　：乾燥空気１ｇにつき０．００８８ｇ±０．０００５ｇ
２元冷媒組成物／空気混合比：１ｖｏｌ．％刻み±０．２ｖｏｌ．％
２元冷媒組成物混合：±０．１重量％
点火方法：交流放電、電圧１５ｋＶ、電流３０ｍＡ、ネオン変圧器
電極間隔：６．４ｍｍ（１／４ｉｎｃｈ）スパーク：０．４秒±０．０５秒
判定基準：
・着火点を中心に９０度以上火炎が広がった場合＝燃焼（伝播）
・着火点を中心に９０度未満の火炎の広がりだった場合＝火炎伝播なし（不燃）
　その結果、可燃性冷媒Ｒ３２と不燃性冷媒Ｒ１３４ａとの混合冷媒では、Ｒ３２＝４３．０重量％、Ｒ１３４ａ＝５７．０重量％から火炎伝播は認められなくなり、この組成を不燃限界とした。また、可燃性冷媒Ｒ３２と不燃性冷媒Ｒ１２５では、Ｒ３２＝６３．０重量％、Ｒ１２５＝３７．０重量％、可燃性冷媒１２３４ｙｆと不燃性冷媒Ｒ１３４ａでは、１２３４ｙｆ＝６２．０重量％、Ｒ１３４ａ＝３８．０重量％、可燃性冷媒１２３４ｙｆと不燃性冷媒Ｒ１２５では、１２３４ｙｆ＝７９．０重量％、Ｒ１２５＝２１．０重量％からそれぞれ火炎伝播は認められなくなり、これらの組成を不燃限界とした。表１に結果をまとめた。
　【００５３】
　【表１】
　【００５４】
　次に、実験例１で求めた２元混合冷媒の不燃限界に基づいてＲ３２＝２２．６％の場合のＡＳＨＲＡＥ不燃限界を以下のように計算で求めた。
　【００５５】
　
１）Ｒ３２＝２２．６重量％、１２３４ｙｆ＝０重量％の場合
　Ｒ１２５＋Ｒ１３４ａ＝７７．４重量％とし、ＡＳＨＲＡＥ不燃限界に近い混合組成におけるＷＣＦＦ組成をＲＥＦＰＲＯＰ９．０により求めた。その結果を表２−１に示す。また、求めたＷＣＦＦ組成が不燃限界組成になっているかどうかは、以下の手順で調べた。
　（１）ＷＣＦＦの１２３４ｙｆ濃度に対する不燃限界Ｒ１３４ａ濃度（重量％）＝ＷＣＦＦの１２３４ｙｆ（重量％）×３８／６２＝０
　（２）余剰Ｒ１３４ａ濃度（重量％）＝ＷＣＦＦのＲ１３４ａ濃度（重量％）−（１）
　（３）ＷＣＦＦのＲ１２５濃度に対する不燃限界Ｒ３２濃度（重量％）＝ＷＣＦＦ組成のＲ１２５濃度（重量％）×６３／３７
　（４）（ＷＣＦＦのＲ３２濃度−（３））のＲ３２濃度に対する不燃限界Ｒ１３４ａ濃度＝（ＷＣＦＦのＲ３２濃度−（３））×５７／４３
　ここで、（２）−（４）＞０になった組成を計算上のＡＳＨＲＡＥ不燃限界とした。
　【００５６】
　【表２−１】
　【００５７】
　
２）Ｒ３２＝２２．６重量％、Ｒ１３４ａ＝５０．０重量％の場合（Ｒ３２／Ｒ１２５≦１．７０）
　（１）ＷＣＦＦの１２３４ｙｆ濃度に対する不燃限界Ｒ１３４ａ濃度（重量％）＝ＷＣＦＦの１２３４ｙｆ（重量％）×３８／６２
　（２）余剰Ｒ１３４ａ濃度（重量％）＝ＷＣＦＦのＲ１３４ａ濃度（重量％）−（１）
　（３）ＷＣＦＦのＲ１２５濃度に対する不燃限界Ｒ３２濃度（重量％）＝ＷＣＦＦ組成のＲ１２５濃度（重量％）×６３／３７
　（４）（ＷＣＦＦのＲ３２濃度−（３））のＲ３２濃度に対する不燃限界Ｒ１３４ａ濃度＝（ＷＣＦＦのＲ３２濃度−（３））×５７／４３
　ここで、（２）−（４）＞０になった組成を計算上のＡＳＨＲＡＥ不燃限界とした。
　【００５８】
　【表２−２】
　【００５９】
　
３）Ｒ３２＝２２．６重量％、Ｒ１３４ａ＝２０．０重量％の場合（Ｒ３２／Ｒ１２５≦１．７０）
　Ｒ１２５＋１２３４ｙｆ＝５７．４重量％とし、ＡＳＨＲＡＥ不燃限界に近い混合組成におけるＷＣＦＦ組成をＲＥＦＰＲＯＰ９．０により求めた。その結果を表２−３に示す。また、求めたＷＣＦＦ組成が不燃限界組成になっているかどうかは、以下の手順で調べた。
　（１）ＷＣＦＦの１２３４ｙｆ濃度に対する不燃限界Ｒ１３４ａ濃度（重量％）＝ＷＣＦＦの１２３４ｙｆ（重量％）×３８／６２
　（２）余剰Ｒ１３４ａ濃度（重量％）＝ＷＣＦＦのＲ１３４ａ濃度（重量％）−（１）
　（３）ＷＣＦＦのＲ１２５濃度に対する不燃限界Ｒ３２濃度（重量％）＝ＷＣＦＦ組成のＲ１２５濃度（重量％）×６３／３７
　（４）（ＷＣＦＦのＲ３２濃度−（３））のＲ３２濃度に対する不燃限界Ｒ１３４ａ濃度＝（ＷＣＦＦのＲ３２濃度−（３））×５７／４３
　ここで、（２）−（４）＞０になった組成を計算上のＡＳＨＲＡＥ不燃限界とした。
　【００６０】
　【表２−３】
　【００６１】
　
４）Ｒ３２＝２２．６％、Ｒ１３４ａ＝１５．９％（算出ＷＣＦＦ変化点）
　Ｒ１２５＋Ｒ１３４ａ＝６１．５重量％としＡＳＨＲＡＥ不燃限界に近い混合組成におけるＷＣＦＦ組成をＲＥＦＰＲＯＰ９．０により求めた。その結果を表２−４に示す。また、求めたＷＣＦＦ組成が不燃限界組成になっているかどうかは、以下の手順で調べた。
　（１）ＷＣＦＦのＲ３２濃度に対するＲ１２５不燃限界濃度（重量％）＝ＷＣＦＦのＲ３２（量％）×３７／６３
　（２）余剰Ｒ１２５濃度（重量％）＝ＷＣＦＦのＲ１２５濃度（重量％）−（１）
　（３）ＷＣＦＦのＲ１３４ａに対する不燃限界１２３４ｙｆ濃度（重量％）＝ＷＣＦＦ組成の１３４ａ濃度（重量％）×６２／３８
　（４）（ＷＣＦＦの１２３４ｙｆ濃度−（３））の１２３４ｙｆ濃度に対するＲ１２５不燃限界濃度＝（ＷＣＦＦの１２３４濃度−（３））×２１／７９
　ここで、（２）−（４）＞０になった組成を計算上のＡＳＨＲＡＥ不燃限界とした。
　【００６２】
　【表２−４】
　【００６３】
　上記が算出ＷＣＦＦが変化点であることは、Ｒ１３４ａ＝１５．８、１５．９、１６．０重量％とし、液相側からのＷＣＦＦ組成をＲＥＦＰＲＯＰ９．０により求めた。その結果を表２−５に示す。また、求めたＷＣＦＦ組成が不燃限界組成になっているかどうかは、以下の手順で調べた。
　（１）ＷＣＦＦのＲ３２濃度に対するＲ１２５不燃限界濃度（重量％）＝ＷＣＦＦのＲ３２（量％）×３７／６３
　（２）余剰Ｒ１２５濃度（重量％）＝ＷＣＦＦのＲ１２５濃度（重量％）−（１）
　（３）ＷＣＦＦのＲ１３４ａに対する不燃限界１２３４ｙｆ濃度（重量％）＝ＷＣＦＦ組成の１３４ａ濃度（重量％）×６２／３８
　（４）（ＷＣＦＦの１２３４ｙｆ濃度−（３））の１２３４ｙｆ濃度に対するＲ１２５不燃限界濃度＝（ＷＣＦＦの１２３４濃度−（３））×２１／７９
　ここで、（２）−（４）＞０になった組成を計算上のＡＳＨＲＡＥ不燃限界とした。
　【００６４】
　【表２−５】
　【００６５】
　以上からＷＣＦＦは、Ｒ１３４ａ≧１６．０重量％ではＷＣＦＦは気相リーク初期、Ｒ１３４ａ≦１５．８重量％では液相９５％リーク時となり、Ｒ１３４ａ＝１５．９重量％がＷＣＦＦ組成の変化点になっている。
　【００６６】
　
５）Ｒ３２＝２２．６、Ｒ１２５＝２５．０％におけるＡＳＨＲＡＥ不燃限界
　１２３４ｙｆ＋Ｒ１３４ａ＝５２．４重量％としＡＳＨＲＡＥ不燃限界に近い混合組成におけるＷＣＦＦ組成をＲＥＦＰＲＯＰ９．０により求めた。その結果を表２−６に示す。ＷＣＦＦはＲ１３４ａ≦１５．８重量％なので液相９５％リーク時となり、また、求めたＷＣＦＦ組成が不燃限界組成になっているかどうかは、以下の手順で調べた。
　（１）ＷＣＦＦのＲ３２濃度に対するＲ１２５不燃限界濃度（重量％）＝ＷＣＦＦのＲ３２（量％）×３７／６３
　（２）余剰Ｒ１２５濃度（重量％）＝ＷＣＦＦのＲ１２５濃度（重量％）−（１）
　（３）ＷＣＦＦのＲ１３４ａに対する不燃限界１２３４ｙｆ濃度（重量％）＝ＷＣＦＦ組成の１３４ａ濃度（重量％）×６２／３８
　（４）（ＷＣＦＦの１２３４ｙｆ濃度−（３））の１２３４ｙｆ濃度に対するＲ１２５不燃限界濃度＝（ＷＣＦＦの１２３４濃度−（３））×２１／７９
　ここで、（２）−（４）＞０になった組成を計算上のＡＳＨＲＡＥ不燃限界とした。
　【００６７】
　【表２−６】
　【００６８】
　
６）ＧＷＰ＝１５００におけるＡＳＨＲＡＥ不燃限界
　ＧＷＰが１５００となる（２２．６／３４．２／３２．８／１０．４）（Ｒ３２の濃度（重量％）／Ｒ１２５の濃度（重量％）／１２３４ｙｆの濃度（重量％）／Ｒ１３４ａの濃度（重量％））の組成のＷＣＦＦ組成、及び、ＡＳＨＲＡＥ不燃限界に近い混合組成におけるＷＣＦＦ組成をＲＥＦＰＲＯＰ９．０により求めた。その結果を表２−７に示す。また、求めたＷＣＦＦ組成が不燃限界組成になっているかどうかは、以下の手順で調べた。
　（１）ＷＣＦＦのＲ３２濃度に対するＲ１２５不燃限界濃度（重量％）＝ＷＣＦＦのＲ３２（量％）×３７／６３
　（２）余剰Ｒ１２５濃度（重量％）＝ＷＣＦＦのＲ１２５濃度（重量％）−（１）
　（３）ＷＣＦＦのＲ１３４ａに対する不燃限界１２３４ｙｆ濃度（重量％）＝ＷＣＦＦ組成の１３４ａ濃度（重量％）×６２／３８
　（４）（ＷＣＦＦの１２３４ｙｆ濃度−（３））の１２３４ｙｆ濃度に対するＲ１２５不燃限界濃度＝（ＷＣＦＦの１２３４濃度−（３））×２１／７９
　ここで、（２）−（４）＞０になった組成を計算上のＡＳＨＲＡＥ不燃限界とした。
　【００６９】
　【表２−７】
　【００７０】
　以上の計算上のＡＳＨＲＡＥ不燃限界組成を調べた結果を３成分組成図に示し、それらの点を結ぶ回帰線を求めた結果が、図１の点Ｇ、Ｈを結ぶ直線及び点Ｈ、Ｉを結ぶ直線である。
　【００７１】
　
実験例２（実験例１で得られた計算上の不燃限界の燃焼試験による検証）
　組成（Ｒ３２／Ｒ１２５／１２３４ｙｆ／Ｒ１３４ａ）＝（２２．６／１０．９／１６．５／５０．０）のＷＣＦＦ組成（４１．７／１６．２／１４．４／２７．７）、及び、
　組成（Ｒ３２／Ｒ１２５／１２３４ｙｆ／Ｒ１３４ａ）＝（２２．６／３４．２／３２．８／１０．４）のＷＣＦＦ組成（０．２／５．４／６５．８／２８．６）
　を代表例として、実験例１で示したＡＳＴＭ　Ｅ６８１に従って燃焼試験を行ったところ、これらのＷＣＦＦ組成では、火炎伝播は認められなかった。
　【００７２】
　従って、実験例１で求めた２元組成物の不燃限界に基づき、実験例１で計算により求めたＡＳＨＲＡＥ不燃限界は、ＡＮＳＩ／ＡＳＨＲＡＥ　Ｓｔａｎｄａｒｄ３４−２０１３に基づいたＡＳＨＲＡＥ不燃の要件を満たしている。
　【００７３】
　また、図１（Ｒ３２＝２２．６％の三角図）で示したようにＡＳＨＲＡＥ不燃限界は、１２３４ｙｆ＝０重量％（前記１）の方法で求めた点、図１では点Ｉ）とＲ３２＝３０％、Ｒ１３４ａ＝１０．３％（算出ＷＣＦＦ変化点）（前記４）の方法で求めた点、図１では点Ｈ）とを結ぶ直線（直線ＨＩ）及び前記点Ｈと、ＧＷＰ＝１５００（前記６）の方法で求めた点、図１では点Ｇ）とを結ぶ直線（直線ＧＨ）でＧＷＰが１５００以下でのＡＳＨＲＡＥ不燃限界が示される。
　【００７４】
　以後、本明細書におけるＡＳＨＲＡＥ不燃限界は、実験例１で求めた２元組成物の不燃限界に基づいて前記１）と４）と６）の方法により求めた回帰線（直線ＨＩ及び直線ＧＨ）により示す。表２−８には、Ｒ３２濃度＝１０．８、１２．４、１４．８、１６．１、１８．１、１９．０、２０．０、２１．６、２２．６、２３．２、２４．５、２５．６、２６．６重量％における点Ｇと点Ｈと点ＩのＲ３２濃度、Ｒ１２５濃度、１２３４ｙｆ濃度、Ｒ１３４ａ濃度を示す。
　【００７５】
　【表２−８】
　【００７６】
　上記により計算で求めたＡＳＨＲＡＥ不燃限界は、それぞれの冷媒の製造時の純度や混合時の誤差などを考慮するとさらに安全率を見込むことが好ましい。ＡＳＨＲＡＥ不燃限界線ＧＨについては、不燃性冷媒Ｒ１３４ａは、Ｒ１３４ａと１２３４ｙｆとの不燃限界混合比をもとに１２３４ｙｆ濃度を１．６３重量％（６３／３７）減少させることでＲ１３４ａ換算では１重量％（製造時の許容濃度として±１重量％見込むことが多いため）高くなるように平行移動した線分Ｇ’Ｈ’を安全率を見込んだものとした。また、ＡＳＨＲＡＥ不燃限界線ＨＩについては、不燃性冷媒Ｒ１２５は、Ｒ１２５と１２３４ｙｆとの不燃限界混合比をもとに１２３４ｙｆ濃度を３．７６重量％（７９／２１）減少させることでＲ１２５換算では１重量％（製造時の許容濃度として±１重量％見込むことが多いため）高くなるように平行移動した線分Ｈ’Ｉ’を安全率を見込んだものとした。
　【００７７】
　この安全率を見込んだＡＳＨＲＡＥ不燃線Ｇ’Ｈ’Ｉ’は、例えばＲ３２＝２２．６重量％では、Ｒ１２５＝ｙ重量％、１２３４ｙｆ＝ｚ重量％、Ｒ１３４ａ＝ｗ重量％とした場合、線分ＧＨは、ｙ＋ｚ＋ｗ＝１００重量％ととした三角図上ではｚ＝１．２ｗ＋４２．９２で表されるので、４２．９２から１．６３を引き、線分Ｇ’Ｈ’はｚ＝１．２ｗ＋４１．２９とし、線分ＡＤとの交点をＧ’とした。線分ＨＩは、ｚ＝２．０３０９ｙ＋１７．１１６で表されるので、１７．１１６から３．７６を引き、線分Ｈ’Ｉ’はｚ＝２．０３０９ｙ＋１３．３５６とし、線分ＤＩとの交点をＩ’とした。また、Ｈ’は、Ｇ’Ｈ’の線分の式ｚ＝１．２ｗ＋４１．２９とＨ’Ｉ’の線分の式ｚ＝２．０３０９ｙ＋１３．３５６の交点として求めた。
　【００７８】
　このようにして安全率を見込んだＡＳＨＲＡＥ不燃点Ｇ’Ｈ’Ｉ’を表２−９に示す。
　【００７９】
　【表２−９】
　【００８０】
　前記混合物に含まれるＲ３２、Ｒ１２５、１２３４ｙｆ及びＲ１３４ａの組成比は、Ｒ３２の濃度条件による制限の下、Ｒ１２５、１２３４ｙｆ及びＲ１３４ａの３成分組成図上の点で表すことができる。
　【００８１】
　すなわち、Ｒ３２の濃度をｘ重量％とすると、Ｒ１２５、１２３４ｙｆ及びＲ１３４ａの濃度の和は、（１００−ｘ）重量％となり、前記混合物に含まれるＲ３２、Ｒ１２５、１２３４ｙｆ及びＲ１３４ａの組成比は、Ｒ１２５、１２３４ｙｆ及びＲ１３４ａの濃度の総和を（１００−ｘ）とする３成分組成図上の座標点として表すことができる。以下に具体的な座標点の求め方を示す。
　【００８２】
　以下では、ｘの範囲で場合分けをし、点Ａ、Ｂ、Ｃ、Ｄ、Ｅ、Ｆ、Ｂ’、Ｃ’、Ｅ’、Ｆ’、Ｇ、Ｈ、Ｉ、Ｇ’、Ｈ’、Ｉ’、Ｊ、Ｋ、Ｌ、Ｍ、Ｎ、Ｏ、Ｐ、Ｑ、Ｒ、Ｓ、Ｔ、Ｕ、Ｖ、Ｗ、Ｘ、Ｙ、Ｚ及びαの各点の意味は次の通りであり、各点の濃度は後記の実施例１で求め、その値を示している。
Ａ：ＧＷＰ＝１５００であってＲ１３４ａの濃度（重量％）が０重量％の組成比
Ｄ：ＧＷＰ＝１５００であって１２３４ｙｆの濃度（重量％）が０重量％の組成比
Ｇ：ＧＷＰ＝１５００であってＡＳＨＲＡＥ不燃限界を示す組成比
（ＷＣＦＦがＳｔｏｒａｇｅ／Ｓｈｉｐｐｉｎｇ　ｃｏｎｄｉｔｉｏｎｓ　９５％リーク後の液相組成になる場合）
Ｈ：ＡＳＨＲＡＥ不燃限界を示す組成比
（ＷＣＦＦがＳｔｏｒａｇｅ／Ｓｈｉｐｐｉｎｇ　ｃｏｎｄｉｔｉｏｎｓ　９５％リーク後の液相組成、及び、０％リーク時の気相組成になる場合）
Ｉ：ＡＳＨＲＡＥ不燃限界であって１２３４ｙｆの濃度（重量％）が０重量％の組成比
（ＷＣＦＦはＳｔｏｒａｇｅ／Ｓｈｉｐｐｉｎｇ　ｃｏｎｄｉｔｉｏｎｓ　０％リーク時の気相組成）
Ｇ’：ＡＳＨＲＡＥ不燃限界を示す線分ＧＨに対して、不燃の安全率を見込むために
不燃冷媒Ｒ１３４ａを＋１重量％上乗せした線分とＧＷＰ＝１５００の線分との交点を示す組成比
Ｈ’：ＡＳＨＲＡＥ不燃限界を示す線分ＧＨに対して、不燃冷媒Ｒ１３４ａを＋１重量％上乗せした線分と不燃冷媒Ｒ１２５を＋１重量％上乗せした線分
Ｉ’：ＡＳＨＲＡＥ不燃限界を示す線分ＨＩに対して、不燃の安全率を見込むために
不燃冷媒Ｒ１２５を＋１重量％上乗せした線分であって１２３４ｙｆの濃度（重量％）が０重量％の組成比
Ｂ：線分Ｇ’Ｈ’Ｉ’上にあって圧縮機出口圧力がＲ２２圧力の１０２．５％になる組成比
Ｃ：ＧＷＰ＝１５００であって圧縮機出口圧力がＲ２２圧力の１０２．５％になる組成比
Ｅ：線分Ｇ’Ｈ’Ｉ’上にあって圧縮機出口圧力がＲ２２圧力の９７．５％になる組成比
Ｆ：ＧＷＰ＝１５００であって圧縮機出口圧力がＲ２２圧力の９７．５％になる組成比
Ｂ’：線分Ｇ’Ｈ’Ｉ’上にあって圧縮機出口圧力がＲ２２圧力の１０１．２５％になる組成比
Ｃ’：ＧＷＰ＝１５００であって圧縮機出口圧力がＲ２２圧力の１０１．２５％になる組成比
Ｅ’：線分Ｇ’Ｈ’Ｉ’上にあって圧縮機出口圧力がＲ２２圧力の９８．７５％になる組成比Ｆ’：ＧＷＰ＝１５００であって圧縮機出口圧力がＲ２２圧力の９８．７５％になる組成比
Ｊ：線分Ｇ’Ｈ’Ｉ’上にあって対Ｒ４０４Ａ冷凍能力が８５％になる組成比
Ｋ：ＧＷＰ＝１５００であって対Ｒ４０４Ａ冷凍能力が８５％になる組成比
Ｌ：線分Ｇ’Ｈ’Ｉ’上にあって対Ｒ４０４Ａ冷凍能力が９０％になる組成比
Ｍ：ＧＷＰ＝１５００であって対Ｒ４０４Ａ冷凍能力が９０％になる組成比
Ｏ：線分Ｇ’Ｈ’Ｉ’上にあって対Ｒ４０４Ａ冷凍能力が９５％になる組成比
Ｐ：ＧＷＰ＝１５００であって対Ｒ４０４Ａ冷凍能力が９５％になる組成比
Ｑ：線分Ｇ’Ｈ’Ｉ’上にあって圧縮機出口温度が１１５℃になる組成比
Ｒ：ＧＷＰ＝１５００であって圧縮機出口温度が１１５℃になる組成比
Ｓ：線分Ｇ’Ｈ’Ｉ’上にあってＣＯＰが対Ｒ４０４Ａの１０７．７５％となる組成比
Ｔ：ＧＷＰ＝１５００であってＣＯＰが対Ｒ４０４Ａの１０７．７５％となる組成比
Ｕ：線分ＳＴと線分ＪＫとの交点
Ｖ：線分ＳＴと線分ＬＭとの交点
Ｗ：線分ＳＴと線分ＯＰとの交点
Ｘ：線分ＱＲと線分ＪＫとの交点
Ｙ：線分ＯＲと線分ＬＭとの交点
Ｚ：線分ＱＲと線分ＯＰとの交点
α：線分ＳＴと線分ＱＲとの交点
Ｎ：Ｒ１２５＝０、Ｒ１３４ａ＝０となる点（０／０／１００−ｘ）
　【００８３】
　
（１）点Ａ、Ｄ、Ｇ、Ｈ、Ｉ、Ｇ’、Ｈ’、Ｉ’の求め方
　（１−１）点Ａについて
　
１４．８重量％≧ｘ≧１０．８重量％
　ｘ＝Ｒ３２の濃度が１０．８重量％とき、Ｒ１２５、１２３４ｙｆ及び１３４ａの濃度の総和を（１００−ｘ）重量％とする３成分組成図上の点Ａは、
（Ｒ１２５の濃度（重量％）／１２３４ｙｆの濃度（重量％）／１３４ａの濃度（重量％））＝（４０．７／４０．５／０）であり、
　Ｒ３２の濃度が１２．４重量％のとき、Ｒ１２５、１２３４ｙｆ及び１３４ａの濃度の総和を（１００−ｘ）重量％とする３成分組成図上の点Ａは、
（Ｒ１２５の濃度（重量％）／１２３４ｙｆの濃度（重量％）／１３４ａの濃度（重量％））＝（４０．４／４７．２／０）であり、
　Ｒ３２の濃度が１４．８重量％のとき、Ｒ１２５、１２３４ｙｆ及び１３４ａの濃度の総和を（１００−ｘ）重量％とする３成分組成図上の点Ａは、
（Ｒ１２５の濃度（重量％）／１２３４ｙｆの濃度（重量％）／１３４ａの濃度（重量％））＝（４０．０／４５．２／０）であることから、Ｒ３２、Ｒ１２５、１２３４ｙｆ及び１３４ａの濃度の総和を１００重量％としたときの、Ｒ１２５の濃度をｙ重量％とすると、ｘｙ座標にプロットした上記の３点から求められる回帰直線の式は、
ｙ＝−１．７４３ｘ＋４２．５７５
で表される。また、点ＡのＲ１３４ａ濃度は０重量％なので、点Ａの１２３４ｙｆ濃度は（１００−Ｒ３２濃度（重量％）−Ｒ１２５の濃度（重量％）で表される。
　【００８４】
　以上より、Ｒ１２５、１２３４ｙｆ及びＲ１３４ａの濃度の総和を（１００−ｘ）とする３成分組成図上の点Ａ（Ｒ１２５の濃度（重量％）／１２３４ｙｆの濃度（重量％）／１３４ａの濃度（重量％））は、（４２．５７５−１．７４３ｘ／１００−Ｒ３２濃度−Ｒ１２５の濃度／０）で表される。
　【００８５】
　１８．１重量％≧ｘ≧１４．８重量％、２０．０重量％≧ｘ≧１８．１重量％、２２．６重量％≧ｘ≧２０．０重量％、２４．５重量％≧ｘ≧２２．６重量％、及び、２６．６重量％≧ｘ≧２４．５重量％の範囲について同様に計算し、表３−１に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【００８６】
　【表３−１】
　【００８７】
　（１−２）点Ｄについて
　点Ｄについても、１４．８重量％≧ｘ≧１０．８重量％、１８．１重量％≧ｘ≧１４．８重量％、２０．０重量％≧ｘ≧１８．１重量％、２２．６重量％≧ｘ≧２０．０重量％、２４．５重量％≧ｘ≧２２．６重量％、及び、２６．６重量％≧ｘ≧２４．５重量％の範囲について点Ａと同様に計算し、表３−２に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【００８８】
　【表３−２】
　【００８９】
　（１−３）点Ｇについて
　点Ｇについても、１４．８重量％≧ｘ≧１０．８重量％、１８．１重量％≧ｘ≧１４．８重量％、２０．０重量％≧ｘ≧１８．１重量％、２２．６重量％≧ｘ≧２０．０重量％、２４．５重量％≧ｘ≧２２．６重量％、及び、２６．６重量％≧ｘ≧２４．５重量％の範囲について点Ａと同様に計算し、表３−３に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【００９０】
　【表３−３】
　【００９１】
　（１−４）点Ｈについて
　点Ｈについても、１４．８重量％≧ｘ≧１０．８重量％、１８．１重量％≧ｘ≧１４．８重量％、２０．０重量％≧ｘ≧１８．１重量％、２２．６重量％≧ｘ≧２０．０重量％、２４．５重量％≧ｘ≧２２．６重量％、及び、２６．６重量％≧ｘ≧２４．５重量％の範囲について点Ａと同様に計算し、表３−４に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【００９２】
　【表３−４】
　【００９３】
　（１−５）点Ｉについて
　点Ｉについても、１４．８重量％≧ｘ≧１０．８重量％、１８．１重量％≧ｘ≧１４．８重量％、２０．０重量％≧ｘ≧１８．１重量％、２２．６重量％≧ｘ≧２０．０重量％、２４．５重量％≧ｘ≧２２．６重量％、及び、２６．６重量％≧ｘ≧２４．５重量％の範囲について点Ａと同様に計算し、表３−５に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【００９４】
　【表３−５】
　【００９５】
　（１−６）点Ｇ’について
　点Ｇ’についても、１４．８重量％≧ｘ≧１０．８重量％、１８．１重量％≧ｘ≧１４．８重量％、２０．０重量％≧ｘ≧１８．１重量％、２２．６重量％≧ｘ≧２０．０重量％、２４．５重量％≧ｘ≧２２．６重量％、及び、２６．６重量％≧ｘ≧２４．５重量％の範囲について点Ａと同様に計算し、表３−６に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【００９６】
　【表３−６】
　【００９７】
　（１−７）点Ｈ’について
　点Ｈ’についても、１４．８重量％≧ｘ≧１０．８重量％、１８．１重量％≧ｘ≧１４．８重量％、２０．０重量％≧ｘ≧１８．１重量％、２２．６重量％≧ｘ≧２０．０重量％、２４．５重量％≧ｘ≧２２．６重量％、及び、２６．６重量％≧ｘ≧２４．５重量％の範囲について点Ａと同様に計算し、表３−７に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【００９８】
　【表３−７】
　【００９９】
　（１−８）点Ｉ’について
　点Ｉ’についても、１４．８重量％≧ｘ≧１０．８重量％、１８．１重量％≧ｘ≧１４．８重量％、２０．０重量％≧ｘ≧１８．１重量％、２２．６重量％≧ｘ≧２０．０重量％、２４．５重量％≧ｘ≧２２．６重量％、及び、２６．６重量％≧ｘ≧２４．５重量％の範囲について点Ａと同様に計算し、表３−７に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１００】
　【表３−８】
　【０１０１】
　（２）点Ｂ、Ｃ、Ｅ、Ｆ、Ｂ’、Ｃ’Ｅ’、Ｆ’の求め方
　（２−１）点Ｂについて
　点Ｂについても、１４．１重量％≧ｘ≧１０．８重量％、１６．１重量％≧ｘ≧１４．１重量％、１６．８重量％≧ｘ≧１６．１重量％、１８．１重量％≧ｘ≧１６．８重量％、２０．０重量％≧ｘ≧１８．１重量％、２１．６重量％≧ｘ≧２０．０重量％、及び、２４．２重量％≧ｘ≧２１．６重量％の範囲について点Ａと同様に計算し、表３−９に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１０２】
　【表３−９】
　【０１０３】
　（２−２）点Ｃについて
　点Ｃについても、１４．１重量％≧ｘ≧１０．８重量％、１６．１重量％≧ｘ≧１４．１重量％、１６．８重量％≧ｘ≧１６．１重量％、１８．１重量％≧ｘ≧１６．８重量％、２０．０重量％≧ｘ≧１８．１重量％、２１．６重量％≧ｘ≧２０．０重量％、及び、２４．２重量％≧ｘ≧２１．６重量％の範囲について点Ａと同様に計算し、表３−１０に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１０４】
　【表３−１０】
　【０１０５】
　（２−３）点Ｅについて
　点Ｅについても、１４．１重量％≧ｘ≧１０．８重量％、１６．１重量％≧ｘ≧１４．１重量％、１６．８重量％≧ｘ≧１６．１重量％、１８．１重量％≧ｘ≧１６．８重量％、２０．０重量％≧ｘ≧１８．１重量％、２１．６重量％≧ｘ≧２０．０重量％、及び、２４．２重量％≧ｘ≧２１．６重量％の範囲について点Ａと同様に計算し、表３−１１に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１０６】
　【表３−１１】
　【０１０７】
　（２−４）点Ｆについて
　点Ｆについても、１４．１重量％≧ｘ≧１０．８重量％、１６．１重量％≧ｘ≧１４．１重量％、１６．８重量％≧ｘ≧１６．１重量％、１８．１重量％≧ｘ≧１６．８重量％、２０．０重量％≧ｘ≧１８．１重量％、２１．６重量％≧ｘ≧２０．０重量％、及び、２４．２重量％≧ｘ≧２１．６重量％の範囲について点Ａと同様に計算し、表３−１２に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１０８】
　【表３−１２】
　【０１０９】
　（２−５）点Ｂ’について
　点Ｂ’についても、１４．１重量％≧ｘ≧１０．８重量％、１４．８重量％≧ｘ≧１４．１重量％、１６．１重量％≧ｘ≧１４．８重量％、１８．１重量％≧ｘ≧１６．１重量％、２０．０重量％≧ｘ≧１８．１重量％、２２．６重量％≧ｘ≧２０．０重量％、及び、２５．１重量％≧ｘ≧２２．６重量％の範囲について点Ａと同様に計算し、表３−１３に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１１０】
　【表３−１３】
　【０１１１】
　（２−６）点Ｃ’について
　点Ｃ’についても、１４．１重量％≧ｘ≧１０．８重量％、１４．８重量％≧ｘ≧１４．１重量％、１６．１重量％≧ｘ≧１４．８重量％、１８．１重量％≧ｘ≧１６．１重量％、２０．０重量％≧ｘ≧１８．１重量％、２２．６重量％≧ｘ≧２０．０重量％、及び、２５．１重量％≧ｘ≧２２．６重量％の範囲について点Ａと同様に計算し、表３−１４に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１１２】
　【表３−１４】
　【０１１３】
　（２−７）点Ｅ’について
　点Ｅ’についても、１４．１重量％≧ｘ≧１０．８重量％、１４．８重量％≧ｘ≧１４．１重量％、１６．１重量％≧ｘ≧１４．８重量％、１８．１重量％≧ｘ≧１６．１重量％、２０．０重量％≧ｘ≧１８．１重量％、２２．６重量％≧ｘ≧２０．０重量％、及び、２５．１重量％≧ｘ≧２２．６重量％の範囲について点Ａと同様に計算し、表３−１５に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１１４】
　【表３−１５】
　【０１１５】
　（２−８）点Ｆ’について
　点Ｆ’についても、１４．１重量％≧ｘ≧１０．８重量％、１４．８重量％≧ｘ≧１４．１重量％、１６．１重量％≧ｘ≧１４．８重量％、１８．１重量％≧ｘ≧１６．１重量％、２０．０重量％≧ｘ≧１８．１重量％、２２．６重量％≧ｘ≧２０．０重量％、及び、２５．１重量％≧ｘ≧２２．６重量％の範囲について点Ａと同様に計算し、表３−１６に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１１６】
　【表３−１６】
　【０１１７】
　（３）点Ｊ、Ｋ、Ｌ、Ｍ、Ｏ、Ｐ、Ｑ、Ｒ、Ｓ、Ｔの求め方
　（３−１）点Ｊについて
　点Ｊについても、１４．２重量％≧ｘ≧１１．６重量％、１５．３重量％≧ｘ≧１４．２重量％、１６．２重量％≧ｘ≧１５．３重量％、１７．５重量％≧ｘ≧１６．２重量％、及び、１９．０重量％≧ｘ≧１７．５重量％の範囲について点Ａと同様に計算し、表３−１７に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１１８】
　【表３−１７】
　【０１１９】
　（３−２）点Ｋについて
　点Ｋについても、１４．２重量％≧ｘ≧１１．６重量％、１５．３重量％≧ｘ≧１４．２重量％、１６．２重量％≧ｘ≧１５．３重量％、１７．５重量％≧ｘ≧１６．２重量％、及び、１９．０重量％≧ｘ≧１７．５重量％の範囲について点Ａと同様に計算し、表３−１８に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１２０】
　【表３−１８】
　【０１２１】
　（３−３）点Ｌについて
　点Ｌについても、１７．０重量％≧ｘ≧１４．５重量％、１８．０重量％≧ｘ≧１７．０重量％、１８．７重量％≧ｘ≧１８．０重量％、１９．３重量％≧ｘ≧１８．７重量％、及び、２０．８重量％≧ｘ≧１９．３重量％の範囲について点Ａと同様に計算し、表３−１９に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１２２】
　【表３−１９】
　【０１２３】
　（３−４）点Ｍについて
　点Ｍについても、１７．０重量％≧ｘ≧１４．５重量％、１８．０重量％≧ｘ≧１７．０重量％、１８．７重量％≧ｘ≧１８．０重量％、１９．３重量％≧ｘ≧１８．７重量％、及び、２０．８重量％≧ｘ≧１９．３重量％の範囲について点Ａと同様に計算し、表３−２０に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１２４】
　【表３−２０】
　【０１２５】
　（３−５）点Ｏについて
　点Ｏについても、２０．０重量％≧ｘ≧１７．５重量％、２０．８重量％≧ｘ≧２０．０重量％、２１．２重量％≧ｘ≧２０．８重量％、及び、２２．６重量％≧ｘ≧２１．２重量％の範囲について点Ａと同様に計算し、表３−２１に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１２６】
　【表３−２１】
　【０１２７】
　（３−６）点Ｐについて
　点Ｐについても、２０．０重量％≧ｘ≧１７．５重量％、２０．８重量％≧ｘ≧２０．０重量％、２１．２重量％≧ｘ≧２０．８重量％、及び、２２．６重量％≧ｘ≧２１．２重量％の範囲について点Ａと同様に計算し、表３−２２に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１２８】
　【表３−２２】
　【０１２９】
　（３−７）点Ｑについて
　点Ｑについても、２０．８重量％≧ｘ≧１７．５重量％、２３．２重量％≧ｘ≧２０．８重量％、２３．２重量％≧ｘ≧２０．８重量％、２５．６重量％≧ｘ≧２３．２重量％及び、２６．６重量％≧ｘ≧２５．６重量％の範囲について点Ａと同様に計算し、表３−２３に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１３０】
　【表３−２３】
　【０１３１】
　（３−８）点Ｒについて
　点Ｒについても、２０．８重量％≧ｘ≧１７．５重量％、２３．２重量％≧ｘ≧２０．８重量％、２３．２重量％≧ｘ≧２０．８重量％、２５．６重量％≧ｘ≧２３．２重量％及び、２６．６重量％≧ｘ≧２５．６重量％の範囲について点Ａと同様に計算し、表３−２４に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１３２】
　【表３−２４】
　【０１３３】
　（３−９）点Ｓについて
　点Ｓについても、１７．０重量％≧ｘ≧１４．２重量％、１９．０重量％≧ｘ≧１７．０重量％、２０．８重量％≧ｘ≧１９．０重量％、２３．２重量％≧ｘ≧２０．８重量％及び、２５．４重量％≧ｘ≧２３．２重量％の範囲について点Ａと同様に計算し、表３−２５に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１３４】
　【表３−２５】
　【０１３５】
　（３−１０）点Ｔについて
　点Ｔについても、１７．０重量％≧ｘ≧１４．２重量％、１９．０重量％≧ｘ≧１７．０重量％、２０．８重量％≧ｘ≧１９．０重量％、２３．２重量％≧ｘ≧２０．８重量％及び、２５．４重量％≧ｘ≧２３．２重量％の範囲について点Ａと同様に計算し、表３−２６に各濃度範囲ごとのＲ３２＝ｘ重量％としたときのｘの近似式で示される（Ｒ１２５の濃度（重量％）／１２３４ｙｆの濃度（重量％）／１３４ａの濃度（重量％））を示す。
　【０１３６】
　【表３−２６】
　【０１３７】
　（４）交点Ｕ、Ｖ、Ｗ、Ｘ、Ｙ、Ｚ、αの求め方
　（４−１）線分ＪＫと線分ＳＴとの交点Ｕについて
　ｘ＝Ｒ３２＝１４．５重量％のとき、ｙ＝Ｒ１２５の濃度（重量％）、ｚ＝Ｒ１３４ａの濃度（重量％）とした場合、線分ＪＫは表３−２７に示すようにｚ＝−４．６３７６ｙ＋１５１．２７、線分ＳＴはｚ＝−２．０８１５ｙ＋８５．８７３で示され、線分ＪＫと線分ＳＴの交点であるＵはこれらの式を解くことで表３−２７に示すように（Ｒ１２５の濃度（重量％）／１２３４ｙｆの濃度（重量％）／１３４ａの濃度（重量％））＝（２５．６／３２．６／２７．３）となる。また、１５．３重量％≧ｘ≧１４．２重量％の範囲における交点Ｕの近似式は点Ａと同様に計算し、Ｒ３２＝ｘ重量％としたときのｘの近似式で示される交点Ｕ（Ｒ１２５の濃度（重量％）／１２３４ｙｆの濃度（重量％）／１３４ａの濃度（重量％））を表３−２７に示す。
　【０１３８】
　【表３−２７】
　【０１３９】
　（４−２）線分ＬＭと線分ＳＴとの交点Ｖについて
　ｘ＝Ｒ３２＝１７．５重量％のときの交点Ｖは、表３−２８に示す線分の式から交点Ｕと同様に計算して求めた。また、１８．０重量％≧ｘ≧１７．０重量％の範囲における交点Ｖの近似式は点Ａと同様に計算し、Ｒ３２＝ｘ重量％としたときのｘの近似式で示される交点Ｖ（Ｒ１２５の濃度（重量％）／１２３４ｙｆの濃度（重量％）／１３４ａの濃度（重量％））を表３−２８に示す。
　【０１４０】
　【表３−２８】
　【０１４１】
　（４−３）線分ＯＰと線分ＳＴとの交点Ｗについて
　ｘ＝Ｒ３２＝２０．４重量％のときの交点Ｗは、表３−２９に示す線分の式から交点Ｕと同様に計算して求めた。また、２０．８重量％≧ｘ≧２０．０重量％の範囲における交点Ｗの近似式は点Ａと同様に計算し、Ｒ３２＝ｘ重量％としたときのｘの近似式で示される交点Ｗ（Ｒ１２５の濃度（重量％）／１２３４ｙｆの濃度（重量％）／１３４ａの濃度（重量％））を表３−２９に示す。
　【０１４２】
　【表３−２９】
　【０１４３】
　（４−４）線分ＪＫと線分ＱＲとの交点Ｘについて
　ｘ＝Ｒ３２＝１８．０重量％のときの交点Ｘは、表３−３０に示す線分の式から交点Ｕと同様に計算して求めた。また、１９．０重量％≧ｘ≧１７．５重量％の範囲における交点Ｘの近似式は点Ａと同様に計算し、Ｒ３２＝ｘ重量％としたときのｘの近似式で示される交点Ｘ（Ｒ１２５の濃度（重量％）／１２３４ｙｆの濃度（重量％）／１３４ａの濃度（重量％））を表３―に３０示す。
　【０１４４】
　【表３−３０】
　【０１４５】
　（４−５）線分ＬＭと線分ＱＲとの交点Ｙについて
　ｘ＝Ｒ３２＝２０．０重量％のときの交点Ｙは、表３−３１に示す線分の式から交点Ｕと同様に計算して求めた。また、２０．８重量％≧ｘ≧１９．３重量％の範囲における交点Ｙの近似式は点Ａと同様に計算し、Ｒ３２＝ｘ重量％としたときのｘの近似式で示される交点Ｙ（Ｒ１２５の濃度（重量％）／１２３４ｙｆの濃度（重量％）／１３４ａの濃度（重量％））を表３―に３１示す。
　【０１４６】
　【表３−３１】
　【０１４７】
　（４−６）線分ＯＰと線分ＱＲとの交点Ｚについて
　ｘ＝Ｒ３２＝２１．６重量％のときの交点Ｚは、表３−３２に示す線分の式から交点Ｕと同様に計算して求めた。また、２２．６重量％≧ｘ≧２１．２重量％の範囲における交点Ｚの近似式は点Ａと同様に計算し、Ｒ３２＝ｘ重量％としたときのｘの近似式で示される交点Ｚ（Ｒ１２５の濃度（重量％）／１２３４ｙｆの濃度（重量％）／１３４ａの濃度（重量％））を表３―に３２示す。
　【０１４８】
　【表３−３２】
　【０１４９】
　（４−７）線分ＳＴと線分ＱＲとの交点αについて　ｘ＝Ｒ３２＝２１．６重量％のときの交点αは、表３−３３に示す線分の式から交点Ｕと同様に計算して求めた。また、２５．４重量％≧ｘ≧２３．２重量％の範囲における交点αの近似式は点Ａと同様に計算し、Ｒ３２＝ｘ重量％としたときのｘの近似式で示される交点α（Ｒ１２５の濃度（重量％）／１２３４ｙｆの濃度（重量％）／１３４ａの濃度（重量％））を表３−３３示す。
　【０１５０】
　【表３−３３】
　【０１５１】
　本発明の第一の形態の組成物に含有される混合物（各混合物のうち少なくとも一種）は、基本４成分（Ｒ３２、Ｒ１２５、Ｒ１３４ａ及び１２３４ｙｆ）に加えて、他の成分として水を含有することができる。
　【０１５２】
　混合物に含まれる水の濃度は、混合物の中の１２３４ｙｆ含有量に対して２００重量ｐｐｍ以下が好ましい。混合物の中の１２３４ｙｆ含有量に対する水濃度の下限値は特に限定されず、組成物の安定性が向上する効果が発揮される限り限定はされないが、例えば、０．１重量ｐｐｍとすることができる。
　【０１５３】
　混合物に水が含まれることにより、該混合物を含有する組成物の化学的安定性が高まるという予想外の効果を得ることができる。これは、該混合物が水を含むことで、組成物中に含まれる不飽和のフッ素化炭化水素類の分子内二重結合が安定に存在でき、また、不飽和のフッ素化炭化水素類の酸化も起こりにくくなるため、結果として組成物の安定性が向上するものと考えられる。
　【０１５４】
　本発明の第一の形態の組成物に含有される混合物は、基本４成分（Ｒ３２、Ｒ１２５、Ｒ１３４ａ及び１２３４ｙｆ）に加えて、他の成分（基本４成分とは異なるフッ素化炭化水素）を含有することができる。他の成分としてのフッ素化炭化水素は特に限定されず、ＨＣＦＣ−１１２２、ＨＣＦＣ−１２４、ＣＦＣ−１１１３及び３，３，３−トリフルオロプロピンからなる群より選択される少なくとも１種のフッ素化炭化水素が挙げられる。
　【０１５５】
　本発明の第一の形態の組成物に含有される混合物は、基本４成分（Ｒ３２、Ｒ１２５、Ｒ１３４ａ及び１２３４ｙｆ）に加えて、他の成分として式（１）：ＣｍＨｎＸｐ［式中、Ｘはそれぞれ独立してフッ素原子、塩素原子又は臭素原子を表し、ｍは１又は２であり、２ｍ＋２≧ｎ＋ｐであり、ｐ≧１である。］で表される少なくとも１種のハロゲン化有機化合物を含有することができる。他の成分としてのハロゲン化有機化合物は特に限定されず、例えば、ジフルオロクロロメタン、クロロメタン、２−クロロ−１，１，１，２，２−ペンタフルオロエタン、２−クロロ−１，１，１，２−テトラフルオロエタン、２−クロロ−１，１−ジフルオロエチレン、トリフルオロエチレン等が好ましい。
　【０１５６】
　本発明の第一の形態の組成物に含有される混合物は、基本４成分（Ｒ３２、Ｒ１２５、Ｒ１３４ａ及び１２３４ｙｆ）に加えて、他の成分として式（２）：ＣｍＨｎＸｐ［式中、Ｘはそれぞれ独立してハロゲン原子ではない原子を表し、ｍは１又は２であり、２ｍ＋２≧ｎ＋ｐであり、ｐ≧１である。］で表される少なくとも１種の有機化合物を含有することができる。他の成分としての有機化合物は特に限定されず、例えば、プロパン、イソブタン等が好ましい。
　【０１５７】
　前述の通り、混合物が他の成分を含む場合には、混合物中の他の成分の含有量は、他の成分が単独又は２種以上で含まれるいずれの場合であっても合算量として０．５重量％以下が好ましく、０．３重量％以下がより好ましく、０．１重量％以下が特に好ましい。
　【０１５８】
　
第二の形態〜第四の形態
　本発明の第二の形態の組成物は、フッ素化炭化水素の混合物を含有する組成物であって、前記混合物が、ＨＣＦＣ−１１２２、ＨＣＦＣ−１２４、ＣＦＣ−１１１３及び３，３，３−トリフルオロプロピンからなる群より選択される少なくとも１種のフッ素化炭化水素、Ｒ３２、Ｒ１２５、Ｒ１３４ａ及び１２３４ｙｆを含有する。つまり、基本４成分（Ｒ３２、Ｒ１２５、Ｒ１３４ａ及び１２３４ｙｆ）に加えて、他の成分（基本４成分とは異なるフッ素化炭化水素）としてＨＣＦＣ−１１２２、ＨＣＦＣ−１２４、ＣＦＣ−１１１３及び３，３，３−トリフルオロプロピンからなる群より選択される少なくとも１種を含有する。
　【０１５９】
　また、本発明の第三の形態の組成物は、フッ素化炭化水素の混合物を含有する組成物であって、前記混合物が、式（１）：ＣｍＨｎＸｐ［式中、Ｘはそれぞれ独立してフッ素原子、塩素原子又は臭素原子を表し、ｍは１又は２であり、２ｍ＋２≧ｎ＋ｐであり、ｐ≧１である。］で表される少なくとも１種のハロゲン化有機化合物、Ｒ３２、Ｒ１２５、Ｒ１３４ａ及び１２３４ｙｆを含有する。つまり、基本４成分（Ｒ３２、Ｒ１２５、Ｒ１３４ａ及び１２３４ｙｆ）に加えて、他の成分として式（１）で表されるハロゲン化有機化合物を含有する。
　【０１６０】
　さらに、本発明の第四の形態の組成物は、フッ素化炭化水素の混合物を含有する組成物であって、前記混合物が、式（２）：ＣｍＨｎＸｐ［式中、Ｘはそれぞれ独立してハロゲン原子ではない原子を表し、ｍは１又は２であり、２ｍ＋２≧ｎ＋ｐであり、ｐ≧１である。］で表される少なくとも１種の有機化合物、Ｒ３２、Ｒ１２５、Ｒ１３４ａ及び１２３４ｙｆを含有する。つまり、基本４成分（Ｒ３２、Ｒ１２５、Ｒ１３４ａ及び１２３４ｙｆ）に加えて、他の成分として式（２）で表される有機化合物を含有する。
　【０１６１】
　本発明の第二〜第四の形態の組成物は、混合物中に含まれるＲ３２、Ｒ１２５、Ｒ１３４ａ及び１２３４ｙｆの組成比が特に限定されない点を除き、本発明の第一の形態の組成物と同様の組成物とすることができる。ここで、本発明の第二〜第四の形態の組成物において、混合物中の他の成分の含有量は第一の形態の場合と同様に、０．５重量％以下が好ましく、０．３重量％以下がより好ましく、０．１重量％以下が特に好ましい。
　【０１６２】
　
第五の形態
　本発明の第五の形態の組成物は、フッ素化炭化水素の混合物を含有する組成物であって、前記混合物が、ジフルオロメタン（Ｒ３２）、ペンタフルオロエタン（Ｒ１２５）、１，１，１，２−テトラフルオロエタン（Ｒ１３４ａ）及び２，３，３，３−テトラフルオロプロペン（１２３４ｙｆ）及び水を含む。つまり、基本４成分（Ｒ３２、Ｒ１２５、Ｒ１３４ａ及び１２３４ｙｆ）に加えて、他の成分として水を含有する。ここで、本発明の第五の形態の組成物において、混合物中の他の成分としての水の含有量は第一の形態の場合と同様に、０．５重量％以下が好ましく、０．３重量％以下がより好ましく、０．１重量％以下が特に好ましい。
　【０１６３】
　本発明の第五の形態の組成物に含有される混合物に含まれるＲ３２、Ｒ１２５、Ｒ１３４ａ及び１２３４ｙｆの組成比は特に限定されない。
　【０１６４】
　混合物に含まれる水の濃度は、混合物の中の１２３４ｙｆ含有量に対して２００重量ｐｐｍ以下が好ましい。混合物の中の１２３４ｙｆ含有量に対する水濃度の下限値は特に限定されず、組成物の安定性が向上する効果が発揮される限り限定はされないが、例えば、０．１重量ｐｐｍとすることができる。
　【０１６５】
　混合物に水が含まれることにより、該混合物を含有する組成物の化学的安定性が高まるという予想外の効果を得ることができる。これは、該混合物が水を含むことで、組成物中に含まれる不飽和のフッ素化炭化水素類の分子内二重結合が安定に存在でき、また、不飽和のフッ素化炭化水素類の酸化も起こりにくくなるため、結果として組成物の安定性が向上するものと考えられる。
　【０１６６】
　本発明の第五の形態の組成物は、混合物中に含まれるＲ３２、Ｒ１２５、Ｒ１３４ａ及び１２３４ｙｆの組成比は特に限定されない点を除き、本発明の第一の形態の組成物と同様の組成物とすることができる。
　【０１６７】
　
任意の添加剤
　本発明の第一〜第五の形態の組成物は、フッ素化炭化水素の混合物の他に、種々の添加剤を目的に応じて適宜含むことができる。
　【０１６８】
　本発明の組成物は、冷凍機油をさらに含むことができる。冷凍機油としては、特に限定されず、一般に用いられる冷凍機油の中から適宜選択することができる。その際には、必要に応じて、前記混合物との相溶性及び前記混合物の安定性等を向上する作用等の点でより優れている冷凍機油を適宜選択することができる。
　【０１６９】
　前記混合物の安定性の評価方法は、特に限定されず、一般的に用いられる手法で評価することができる。そのような手法の一例として、ＡＳＨＲＡＥ標準９７−２００７にしたがって遊離フッ素イオンの量を指標として評価する方法等が挙げられる。その他にも、全酸価（ｔｏｔａｌ　ａｃｉｄ　ｎｕｍｂｅｒ）を指標として評価する方法等も挙げられる。この方法は、例えば、ＡＳＴＭ　Ｄ　９７４−０６にしたがって行うことができる。
　【０１７０】
　冷凍機油の種類は、より具体的には、例えば、ポリアルキレングリコール（ＰＡＧ）、ポリオールエステル（ＰＯＥ）及びポリビニルエーテル（ＰＶＥ）からなる群より選択される少なくとも一種が好ましい。
　【０１７１】
　冷凍機油は、例えば、４０℃における動粘度が５〜４００ｃＳｔであるものを用いることができる。動粘度がこの範囲内にあると、潤滑の点で好ましい。
　【０１７２】
　冷凍機油の濃度は、特に限定されず、組成物全体に対して、通常、１０〜５０重量％であることができる。
　【０１７３】
　本発明の第一〜第五の形態の組成物は、一種以上のトレーサーをさらに含むことができる。トレーサーは、本発明の組成物が希釈、汚染、その他何らかの変更があった場合、その変更を追跡できるように検出可能な濃度で本発明組成物に添加される。トレーサーとしては、特に限定されず、ハイドロフルオロカーボン、重水素化炭化水素、重水素化ハイドロフルオロカーボン、パーフルオロカーボン、フルオロエーテル、臭素化化合物、ヨウ素化化合物、アルコール、アルデヒド、ケトン、亜酸化窒素（Ｎ２Ｏ）等が好ましく、ハイドロフルオロカーボン又はフルオロエーテルが特に好ましい。
　【０１７４】
　本発明の第一〜第五の形態の組成物は、相溶化剤をさらに含むことができる。相溶化剤としては、特に限定されず、ポリオキシアルキレングリコールエーテル、アミド、ニトリル、ケトン、クロロカーボン、エステル、ラクトン、アリールエーテル、フルオロエーテルおよび１，１，１−トリフルオロアルカン等が好ましく、ポリオキシアルキレングリコールエーテルが特に好ましい。
　【０１７５】
　本発明の第一〜第五の形態の組成物は、一種以上の紫外線蛍光染料をさらに含むことができる。紫外線蛍光染料としては、特に限定されず、ナフタルイミド、クマリン、アントラセン、フェナントレン、キサンテン、チオキサンテン、ナフトキサンテン及びフルオレセイン、並びにこれらの誘導体が好ましく、ナフタルイミド及びクマリンのいずれか又は両方が特に好ましい。
　【０１７６】
　本発明の第一〜第五の形態の組成物は、必要に応じて、安定剤、重合禁止剤等をさらに含むことができる。
　【０１７７】
　安定剤としては、特に限定されず、（ｉ）ニトロメタン、ニトロエタン等の脂肪族ニトロ化合物、ニトロベンゼン、ニトロスチレン等の芳香族ニトロ化合物、（ｉｉ）１，４−ジオキサン等のエーテル類、２，２，３，３，３−ペンタフルオロプロピルアミン、ジフェニルアミン等のアミン類、ブチルヒドロキシキシレン、ベンゾトリアゾール等が挙げられる。安定剤は、単独で又は２種以上を組み合わせであることができる。
　【０１７８】
　安定剤の濃度は、安定剤の種類により異なるが、組成物の性質に支障を与えない程度とすることができる。安定剤の濃度は前記混合物１００重量部に対して、通常、０．０１〜５重量部程度とすることが好ましく、０．０５〜２重量部程度とすることがより好ましい。
　【０１７９】
　重合禁止剤としては、特に限定されず、例えば、４−メトキシ−１−ナフトール、ヒドロキノン、ヒドロキノンメチルエーテル、ジメチル−ｔ−ブチルフェノール、２，６−ジ−ｔｅｒｔ−ブチル−ｐ−クレゾール、ベンゾトリアゾール等が挙げられる。
　【０１８０】
　重合禁止剤の濃度は前記混合物１００重量部に対して、通常、０．０１〜５重量部とすることが好ましく、０．０５〜２重量部程度とすることがより好ましい。
　【０１８１】
　本発明の第一〜第五の形態の組成物を用いて冷凍サイクルを運転する工程を含む冷凍方法により、対象物を冷凍することができる。例えば、前記組成物を、圧縮機を介して循環させることで前記冷凍サイクルを構成することができる。
　【０１８２】
　また、圧縮機を介して前記組成物を循環させる冷凍サイクルを構成する装置とすることもできる。かかる装置を用いた冷凍方法において、前記混合物に含まれるＲ３２、Ｒ１２５、Ｒ１３４ａ及び１２３４ｙｆの組成比が、上記の特定の組成比であることにより、例えば、圧縮機の吐出温度を１１０℃以下とすることができる。圧縮機の吐出温度をかかる範囲とすることによって、組成物が冷凍機油を含む場合には、冷凍機油の劣化を抑えることができる。
　【０１８３】
　本発明の第一〜第五の形態の組成物を使用できる冷凍機としては、例えば、冷蔵庫、冷凍庫、冷水機、製氷機、冷蔵ショーケース、冷凍ショーケース、冷凍冷蔵ユニット、冷凍冷蔵倉庫等に用いられる冷凍機、チラー（チリングユニット）、ターボ冷凍機、スクリュー冷凍機等があるが、これらに限定されない。
　【実施例】
　【０１８４】
　以下に実施例及び比較例を挙げて本発明を具体的に説明する。但し、本発明は実施例に限定されない。
　【０１８５】
　
実施例１−１〜３−１３９及び比較例１−１〜３−１１５
　Ｒ４０４Ａ、並びに、Ｒ３２、Ｒ１２５、Ｒ１３４ａ及び１２３４ｙｆの混合物を含有する組成物のＧＷＰは、ＩＰＣＣ（Ｉｎｔｅｒｇｏｖｅｒｎｍｅｎｔａｌ　Ｐａｎｅｌ　ｏｎ　Ｃｌｉｍａｔｅ　Ｃｈａｎｇｅ）第４次報告書の値に基づいて評価した。また、Ｒ４０４Ａ　並びにＲ３２、Ｒ１２５、Ｒ１３４ａ及び１２３４ｙｆの混合物を含有する組成物の冷凍能力は、Ｎａｔｉｏｎａｌ　Ｉｎｓｔｉｔｕｔｅ　ｏｆ　Ｓｃｉｅｎｃｅ　ａｎｄ　Ｔｅｃｈｎｏｌｏｇｙ（ＮＩＳＴ）Ｒｅｆｅｒｅｎｃｅ　Ｆｌｕｉｄ　Ｔｈｅｒｍｏｄｙｎａｍｉｃ　ａｎｄ　Ｔｒａｎｓｐｏｒｔ　Ｐｒｏｐｅｒｔｉｅｓ　Ｄａｔａｂａｓｅ（Ｒｅｆｐｒｏｐ　９．０）を使い、下記条件で混合冷媒の冷凍サイクル理論計算を実施することにより求めた。
蒸発温度　　　−４０℃
凝縮温度　　　　４０℃
過熱温度　　　　２０Ｋ
過冷却温度　　　０Ｋ
圧縮機効率　　　７０％
　また、燃焼性はＡＳＨＲＡＥ可燃性分類に基づいて求めた。
　【０１８６】
　また、これらの結果をもとに算出したＧＷＰ、ＣＯＰ、圧縮機出口圧力、圧縮機出口温度、及び、冷凍能力を表４−１〜表６−２１に示す。表５では、ＣＯＰ、冷凍能力、圧縮機出口圧力はＲ２２に対する割合を示し、表６では、ＣＯＰ及び冷凍能力については、Ｒ４０４Ａに対する割合を示す。
　【０１８７】
　成績係数（ＣＯＰ）は、次式により求めた。
ＣＯＰ＝（冷凍能力又は暖房能力）／消費電力量
　図１５〜２７、３０、３１、３３、３６、４４及び４５において、符号以外の実施例の組成を○で示し、符号以外の比較例の組成を△で示す。
　【０１８８】
　【表４−１】
　【０１８９】
　【表４−２】
　【０１９０】
　【表４−３】
　【０１９１】
　【表４−４】
　【０１９２】
　【表４−５】
　【０１９３】
　【表４−６】
　【０１９４】
　【表４−７】
　【０１９５】
　【表４−８】
　【０１９６】
　【表４−９】
　【０１９７】
　【表４−１０】
　【０１９８】
　【表４−１１】
　【０１９９】
　【表４−１２】
　【０２００】
　【表４−１３】
　【０２０１】
　【表５−１】
　【０２０２】
　【表５−２】
　【０２０３】
　【表５−３】
　【０２０４】
　【表５−４】
　【０２０５】
　【表５−５】
　【０２０６】
　【表５−６】
　【０２０７】
　【表５−７】
　【０２０８】
　【表５−８】
　【０２０９】
　【表５−９】
　【０２１０】
　【表５−１０】
　【０２１１】
　【表５−１１】
　【０２１２】
　【表５−１２】
　【０２１３】
　【表５−１３】
　【０２１４】
　【表５−１４】
　【０２１５】
　【表６−１】
　【０２１６】
　【表６−２】
　【０２１７】
　【表６−３】
　【０２１８】
　【表６−４】
　【０２１９】
　【表６−５】
　【０２２０】
　【表６−６】
　【０２２１】
　【表６−７】
　【０２２２】
　【表６−８】
　【０２２３】
　【表６−９】
　【０２２４】
　【表６−１０】
　【０２２５】
　【表６−１１】
　【０２２６】
　【表６−１２】
　【０２２７】
　【表６−１３】
　【０２２８】
　【表６−１４】
　【０２２９】
　【表６−１５】
　【０２３０】
　【表６−１６】
　【０２３１】
　【表６−１７】
　【０２３２】
　【表６−１８】
　【０２３３】
　【表６−１９】
　【０２３４】
　【表６−２０】
　【０２３５】
　【表６−２１】
　【０２３６】
　
実施例３−５２、３−１２４及び比較例３−５１、３−８９
　実施例３−５２、３−１２４及び比較例３−５１、３−８９について、ＡＳＨＲＡＥ３４−２０１３に従って燃焼性の検証を行った。
　【０２３７】
　ＷＣＦＦを求めるために、ＲＥＦＰＲＯＰ９．０を用いて、下記９ケースの
・Ｓｔｏｒａｇｅ／Ｓｈｉｐｐｉｎｇ　Ｃｏｎｄｉｔｉｏｎ
漏洩温度：（１）沸点＋１０℃（−４０℃より沸点＋１０℃の方が高いので）、（２）２３℃、（３）５４．４℃
・Ｅｑｕｉｐｍｅｎｔ　Ｃｏｎｄｉｔｉｏｎ
漏洩温度：（４）沸点＋１０℃（−４０℃より沸点＋１０℃の方が高いので）、（５）２３℃、（６）６０℃
・Ｌｅａｋ／Ｒｅｃｈａｒｇｅ　Ｔｅｓｔｉｎｇ
漏洩温度：（７）２３±３℃
漏洩計算を行った。
　【０２３８】
　その結果を表１４、表１５に示す。いずれもＳｔｏｒａｇｅ／Ｓｈｉｐｐｉｎｇ　Ｃｏｎｄｉｔｉｏｎで、（１）沸点＋１０℃におけるボンベ充填時の気相がＷＣＦＦとなった。
　【０２３９】
　【表７】
　【０２４０】
　【表８】
　【０２４１】
　実施例３−５２、３−１２４及び比較例３−５１、３−８９に示したＷＣＦＦについて、ＡＳＴＭ　Ｅ６８１（引火性濃度限界の標準試験法）に従って燃焼試験を行ったところ、実施例のＷＣＦＦ組成では、火炎伝播は認められず、比較例のＷＣＦＦ組成では火炎伝播が認められた。
　【０２４２】
　実施例はＡＳＨＲＡＥ不燃（クラス１）、比較例はＡＳＨＲＡＥ可燃（クラス２又はクラス３）に分類される結果であった。
　【符号の説明】
　【０２４３】
Ａ：ＧＷＰ＝１５００であってＲ１３４ａの濃度（重量％）が０重量％の組成比
Ｄ：ＧＷＰ＝１５００であって１２３４ｙｆの濃度（重量％）が０重量％の組成比
Ｇ：ＧＷＰ＝１５００であってＡＳＨＲＡＥ不燃限界を示す組成比
（ＷＣＦＦがＳｔｏｒａｇｅ／Ｓｈｉｐｐｉｎｇ　ｃｏｎｄｉｔｉｏｎｓ　９５％リーク後の液相組成になる場合）
Ｈ：ＡＳＨＲＡＥ不燃限界を示す組成比
（ＷＣＦＦがＳｔｏｒａｇｅ／Ｓｈｉｐｐｉｎｇ　ｃｏｎｄｉｔｉｏｎｓ　９５％リーク後の液相組成、及び、０％リーク時の気相組成になる場合）
Ｉ：ＡＳＨＲＡＥ不燃限界であって１２３４ｙｆの濃度（重量％）が０重量％の組成比
（ＷＣＦＦはＳｔｏｒａｇｅ／Ｓｈｉｐｐｉｎｇ　ｃｏｎｄｉｔｉｏｎｓ　０％リーク時の気相組成）
Ｇ’：ＡＳＨＲＡＥ不燃限界を示す線分ＧＨに対して、不燃の安全率を見込むために不燃冷媒Ｒ１３４ａを＋１重量％上乗せした線分とＧＷＰ＝１５００の線分との交点を示す組成比
Ｈ’：ＡＳＨＲＡＥ不燃限界を示す線分ＧＨに対して、不燃冷媒Ｒ１３４ａを＋１重量％上乗せした線分と不燃冷媒Ｒ１２５を＋１重量％上乗せした線分
Ｉ’：ＡＳＨＲＡＥ不燃限界を示す線分ＨＩに対して、不燃の安全率を見込むために
不燃冷媒Ｒ１２５を＋１重量％上乗せした線分であって１２３４ｙｆの濃度（重量％）が０重量％の組成比
Ｂ：線分Ｇ’Ｈ’Ｉ’上にあって圧縮機出口圧力がＲ２２圧力の１０２．５％になる組成比
Ｃ：ＧＷＰ＝１５００であって圧縮機出口圧力がＲ２２圧力の１０２．５％になる組成比
Ｅ：線分Ｇ’Ｈ’Ｉ’上にあって圧縮機出口圧力がＲ２２圧力の９７．５％になる組成比
Ｆ：ＧＷＰ＝１５００であって圧縮機出口圧力がＲ２２圧力の９７．５％になる組成比
Ｂ’：線分Ｇ’Ｈ’Ｉ’上にあって圧縮機出口圧力がＲ２２圧力の１０１．２５％になる組成比
Ｃ’：ＧＷＰ＝１５００であって圧縮機出口圧力がＲ２２圧力の１０１．２５％になる組成比
Ｅ’：線分Ｇ’Ｈ’Ｉ’上にあって圧縮機出口圧力がＲ２２圧力の９８．７５％になる組成比
Ｆ’：ＧＷＰ＝１５００であって圧縮機出口圧力がＲ２２圧力の９８．７５％になる組成比
Ｊ：線分Ｇ’Ｈ’Ｉ’上にあって対Ｒ４０４Ａ冷凍能力が８５％になる組成比
Ｋ：ＧＷＰ＝１５００であって対Ｒ４０４Ａ冷凍能力が８５％になる組成比
Ｌ：線分Ｇ’Ｈ’Ｉ’上にあって対Ｒ４０４Ａ冷凍能力が９０％になる組成比
Ｍ：ＧＷＰ＝１５００であって対Ｒ４０４Ａ冷凍能力が９０％になる組成比
Ｏ：線分Ｇ’Ｈ’Ｉ’上にあって対Ｒ４０４Ａ冷凍能力が９５％になる組成比
Ｐ：ＧＷＰ＝１５００であって対Ｒ４０４Ａ冷凍能力が９５％になる組成比
Ｑ：線分Ｇ’Ｈ’Ｉ’上にあって圧縮機出口温度が１１５℃になる組成比
Ｒ：ＧＷＰ＝１５００であって圧縮機出口温度が１１５℃になる組成比
Ｓ：線分Ｇ’Ｈ’Ｉ’上にあってＣＯＰが対Ｒ４０４Ａの１０７．７５％となる組成比
Ｔ：ＧＷＰ＝１５００であってＣＯＰが対Ｒ４０４Ａの１０７．７５％となる組成比
Ｕ：線分ＳＴと線分ＪＫとの交点
Ｖ：線分ＳＴと線分ＬＭとの交点
Ｗ：線分ＳＴと線分ＯＰとの交点
Ｘ：線分ＱＲと線分ＪＫとの交点
Ｙ：線分ＯＲと線分ＬＭとの交点
Ｚ：線分ＱＲと線分ＯＰとの交点
α：線分ＳＴと線分ＱＲとの交点
Ｎ：Ｒ１２５＝０、Ｒ１３４ａ＝０となる点（０／０／１００−ｘ）
（５７）【特許請求の範囲】
　【請求項１】
　
（削除）
　【請求項２】
　
（削除）
　【請求項３】
　フッ素化炭化水素の混合物を含有する組成物であって、
　
前記混合物は、Ｒ３２、Ｒ１２５、１２３４ｙｆ及びＲ１３４ａのみからなる基本４成分に加えて前記基本４成分とは異なる他の成分を含んでいてもよく、前記混合物中の前記他の成分の含有量は０．５重量％以下であり、
　前記混合物に含まれるフッ素化炭化水素の組成比が、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において
、
　（１）−４　１８．１重量％＞ｘ≧１６．１重量％であり、
　（２）−４　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−２．６４５６ｘ＋６２．４８４／０．７９２９ｘ＋２９．９８４／１００−Ｒ３２−Ｒ１２５−１２３４ｙｆ）、
点Ｃ’（−１．４５１５ｘ＋４６．０７５／−２．５８４２ｘ＋６１．０５８／１００−Ｒ３２−Ｒ１２５−１２３４ｙｆ）、
点Ｆ’（−１．３４４７ｘ＋４１．２２６／０．０９５９ｘ２−５．７１７６ｘ＋８２．１６５／１００−Ｒ３２−Ｒ１２５−１２３４ｙｆ）、及び
点Ｅ’（０．１０４４ｘ２−４．７２０３ｘ＋６３．３３７／０．３８３６ｘ２−１８．３８６ｘ＋２３３．３７／１００−Ｒ３２−Ｒ１２５−１２３４ｙｆ）
を頂点とする四角形の範囲に含まれる組成比を有する混合物４、
　（１）−５　２０．０重量％＞ｘ≧１８．１重量％であり、
　（２）−５　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−１．０４４２ｘ＋３３．８７／０．２５３９ｘ２−１４．５３１ｘ＋２１２．３８／１００−Ｒ３２−Ｒ１２５−１２３４ｙｆ）、
点Ｃ’（−１．３１４５ｘ＋４３．５８８／−２．４７１７ｘ＋５９．０３１／１００−Ｒ３２−Ｒ１２５−１２３４ｙｆ）、
点Ｆ’（−１．２５８ｘ＋３９．６５１／０．０６０７ｘ２−４．７３４８ｘ＋７５．９０５／１００−Ｒ３２−Ｒ１２５−１２３４ｙｆ）、及び
点Ｅ’（−０．８８６９ｘ＋２８．１２６／０．１９９４ｘ２−１１．９９１ｘ＋１７７．９７／１００−Ｒ３２−Ｒ１２５−１２３４ｙｆ）
を頂点とする四角形の範囲に含まれる組成比を有する混合物５、
　（１）−６　２２．６重量％＞ｘ≧２０．０重量％であり、
　（２）−６　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｂ’（−０．７７３３ｘ＋２８．４４８／０．０５９８ｘ２−６．５０３ｘ＋１２９．４６／１００−Ｒ３２−Ｒ１２５−１２３４ｙｆ）、
点Ｃ’（−１．１５７ｘ＋４０．４２６／−２．１９１９ｘ＋５３．４３９／１００−Ｒ３２−Ｒ１２５−１２３４ｙｆ）、
点Ｆ’（−１．１１６３ｘ＋３６．８２２／０．０７２１ｘ２−５．１８７５ｘ＋８０．４０４／１００−Ｒ３２−Ｒ１２５−１２３４ｙｆ）、及び
点Ｅ’（−０．７７３３ｘ＋２５．８４８／０．１５７８ｘ２−１０．６１３ｘ＋１６７．０２／１００−Ｒ３２−Ｒ１２５−１２３４ｙｆ）
を頂点とする四角形の範囲に含まれる組成比を有する混合物６、
からなる群から選択され
る一
　【請求項４】
　フッ素化炭化水素の混合物を含有する組成物であって、
　
前記混合物は、Ｒ３２、Ｒ１２５、１２３４ｙｆ及びＲ１３４ａのみからなる基本４成分に加えて前記基本４成分とは異なる他の成分を含んでいてもよく、前記混合物中の前記他の成分の含有量は０．５重量％以下であり、
　前記混合物に含まれるフッ素化炭化水素の組成比が、Ｒ３２、Ｒ１２５、１２３４ｙｆ及びＲ１３４ａの濃度の総和を１００重量％、Ｒ３２の濃度をｘ重量％とするとき、Ｒ１２５、１２３４ｙｆ及びＲ１３４ａの濃度の総和が（１００−ｘ）重量％で示される３成分組成図において、
　（１）−１　２０．０重量％＞ｘ＞１７．５重量％であり、
　（２）−１　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’は、
１８．１重量％＞ｘ＞１７．５重量％のときは、
点Ｇ’（１００−Ｒ３２−１２３４ｙｆ−Ｒ１３４ａ／−０．５４５８ｘ＋４４．５８２／−０．４２６４ｘ＋２１．０３１）、
２０．０重量％＞ｘ≧１８．１重量％のときは、
点Ｇ’（１００−Ｒ３２−１２３４ｙｆ−Ｒ１３４ａ／−０．５２７７ｘ＋４４．２７７／−０．４２０７ｘ＋２０．９０７）、
及び、
点Ｏ（−３．１５５４ｘ＋８９．０１３／１．１１０８ｘ＋１５．６７３／１００−Ｒ３２−Ｒ１２５−１２３４ｙｆ）、及び
点Ｐ（０．０６９８ｘ２−４．６１４１ｘ＋９３．２５４／０．１３６１ｘ２−８．５１０６ｘ＋１４２．２７／１００−Ｒ３２−Ｒ１２５−１２３４ｙｆ）
を頂点とする三角形の範囲に含まれる組成比を有する混合物１、
　（１）−２　２０．８重量％＞ｘ≧２０．０重量％であり、
　（２）−２　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｏ（−３．５ｘ＋９５．９／１．５６６１ｘ＋６．５８０７／１００−Ｒ３２−Ｒ１２５−１２３４ｙｆ）、及び
点Ｐ（−１．７５ｘ＋６３．９／−２．９６９１ｘ＋８５．８８１／１００−Ｒ３２−Ｒ１２５−１２３４ｙｆ）、
を頂点とする三角形の範囲に含まれる組成比を有する混合物２、
　（１）−３　ｘ＝２０．８重量％であり、
　（２）−３　Ｒ１２５、１２３４ｙｆ及び１３４ａの濃度（Ｒ１２５の濃度（重量％）／１２３４ｙｆの濃度（重量％）／１３４ａの濃度（重量％））が、
点Ｇ’（１００−Ｒ３２−１２３４ｙｆ−Ｒ１３４ａ／−０．５３４９ｘ＋４４．４１３／−０．４６５１ｘ＋２１．７８７）、
点Ｏ（−２．２５ｘ＋６９．９／０．３６２９ｘ＋３１．６０５／１００−Ｒ３２−Ｒ１２５−１２３４ｙｆ）、及び
点Ｐ（−１．７５ｘ＋６３．９／−３．０６１９ｘ＋８７．８１２／１００−Ｒ３２−Ｒ１２５−１２３４ｙｆ）、
を頂点とする三角形の範囲に含まれる組成比を有する混合物３、
からなる群から選択され
る一
　【請求項５】
　
（削除）
　【請求項６】
　
（削除）
　【請求項７】
　
（削除）
　【請求項８】
　
（削除）
　【請求項９】
　
（削除）
　【請求項１０】
　冷凍機油を含有する、請求項
３又は４
　【請求項１１】
　前記冷凍機油が、ポリアルキレングリコール（ＰＡＧ）、ポリオールエステル（ＰＯＥ）及びポリビニルエーテル（ＰＶＥ）からなる群より選択される少なくとも１種のポリマーを含有する、請求項１０に記載の組成物。
　【請求項１２】
　混合冷媒であるＲ４０４Ａ（Ｒ１２５／Ｒ１３４ａ／Ｒ１４３ａ＝４４／４／５２重量％）の代替冷媒である、請求項
４、１０及び１１に
　【請求項１３】
　ＨＣＦＣ冷媒であるＲ２２の代替冷媒である、請求項
３、１０及び１１
　【請求項１４】
　トレーサー、相溶化剤、紫外線蛍光染料、安定剤及び重合禁止剤からなる群より選択される少なくとも１種の物質を含む、請求項
３、４及び１０〜１３
　【請求項１５】
　前記組成物が、前記フッ素化炭化水素の混合物のみからなる、請求項
３、４、１２及び１３
　【請求項１６】
　請求項
３、４及び１０〜１５
　【請求項１７】
　請求項
３、４及び１０〜１５
　【請求項１８】
　請求項
３、４及び１０〜１５
　【請求項１９】
　冷蔵庫、冷凍庫、冷水機、製氷機、冷蔵ショーケース、冷凍ショーケース、冷凍冷蔵ユニット、冷凍冷蔵倉庫用冷凍機、チラー（チリングユニット）、ターボ冷凍機及びスクリュー冷凍機からなる群から選択される少なくとも１種に使用する、請求項
３、４及び１０〜１５